(57)【要約】  本発明のプラズマディスプレイパネルの駆動方法は、複数の表示電極対を複数の表示電極対グループに分け、１フィールドを複数のサブフィールドに分ける。維持期間の長さと消去期間の長さとを比較し、維持期間が消去期間よりも長い場合は表示電極対グループ毎に維持放電と消去放電とを行い、維持期間が消去期間よりも短い場合は表示電極対グループ間で維持放電と消去放電とを同期させて行う。さらに、輝度重みの最も大きいサブフィールドあるいは点灯率の最も大きいサブフィールドにおいては、表示電極対グループ間で維持放電と消去放電とを必ず同期させて行う。
2011001618.tif 000002
【特許請求の範囲】
【請求項１】
走査電極と維持電極とから構成された複数の表示電極対と複数のデータ電極とを備え、前記表示電極対と前記データ電極とが交差する位置のそれぞれに放電セルを構成したプラズマディスプレイパネルの駆動方法であって、
映像を構成する各フィールドは複数のサブフィールドを有し、
各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、
前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、
前記維持期間が前記壁電圧調整期間よりも短い場合には、前記プラズマディスプレイパネルの全ての前記表示電極対に対して前記維持期間と前記壁電圧調整期間とを行う第２の駆動モードを選択する、
プラズマディスプレイパネルの駆動方法。
【請求項２】
前記第１の駆動モードまたは前記第２の駆動モードを選択することよりも優先して、前記サブフィールド毎の前記維持期間の長さの情報に基づいて前記複数のサブフィールドの中の少なくともいずれかに対して前記第２の駆動モードを設定する、請求項１に記載のプラズマディスプレイパネルの駆動方法。
【請求項３】
前記複数のサブフィールドの中で前記維持期間が最も長いサブフィールドに対して前記第２の駆動モードを設定する、請求項２に記載のプラズマディスプレイパネルの駆動方法。
【請求項４】
前記複数のサブフィールドの中で前記維持期間が２番目に長いサブフィールドに対して前記第２の駆動モードを設定する、請求項３に記載のプラズマディスプレイパネルの駆動方法。
【請求項５】
前記第１の駆動モードまたは前記第２の駆動モードを選択することよりも優先して、前記サブフィールド毎の維持放電させる放電セル数の情報に基づいて前記複数のサブフィールドの中の少なくともいずれかに対して前記第２の駆動モードを設定する、請求項１に記載のプラズマディスプレイパネルの駆動方法。
【請求項６】
前記複数のサブフィールドの中で維持放電させる放電セルの数が最も多いサブフィールドに対して前記第２の駆動モードを設定する、  請求項５に記載のプラズマディスプレイパネルの駆動方法。
【請求項７】
前記複数のサブフィールドの中で前記維持期間において維持放電させる前記放電セルの数が２番目に多いサブフィールドに対して前記第２の駆動モードを設定する、請求項６に記載のプラズマディスプレイパネルの駆動方法。
【請求項８】
前記第１の駆動モードまたは前記第２の駆動モードを選択することよりも優先して、すべての前記放電セルを初期化放電させる初期化期間の直後のサブフィールド対して前記第２の駆動モードを設定する、請求項１に記載のプラズマディスプレイパネルの駆動方法。
【請求項９】
走査電極と維持電極とから構成された複数の表示電極対と複数のデータ電極とを備え、前記表示電極対と前記データ電極とが交差する位置のそれぞれに放電セルを構成したプラズマディスプレイパネルと、
前記プラズマディスプレイパネルを駆動する駆動回路とを備えたプラズマディスプレイ装置であって、
前記駆動回路は、
映像を構成する各フィールドは複数のサブフィールドを有し、
各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、
前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、
前記維持期間が前記壁電圧調整期間よりも短い場合には、前記プラズマディスプレイパネルの全ての前記表示電極対に対して前記維持期間と前記壁電圧調整期間とを行う第２の駆動モードを選択する、
プラズマディスプレイ装置。
【請求項１０】
前記第１の駆動モードまたは前記第２の駆動モードを選択することよりも優先して、前記サブフィールド毎の前記維持期間の長さの情報に基づいて前記複数のサブフィールドの中の少なくともいずれかに対して前記第２の駆動モードを設定する、請求項９に記載のプラズマディスプレイ装置。
【請求項１１】
前記複数のサブフィールドの中で前記維持期間が最も長いサブフィールドに対して前記第２の駆動モードを設定する、請求項１０に記載のプラズマディスプレイ装置。
【請求項１２】
前記複数のサブフィールドの中で前記維持期間が２番目に長いサブフィールドに対して前記第２の駆動モードを設定する、請求項１１に記載のプラズマディスプレイ装置。
【請求項１３】
前記第１の駆動モードまたは前記第２の駆動モードを選択することよりも優先して、前記サブフィールド毎の維持放電させる放電セル数の情報に基づいて前記複数のサブフィールドの中の少なくともいずれかに対して前記第２の駆動モードを設定する、請求項９に記載のプラズマディスプレイ装置。
【請求項１４】
前記複数のサブフィールドの中で維持放電させる放電セルの数が最も多いサブフィールドに対して前記第２の駆動モードを設定する、請求項１３に記載のプラズマディスプレイ装置。
【請求項１５】
前記複数のサブフィールドの中で前記維持期間において維持放電させる前記放電セルの数が２番目に多いサブフィールドに対して前記第２の駆動モードを設定する、請求項１４に記載のプラズマディスプレイ装置。
【請求項１６】
前記第１の駆動モードまたは前記第２の駆動モードを選択することよりも優先して、すべての前記放電セルを初期化放電させる初期化期間の直後のサブフィールド対して前記第２の駆動モードを設定する、請求項９に記載のプラズマディスプレイ装置。
【請求項１７】
走査電極と維持電極とから構成された複数の表示電極対と複数のデータ電極とを備え、前記表示電極対と前記データ電極とが交差する位置のそれぞれに放電セルを構成したプラズマディスプレイパネルと、
前記複数の走査電極を駆動する走査電極駆動回路と、
前記複数の維持電極を駆動する維持電極駆動回路と、
前記複数のデータ電極を駆動するデータ電極駆動回路と、
画像信号および同期信号に基づいて前記画像処理信号回路と前記走査電極駆動回路と前記維持電極駆動回路と前記データ電極駆動回路とにタイミング信号を出力するタイミング発生回路と、を有し、
映像を構成する各フィールドは複数のサブフィールドを有し、
各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、
前記タイミング発生回路は、
前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、
前記維持期間が前記壁電圧調整期間よりも短い場合には、前記プラズマディスプレイパネルの全ての前記表示電極対に対して前記維持期間と前記壁電圧調整期間とを行う第２の駆動モードを選択する、
プラズマディスプレイ装置。
【発明の詳細な説明】
【技術分野】
【０００１】
本発明は、プラズマディスプレイパネルの駆動方法およびそれを用いたプラズマディスプレイ装置に関する。
【背景技術】
【０００２】
プラズマディスプレイパネルとして代表的な交流面放電型パネルは、対向配置された前面基板と背面基板との間に多数の放電セルが形成されている。【０００３】
前面基板には走査電極と維持電極とからなる表示電極対が互いに平行に複数対形成され、背面基板にはデータ電極が平行に複数形成されている。そして、表示電極対とデータ電極とが立体交差するように前面基板と背面基板とが対向配置されて密封され、内部の放電空間には放電ガスが封入されている。ここで表示電極対とデータ電極との対向する部分に放電セルが形成される。【０００４】
プラズマディスプレイパネルを駆動する方法としては、１フィールドを複数のサブフィールドに分割した上で、発光させるサブフィールドの組み合わせによって階調表示を行うサブフィールド法が用いられる。各サブフィールドは、初期化期間、書込み期間および維持期間を有する。初期化期間では初期化放電を発生し、続く書込み動作に必要な壁電荷を形成する。書込み期間では、表示する画像に応じて選択的に放電セルで書込み放電を発生し壁電荷を形成する。そして維持期間では、表示電極対に交互に維持パルス電圧を印加して維持放電を発生させ、対応する放電セルの蛍光体層を発光させることにより画像表示を行う。【０００５】
サブフィールド法の中でも、全ての放電セルに対する維持期間の位相を揃えることにより書込み期間と維持期間とが重ならないように時間的に分離した、ＡＤＳ（Address and Display Separation）方式が一般的に用いられている。ＡＤＳ方式では、書込み放電を発生させる放電セルと維持放電を発生させる放電セルとが共存するタイミングが存在しないので、書込み期間には書込み放電に最適な条件で、維持期間には維持放電に最適な条件でプラズマディスプレイパネルを駆動することができる。そのため放電制御が比較的簡単であり、またプラズマディスプレイパネルの駆動マージンも大きく設定することができる。【０００６】
その反面、ＡＤＳ方式では書込み期間を除く期間に維持期間を設定しなければならないため、プラズマディスプレイパネルの高精細度化等により書込み期間に要する時間が長くなると、画像表示品質を向上するための十分なサブフィールド数が確保できなくなるという問題があった。【０００７】
このような問題を解決するために、表示電極対を複数のグループに分け、複数のグループのうち２つ以上のグループの書込み期間が時間的に重ならないように、それぞれのグループにおけるサブフィールドの開始時間をずらした駆動方法およびその駆動方法を用いたプラズマディスプレイ装置（例えば、特許文献１等を参照）が提案されている。なお、特許文献１のプラズマディスプレイ装置においては、表示電極対より分割されるグループ毎に、走査電極を駆動する走査電極駆動回路および維持電極を駆動する維持電極駆動回路がそれぞれ独立に設けられ、それぞれのグループ毎に異なったタイミングで駆動することが開示されている（特許文献１（第４−５頁、第２図）参照）。
【先行技術文献】
【特許文献】
【０００８】
【特許文献１】特開２００５−１５７３３８号公報
【発明の概要】
【発明が解決しようとする課題】
【０００９】
プラズマディスプレイパネルの表示品質を向上させるのに十分なサブフィールド数を確保するために特許文献１に開示されたようなプラズマディスプレイ装置を用いた場合、複数の表示電極対より分割される複数の表示電極対グループをそれぞれ異なったタイミングで駆動させる必要があり、当該複数の表示電極対グループと同数の走査電極駆動回路および維持電極駆動回路を設ける必要がある。【００１０】
しかし、複数の走査電極駆動回路および複数の維持電極駆動回路を用いてプラズマディスプレイパネルを駆動する場合、表示電極対グループ間の境界となる表示領域付近で輝度差が発生するので、プラズマディスプレイパネルの表示品質が低下するという課題があった。【００１１】
なお、このような輝度差は、表示電極対の各グループの維持放電における負荷の違いで発生するものである。すなわち、表示画像によって点灯させる放電セル数が表示電極対グループ間で異なるので、維持放電に要する放電電力が表示電極対グループ間で異なってくる。特に、維持パルス発生回路のインピーダンスの影響によって、各放電セルに印加される電圧が異なってくる。【００１２】
その結果、表示電極対グループ毎の放電セルの放電強度が異なってくるため、表示電極対グループ間の境界となる表示領域付近で輝度差が発生する。さらに、複数の走査電極駆動回路および複数の維持電極駆動回路それぞれの性能ばらつきが大きくなるほど、その輝度差が助長されてしまう。【００１３】
本発明は上記の課題に鑑みてなされたものであり、高精細度プラズマディスプレイパネルであっても十分なサブフィールド数を確保することができ、かつ表示電極対グループ間の境界となる表示領域付近での輝度差が発生しにくいプラズマディスプレイパネルの駆動方法、およびその駆動方法を備えたプラズマディスプレイ装置を提供することを目的とする。
【課題を解決するための手段】
【００１４】
上記目的を達成するために、本発明に係るプラズマディスプレイパネルの駆動方法は、走査電極と維持電極とから構成された複数の表示電極対と複数のデータ電極とを備え、前記表示電極対と前記データ電極とが交差する位置のそれぞれに放電セルを構成したプラズマディスプレイパネルの駆動方法であって、映像を構成する各フィールドは複数のサブフィールドを有し、各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、前記維持期間が前記壁電圧調整期間よりも短い場合には、前記プラズマディスプレイパネルの全ての前記表示電極対に対して前記維持期間と前記壁電圧調整期間とを行う第２の駆動モードを選択する。【００１５】
第１の駆動モードの場合、複数の表示電極対グループ間で維持期間および壁電圧調整期間が表示電極対グループ毎に時間的に異なるタイミングで設定される。また、第１の駆動モードの場合、全ての表示電極対グループの壁電圧調整期間以外の期間においては全ての表示電極対グループの間で連続した書込み動作が行われるとともに、ある表示電極対グループの壁電圧調整期間においては残りの表示電極対グループの連続した書込み動作が制限される。このため、あるサブフィールドにおいて、１つの表示電極対グループにおいて書込み動作が終了した後、引き続き他の表示電極対グループにおける書込み動作が連続して行われると同時に維持放電が行われるように、書込み期間および維持期間を設定することができる。これにより、全体の駆動時間を短縮することが可能となる。【００１６】
一方、維持期間が壁電圧調整期間よりも短くなる場合、いずれかの表示電極対グループが壁電圧調整期間にあるときに書込み動作が制限されて、その制限された期間の分、駆動時間が長くなる。この場合には、第１の駆動モードよりも全ての表示電極対グループ間で維持期間および壁電圧調整期間を同期させる第２の駆動モードを設定した方が、全体の駆動時間をさらに短縮することができる。【００１７】
そこで、維持期間の長さと壁電圧調整期間の長さとを比較し、維持期間が壁電圧調整期間よりも長い場合には第１の駆動モードを選択し、維持期間が壁電圧調整期間よりも短い場合には第２の駆動モードを選択することで、従来のＡＤＳ方式のように全てのサブフィールを第１の駆動モード又は第２の駆動モードで固定する駆動方法の場合と比べて、全体の駆動時間をより効果的に短縮することができる。また、全体の駆動時間の短縮に伴って、高精細度プラズマディスプレイパネルであっても十分なサブフィールド数を確保することが容易となる。【００１８】
さらに、従来のＡＤＳ方式のように全てのサブフィールを第１の駆動モード又は第２の駆動モードで固定する場合と比べて、複数のサブフィールドの中で第２の駆動モードが選択されるサブフィールドが存在し得る。このため、第２の駆動モードが選択されたサブフィールドに関しては複数の表示電極対グループの間で各放電セルに印加される電圧が均一化されるので、表示電極対グループ間の境界となる表示領域付近での輝度差の発生を抑えることができる。【００１９】
上記のプラズマディスプレイパネルの駆動方法において、前記第１の駆動モードまたは前記第２の駆動モードを選択することよりも優先して、前記サブフィールド毎の前記維持期間の長さの情報に基づいて前記複数のサブフィールドの中の少なくともいずれかに対して前記第２の駆動モードを設定する、としてもよい。【００２０】
サブフィールドの維持期間の長さの度合いによっては、全体の駆動時間を短縮することよりも表示電極対グループ間の境界となる表示領域付近での輝度差の発生を抑えた方が良い場合がある。そこで、この場合、維持期間の長さと壁電圧調整期間の長さとの比較結果に依らないで、第２の駆動モードを必ず設定するようにする。これにより、サブフィールド数の確保と表示電極対グループ間の境界となる表示領域付近での輝度差の抑制とをバランス良く実現することができる。  【００２１】
上記のプラズマディスプレイパネルの駆動方法において、前記複数のサブフィールドの中で前記維持期間が最も長いサブフィールドに対して前記第２の駆動モードを設定する、としてもよい。【００２２】
維持期間が最も長いサブフィールドは、複数の表示電極対グループの間で維持期間と壁電圧調整期間とを同期させる第２の駆動モードを設定した方が、各放電セルに印加させる電圧が均一化されて、表示電極対グループ間の境界となる表示領域付近での輝度差の発生を抑えることができる。【００２３】
上記のプラズマディスプレイパネルの駆動方法において、前記複数のサブフィールドの中で前記維持期間が２番目に長いサブフィールドに対して前記第２の駆動モードを設定する、としてもよい。【００２４】
維持期間が最も長いサブフィールドに第２の駆動モードを設定するだけでは表示電極対グループ間の境界となる表示領域付近での輝度差が十分改善されないおそれがある場合には、維持期間が２番目に長いサブフィールドについても同様に第２の駆動モードを設定することが好ましい。【００２５】
上記のプラズマディスプレイパネルの駆動方法において、前記第１の駆動モードまたは前記第２の駆動モードを選択することよりも優先して、前記サブフィールド毎の維持放電させる放電セル数の情報に基づいて前記複数のサブフィールドの中の少なくともいずれかに対して前記第２の駆動モードを設定する、としてもよい。【００２６】
サブフィールドの維持放電させる放電セル数の大きさによっては、全体の駆動時間を短縮することよりも表示電極対グループ間の境界となる表示領域付近での輝度差の発生を抑えた方が良い場合がある。そこで、この場合、維持期間の長さと壁電圧調整期間の長さとの比較結果に依らないで、第２の駆動モードを必ず設定するようにする。これにより、サブフィールド数の確保と表示電極対グループ間の境界となる表示領域付近での輝度差の抑制とをバランス良く実現することができる。  【００２７】
上記のプラズマディスプレイパネルの駆動方法において、前記複数のサブフィールドの中で維持放電させる放電セルの数が最も多いサブフィールドに対して前記第２の駆動モードを設定する、としてもよい。【００２８】
維持放電させる放電させる放電セル数が最も多いサブフィールドは、複数の表示電極対グループの間で維持期間と壁電圧調整期間とを同期させる第２の駆動モードを設定した方が、各放電セルに印加させる電圧が均一化されて、表示電極対グループ間の境界となる表示領域付近での輝度差の発生を抑えることができる。【００２９】
上記のプラズマディスプレイパネルの駆動方法において、前記複数のサブフィールドの中で前記維持期間において維持放電させる前記放電セルの数が２番目に多いサブフィールドに対して前記第２の駆動モードを設定する、としてもよい。【００３０】
維持放電させる放電セル数が最も多いサブフィールドに第２の駆動モードを設定するだけでは表示電極対グループの境界となる表示領域付近での輝度差が十分改善されないおそれがある場合には、維持放電させる放電セル数が２番目に多いサブフィールドについても同様に第２の駆動モードを設定することが好ましい。【００３１】
上記のプラズマディスプレイパネルの駆動方法において、前記第１の駆動モードまたは前記第２の駆動モードを選択することよりも優先して、すべての前記放電セルを初期化放電させる初期化期間の直後のサブフィールド対して前記第２の駆動モードを設定する、としてもよい。【００３２】
初期化期間において全ての放電セルを放電させた後では書込み期間の際のアドレス放電が強くなるため、放電セル間で放電クロストークが発生し易くなる。このため、初期化期間の直後のサブフィールドを必ず点灯させる方が良く、この場合、初期化期間の直後のサブフィールドは全てのサブフィールドをとおして点灯率が最も高くなる。そこで、初期化期間の直後のサブフィールドについては第２の駆動モードを設定することで、表示電極対グループ間の境界となる表示領域付近での輝度差の発生を抑えることができる。【００３３】
上記目的を達成するために、本発明に係るプラズマディスプレイ装置は、走査電極と維持電極とから構成された複数の表示電極対と複数のデータ電極とを備え、前記表示電極対と前記データ電極とが交差する位置のそれぞれに放電セルを構成したプラズマディスプレイパネルと、前記プラズマディスプレイパネルを駆動する駆動回路を備えたプラズマディスプレイ装置であって、前記駆動回路は、映像を構成する各フィールドは複数のサブフィールドを有し、各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、前記維持期間が前記壁電圧調整期間よりも短い場合には、前記プラズマディスプレイパネルの全ての前記表示電極対に対して前記維持期間と前記壁電圧調整期間とを行う第２の駆動モードを選択する。【００３４】
この構成により、高精細度プラズマディスプレイパネルであっても十分なサブフィールド数を確保することができ、かつ表示電極対グループ間の境界となる表示領域付近での輝度差の発生を抑制することができる。【００３５】
上記のプラズマディスプレイ装置において、前記第１の駆動モードまたは前記第２の駆動モードを選択することよりも優先して、前記サブフィールド毎の前記維持期間の長さの情報に基づいて前記複数のサブフィールドの中の少なくともいずれかに対して前記第２の駆動モードを設定する、としてもよい。【００３６】
上記のプラズマディスプレイ装置において、前記複数のサブフィールドの中で前記維持期間が最も長いサブフィールドに対して前記第２の駆動モードを設定する、としてもよい。【００３７】
上記のプラズマディスプレイ装置において、前記複数のサブフィールドの中で前記維持期間が２番目に長いサブフィールドに対して前記第２の駆動モードを設定する、としてもよい。【００３８】
上記のプラズマディスプレイ装置において、前記第１の駆動モードまたは前記第２の駆動モードを選択することよりも優先して、前記サブフィールド毎の維持放電させる放電セル数の情報に基づいて前記複数のサブフィールドの中の少なくともいずれかに対して前記第２の駆動モードを設定する、としてもよい。【００３９】
上記のプラズマディスプレイ装置において、前記複数のサブフィールドの中で維持放電させる放電セルの数が最も多いサブフィールドに対して前記第２の駆動モードを設定する、としてもよい。【００４０】
上記のプラズマディスプレイ装置において、前記複数のサブフィールドの中で前記維持期間において維持放電させる前記放電セルの数が２番目に多いサブフィールドに対して前記第２の駆動モードを設定する、としてもよい。【００４１】
上記のプラズマディスプレイ装置において、前記第１の駆動モードまたは前記第２の駆動モードを選択することよりも優先して、すべての前記放電セルを初期化放電させる初期化期間の直後のサブフィールド対して前記第２の駆動モードを設定する、としてもよい。【００４２】
上記目的を達成するために、その他の本発明に係るプラズマディスプレイ装置は、走査電極と維持電極とから構成された複数の表示電極対と複数のデータ電極とを備え、前記表示電極対と前記データ電極とが交差する位置のそれぞれに放電セルを構成したプラズマディスプレイパネルと、前記複数の走査電極を駆動する走査電極駆動回路と、前記複数の維持電極を駆動する維持電極駆動回路と、前記複数のデータ電極を駆動するデータ電極駆動回路と、画像信号および同期信号に基づいて前記画像処理信号回路と前記走査電極駆動回路と前記維持電極駆動回路と前記データ電極駆動回路とにタイミング信号を出力するタイミング発生回路と、を有し、映像を構成する各フィールドは複数のサブフィールドを有し、  各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、前記タイミング発生回路は、前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、前記維持期間が前記壁電圧調整期間よりも短い場合には、前記プラズマディスプレイパネルの全ての前記表示電極対に対して前記維持期間と前記壁電圧調整期間とを行う第２の駆動モードを選択する。
【発明の効果】
【００４３】
本発明によれば、高精細度プラズマディスプレイパネルであっても十分なサブフィールド数を確保することができ、かつ表示電極対グループ間の境界となる表示領域付近での輝度差の発生しにくいプラズマディスプレイパネルの駆動方法、およびその駆動方法を備えたプラズマディスプレイ装置を提供することが可能となる。
【図面の簡単な説明】
【００４４】
【図１】本発明の実施の形態１におけるプラズマディスプレイ装置のプラズマディスプレイパネルの分解斜視図である。
【図２】同プラズマディスプレイ装置のプラズマディスプレイパネルの電極配列図である。
【図３】同プラズマディスプレイ装置のサブフィールド構成の設定方法を説明するための図である。
【図４】同プラズマディスプレイ装置のプラズマディスプレイパネルの各電極に印加する駆動電圧波形を示す図である。
【図５】同プラズマディスプレイ装置の回路ブロック図である。
【図６】同プラズマディスプレイ装置の走査電極駆動回路の回路図である。
【図７】同プラズマディスプレイ装置の維持電極駆動回路の回路図である。
【図８】同プラズマディスプレイ装置の走査電極駆動回路の動作を説明する図である。
【図９】同プラズマディスプレイ装置の維持電極駆動回路の動作を説明する図である。
【図１０】本発明の実施の形態１におけるプラズマディスプレイパネルの駆動方法を説明するための図である。
【図１１】本発明の実施の形態２におけるプラズマディスプレイ装置のサブフィールド構成の設定方法を説明するための図である。
【図１２】本発明の実施の形態３におけるプラズマディスプレイ装置のサブフィールド構成の設定方法を説明するための図である。
【図１３】本発明の実施の形態４におけるプラズマディスプレイ装置のサブフィールド構成の設定方法を説明するための図である。
【発明を実施するための形態】
【００４５】
以下、本発明の実施の形態におけるプラズマディスプレイパネル（以下、「プラズマディスプレイパネル」と略記する）の駆動方法およびプラズマディスプレイ装置について、図面を用いて説明する。
【００４６】
（実施の形態１）
[プラズマディスプレイパネル１０の構成]
図１は、本発明の実施の形態１におけるプラズマディスプレイ装置のプラズマディスプレイパネル１０の分解斜視図である。ガラス製の前面基板２１上には、走査電極２２と維持電極２３とで構成された表示電極対２４が、複数形成されている。また、前面基板２１上には、表示電極対２４を覆うように、誘電体層２５と保護層２６とが順に積層されている。
【００４７】
背面基板３１上にはデータ電極３２が互いに平行になるように複数形成されている。また、背面基板３１上には、データ電極３２を覆うように誘電体層３３が形成され、さらにその上には、格子状の隔壁３４が形成されている。そして、誘電体層３３の上面と隔壁３４の側面とからなる空間には、赤色、緑色および青色を発光可能とする蛍光体層３５が設けられている。
【００４８】
上記のように形成された前面基板２１と背面基板３１とは、表示電極対２４とデータ電極３２とが立体交差する（以下、「交差する」と略記する場合がある）ように、微小な放電空間を挟んで対向配置される。前面基板２１と背面基板３１との外周部は、ガラスフリット等の封着材によって封着されている。前面基板２１と背面基板３１と内部の放電空間には、例えば、ネオン、アルゴン、キセノンといった希ガスあるいはそれらの混合ガスが、放電ガスとして封入されている。また、内部の放電空間は隔壁３４によって複数の区画に仕切られている。このように、本実施の形態１に係るプラズマディスプレイパネル１０が構成され、表示電極対２４とデータ電極３２とが交差する部分に放電セルが形成される。各放電セル内においては、ガス放電により発生させた紫外線で各蛍光体を励起発光させて、カラー表示が行われる。なお、プラズマディスプレイパネル１０の構造は上述したものに限られることはなく、例えば、ストライプ状の隔壁３４を備えたものであってもよい。
【００４９】
図２は、本発明の実施の形態１におけるプラズマディスプレイパネル１０の電極配列図である。プラズマディスプレイパネル１０には、ｎ本の走査電極ＳＣ１〜ＳＣｎ（図１に示す走査電極２２）およびｎ本の維持電極ＳＵ１〜ＳＵｎ（図１に示す維持電極２３）が行方向に配列されており、ｍ本のデータ電極Ｄ１〜Ｄｍ（図１に示すデータ電極３２）が列方向に配列されている。そして、１対の走査電極ＳＣｉ（ｉ＝１〜ｎ）および維持電極ＳＵｉ（ｉ＝１〜ｎ）と１つのデータ電極Ｄｊ（ｊ＝１〜ｍ）とが交差した部分に放電セルが形成されている。つまり、放電セルは、放電空間内においてｍ×ｎ個形成されている。表示電極対の数について特に制限はないが、本実施の形態１においては、ｎ＝２１６０として説明する。
【００５０】
走査電極ＳＣ１〜ＳＣ２１６０および維持電極ＳＵ１〜ＳＵ２１６０からなる２１６０対の表示電極対（図１に示す表示電極対２４）は、複数の表示電極対グループに分けられている。本実施の形態１においては、図２に示すように、プラズマディスプレイパネル１０を上下２分割して、プラズマディスプレイパネル１０の上半分に位置する表示電極対（維持電極ＳＵ１〜ＳＵ１０８０および走査電極ＳＣ１〜ＳＣ１０８０）を第１の表示電極対グループとし、プラズマディスプレイパネル１０の下半分に位置する表示電極対（維持電極ＳＵ１０８１〜ＳＵ２１６０および走査電極ＳＣ１０８１〜ＳＣ２１６０）を第２の表示電極対グループとする。なお、表示電極対グループの数Ｎの決め方については後述する。
【００５１】
[プラズマディスプレイパネル１０の駆動方法]
つぎに、プラズマディスプレイパネル１０を駆動するための駆動方法について説明する。本実施の形態１においては、初期化期間を除き、全ての表示電極対グループの間で書込み動作が連続して行われるように、走査パルス電圧および書込みパルス電圧のタイミングが設定されている。その結果、映像（画像）を構成する各１フィールド期間内に最大限の数のサブフィールドを設定することができる。以下、その詳細について例を挙げて説明する。
【００５２】
図３は、本発明の実施の形態１におけるプラズマディスプレイ装置のサブフィールド構成の設定方法を説明するための図である。図３（ａ）〜図３（ｄ）における縦軸は走査電極ＳＣ１〜ＳＣ２１６０を示し、横軸は時間を示している。また、書込み動作を行うタイミングを実線で示し、維持期間および後述する消去期間のタイミングはハッチングで示している。なお、以下の説明では、１フィールド期間の時間を１６．７ｍｓとした。
【００５３】
まず、図３（ａ）に示すように、１フィールド期間の最初において、プラズマディスプレイパネル１０の全ての放電セルにおいて一斉に初期化放電を発生させる初期化期間Ｔ０に要する時間を設定する。本実施の形態１においては、初期化期間Ｔ０に要する時間を５００μｓ（０．５ｍｓ）と設定した。
【００５４】
つぎに、図３（ｂ）に示すように、走査電極ＳＣ１〜ＳＣ２１６０に走査パルス電圧を順次印加するために要する時間Ｔｗを見積もる。このとき、走査電極ＳＣ１〜ＳＣ２１６０に対して書込み動作が連続して行われるように、走査パルス電圧を可能な限り短くかつ可能な限り連続して印加することが望ましい。本実施の形態１においては、走査電極１本あたりの書込み動作に要する時間Ｔｗｏを０．７μｓとした。走査電極の数が２１６０本であるため、全ての走査電極ＳＣ１〜ＳＣ２１６０で書込み動作が１回行われるために必要な時間Ｔｗは、０．７×２１６０＝１５１２μｓ（約１．５ｍｓ）である。
【００５５】
つぎに、１フィールド内のサブフィールド数を見積もる。ここでは消去期間に要する時間を無視するものとして、１フィールド期間の時間（１６．７ｍｓ）から初期化期間Ｔ０の時間（０．５ｍｓ）を引いて、全ての走査電極ＳＣ１〜ＳＣ２１６０に対して書込み動作が１回行われるために必要な時間（約１．５ｍｓ）で割ると、（１６．７−０．５）／１．５＝１０．８となる。従って、この場合、図３（ｃ）に示すように、１フィールド内で最大１０のサブフィールド（ＳＦ１、ＳＦ２、・・・、ＳＦ１０）を確保できることがわかる。
【００５６】
つぎに、表示電極対２４より分割される表示電極対グループの数Ｎを決める。具体的には、本実施の形態１において、サブフィールドＳＦ１〜ＳＦ１０に「１Ｔ」、「２Ｔ」、「３Ｔ」、「４Ｔ」、「６Ｔ」、「１１Ｔ」、「１８Ｔ」、「３０Ｔ」、「４４Ｔ」、「６０Ｔ」の維持パルス電圧（但し、１Ｔは維持パルス電圧の１周期を表す）が順に印加されるものとし、また維持パルス電圧の１周期である１Ｔを１０μｓとする。すると、維持パルス電圧を印加するために要する最大の時間Ｔｓは、１０×６０＝６００μｓである。ここで、表示電極対グループの数Ｎは、全ての走査電極で書込み動作が１回行われるために必要な時間Ｔｗと、維持パルス電圧が印加されるために要する最大の時間Ｔｓとを用いた以下の数式にもとづいて求められる。
【００５７】
Ｎ≧Ｔｗ／（Ｔｗ−Ｔｓ）・・・（式１）
本実施の形態１においては、Ｔｗ＝１５１２μｓ、Ｔｓ＝６００μｓであるので、上式の右式に当てはめると、１５１２／（１５１２−６００）＝１．６６となり、表示電極対グループの数Ｎ＝２となる。そこで、本実施の形態１では、図２に示したように、プラズマディスプレイパネル１０の表示電極対が上下２分割されて、第１の表示電極対グループと第２の表示電極対グループとに分けられている。
【００５８】
なお、２つの表示電極対グループを、プラズマディスプレイパネル１０の表示電極対の奇数番目と偶数番目とでインターレス分割することで構成してもよい。すなわち、走査電極ＳＣ１、ＳＣ３、・・・ＳＣ２１５９および維持電極ＳＵ１、ＳＵ３、・・・ＳＵ２１５９を第１の表示電極対グループとし、走査電極ＳＣ２、ＳＣ４、・・・ＳＣ２１６０および維持電極ＳＵ２、ＳＵ４、・・・ＳＵ２１６０を第２の表示電極対グループとしてもよい（図示せず）。インターレス分割を採用することにより、表示電極対グループ毎の輝度差がより緩和され、プラズマディスプレイパネル１０の画質が向上することになる。
【００５９】
図３（ｄ）に示すように、各表示電極対グループに属する走査電極の書込み後に、維持パルス電圧を印加する維持期間が設けられる。なお、各サブフィールドの維持期間が終了した後に続いて消去期間が設けられるが、図３（ｄ）では、図面作成の便宜上、維持期間と消去期間の両方とも右上から左下への斜線のハッチングで示している。
＜プラズマディスプレイパネル１０の駆動電圧波形＞
つぎに、駆動電圧波形の詳細とその駆動電圧波形を生成する際の動作について説明する。
【００６０】
図４は、本発明の実施の形態１におけるプラズマディスプレイパネル１０の各電極に印加される駆動電圧波形を示す図である。１フィールドの最初に全ての放電セルで初期化放電を発生させる初期化期間Ｔ０が設けられている。さらに、各表示電極対グループにおいて、各サブフィールドは、書込み期間、維持期間、消去期間、および休止期間を有する。なお、図４には、説明の便宜上、第１の表示電極対グループにおいては、初期化期間Ｔ０、サブフィールドＳＦ１〜ＳＦ２の全期間およびサブフィールドＳＦ３の書込み期間、第２の表示電極対グループにおいては、初期化期間Ｔ０およびサブフィールドＳＦ１〜ＳＦ２の全期間が示されている。
【００６１】
書込み期間は、表示する画像に応じて選択的に書込み放電を発生させて各電極上につぎの維持放電に必要な壁電圧（壁電荷）を形成する期間である。維持期間は、輝度重みに応じた時間だけ維持放電を発生させる期間である。消去期間は、消去放電を発生させて不要な壁電圧（壁電荷）を消去する期間である。休止期間は、あるサブフィールドの消去期間とつぎのサブフィールドの書込み期間との間で放電を発生させずかつ壁電荷の減少を抑制するために設けられる期間である。
【００６２】
消去期間と休止期間との機能（役割）を考察すると、これらの期間はあるサブフィールドの維持期間とつぎのサブフィールドの書込み期間との間において、つぎの書込み動作に備えて（つぎの書込み動作が適切に行えるように）壁電圧（壁電荷）を調整する期間である、とみなすことができる。そこで、本発明では、あるサブフィールドの維持期間とつぎのサブフィールドの書込み期間との間の期間を「壁電圧調整期間」と定義する。図４に示す例では、消去期間と休止期間とが壁電圧調整期間に相当する。なお、壁電圧調整期間としては、休止期間を設けずに消去期間のみで構成されてもよい。
【００６３】
まず、第１の表示電極対グループと第２の表示電極対グループとの間で共通の期間として設定される初期化期間Ｔ０について説明する。
【００６４】
初期化期間Ｔ０では、データ電極Ｄ１〜Ｄｍ、維持電極ＳＵ１〜ＳＵ２１６０にそれぞれ電圧０（Ｖ）が印加され、走査電極ＳＣ１〜ＳＣ２１６０には電圧Ｖｉ１から電圧Ｖｉ２に向かって緩やかに上昇する傾斜波形電圧が印加される。この傾斜波形電圧が上昇する間に、走査電極ＳＣ１〜ＳＣ２１６０と維持電極ＳＵ１〜ＳＵ２１６０との間、および、走査電極ＳＣ１〜ＳＣ２１６０とデータ電極Ｄ１〜Ｄｍとの間で、それぞれ微弱な初期化放電が発生する。これにより、走査電極ＳＣ１〜ＳＣ２１６０上には負の壁電圧が蓄積されるとともに、データ電極Ｄ１〜Ｄｍ上および維持電極ＳＵ１〜ＳＵ２１６０上には正の壁電圧が蓄積される。ここで、電極上の壁電圧とは電極を覆う誘電体層上、保護層上、蛍光体層上等に蓄積された壁電荷により生じる電圧を表す。なお、この期間はデータ電極Ｄ１〜Ｄｍに電圧Ｖｄが印加されてもよい。
【００６５】
つぎに、維持電極ＳＵ１〜ＳＵ２１６０に正の一定電圧Ｖｅ１が印加され、走査電極ＳＣ１〜ＳＣ２１６０には電圧Ｖｉ３から電圧Ｖｉ４に向かって緩やかに下降する傾斜波形電圧が印加される。この間に、走査電極ＳＣ１〜ＳＣ２１６０と維持電極ＳＵ１〜ＳＵ２１６０およびデータ電極Ｄ１〜Ｄｍとの間でそれぞれ微弱な初期化放電が発生する。これにより、走査電極ＳＣ１〜ＳＣ２１６０上の負の壁電圧および維持電極ＳＵ１〜ＳＵ２１６０上の正の壁電圧が弱められるとともに、データ電極Ｄ１〜Ｄｍ上の正の壁電圧は書込み動作に適した値に調整される。
【００６６】
その後、走査電極ＳＣ１〜ＳＣ２１６０に電圧Ｖｃが印加されて、全ての放電セルに対して初期化放電を行う初期化動作が終了する。
【００６７】
つぎに、第１の表示電極対グループに対するサブフィールドＳＦ１の書込み期間と、その書込み期間と同一の期間として設定される第２の表示電極対グループに対するサブフィールドＳＦ１の休止期間と、について説明する。
【００６８】
第１の表示電極対グループに対するサブフィールドＳＦ１の書込み期間では、シングルスキャン方式に従って、以下のように第１の表示電極対グループの１ライン目から１０８０ライン目に向けて順次書込みが行われるものとする。
【００６９】
維持電極ＳＵ１〜ＳＵ１０８０に正の一定電圧Ｖｅ２が印加される。そして１ライン目の走査電極ＳＣ１に負の電圧Ｖａを持つ走査パルス電圧が印加されるとともに、１ライン目に発光させるべき放電セルに対応するデータ電極Ｄｋ（ｋ＝１〜ｍの少なくともいずれか）に正の電圧Ｖｄを持つ書込みパルス電圧が印加される。すると、データ電極Ｄｋ上と走査電極ＳＣ１上との交差部の電圧差は、外部印加電圧の差（書込みパルス電圧Ｖｄ−走査パルス電圧Ｖａ）にデータ電極Ｄｋ上の壁電圧と走査電極ＳＣ１上の壁電圧の差とが加算されたものとなり、放電開始電圧を超えるようになる。これにより、データ電極Ｄｋと走査電極ＳＣ１との間で放電が開始され、維持電極ＳＵ１と走査電極ＳＣ１との間の放電へと進展して、これにより書込み放電が発生する。その結果、走査電極ＳＣ１上に正の壁電圧が蓄積され、維持電極ＳＵ１上に負の壁電圧が蓄積され、データ電極Ｄｋ上にも負の壁電圧が蓄積される。
【００７０】
このようにして、１ライン目に発光させるべき放電セルで書込み放電を発生して各電極上に壁電圧を蓄積する書込み動作が行われる。一方、書込みパルス電圧Ｖｄが印加されなかったデータ電極Ｄｋと走査電極ＳＣ１との交差部の電圧は、放電開始電圧を超えることはないので、書込み放電を発生させない。
【００７１】
つぎに、２ライン目の走査電極ＳＣ２に走査パルス電圧Ｖａが印加されるとともに、２ライン目に発光させるべき放電セルに対応するデータ電極Ｄｋに書込みパルス電圧Ｖｄが印加される。すると走査パルス電圧Ｖａと書込みパルス電圧Ｖｄとが同時に印加された２ライン目の放電セルでは書込み放電が発生し、これにより書込み動作が行われる。
【００７２】
以上の書込み動作が第１の表示電極対グループが属する１０８０ライン目の放電セルに至るまで繰り返され、第１の表示電極対グループの各ライン毎に発光させるべき放電セルに対して選択的に書込み放電を発生させて壁電荷を形成させる。
【００７３】
第１の表示電極対グループの書込み期間の間、第２の表示電極対グループに属する走査電極ＳＣ１０８１〜ＳＣ２１６０に、第１の表示電極対グループに属する走査電極ＳＣ１〜ＳＣ１０８０に印加される電圧Ｖｃよりも高い電圧Ｖｂが印加される。これにより、第２の表示電極対グループでは、放電が発生しない休止期間が設定される。このように休止期間においては、放電が発生しない範囲内で、走査電極ＳＣ１０８１〜ＳＣ２１６０ができるだけ高電位に保持される。この結果、壁電荷の減少を抑制することができ、続く書込み期間において安定した書込み動作が行われることができる。ただし、第２の表示電極対グループに属する各電極に印加される電圧は、上記に限定されるものではなく、放電を発生しない範囲内で他の電圧が印加されてもよい。
【００７４】
つぎに、第２の表示電極対グループに対するサブフィールドＳＦ１の書込み期間と、この書込み期間に含まれる期間として設定される第１の表示電極対グループに対するサブフィールドＳＦ１の維持期間、消去期間、および休止期間について説明する。
【００７５】
第２の表示電極対グループに対するサブフィールドＳＦ１の書込み期間では、シングルスキャン方式に従って、以下のように第２の表示電極対グループの１０８１ライン目から２１６０ライン目に向けて順次書込みが行われるものとする。
【００７６】
維持電極ＳＵ１０８１〜ＳＵ２１６０に正の一定電圧Ｖｅ２が印加される。そして１０８１ライン目の走査電極ＳＣ１０８１に走査パルス電圧Ｖａが印加されるとともに、１０８１ライン目に発光させるべき放電セルに対応するデータ電極Ｄｋ（ｋ＝１〜ｍの少なくともいずれか）に書込みパルス電圧Ｖｄが印加される。すると、データ電極Ｄｋと走査電極ＳＣ１０８１との間、および維持電極ＳＵ１０８１と走査電極ＳＣ１０８１との間で、書込み放電が発生する。
【００７７】
１０８２ライン目の走査電極ＳＣ１０８２に走査パルス電圧Ｖａが印加されるとともに、１０８２ライン目に発光させるべき放電セルに対応するデータ電極Ｄｋ（ｋ＝１〜ｍの少なくともいずれか）に書込みパルス電圧Ｖｄが印加される。すると走査パルス電圧Ｖａと書込みパルス電圧Ｖｄとが同時に印加された１０８２行目の放電セルで書込み放電が発生する。
【００７８】
以上の書込み動作が２１６０ライン目の放電セルに至るまで繰り返され、第２の表示電極対グループの各ライン毎に発光させるべき放電セルに対して選択的に書込み放電を発生させて壁電荷を形成させる。
【００７９】
第２の表示電極対グループの書込み期間の間、第１の表示電極対グループのサブフィールドＳＦ１において維持期間が最初に設定される。つまり、第１の表示電極対グループに属する走査電極ＳＣ１〜ＳＣ１０８０および維持電極ＳＵ１〜ＳＵ１０８０に「１Ｔ」の維持パルス電圧Ｖｓが交互に印加され、書込み放電を行った放電セルを発光させている。
【００８０】
具体的には、走査電極ＳＣ１〜ＳＣ１０８０に正の電圧Ｖｓの維持パルス電圧が印加されるとともに維持電極ＳＵ１〜ＳＵ１０８０に電圧０（Ｖ）が印加される。すると書込み放電を発生させた放電セルでは、走査電極ＳＣｉ（ｉ＝１〜１０８０のいずれか）と維持電極ＳＵｉ（ｉ＝１〜１０８０のいずれか）との電圧差が、維持パルス電圧Ｖｓに走査電極ＳＣｉ上の壁電圧と維持電極ＳＵｉ上の壁電圧との差を加算したものとなり、放電開始電圧を超えるようになる。これにより、走査電極ＳＣｉと維持電極ＳＵｉとの間で維持放電が発生し、放電ガスを励起することになる。また、この励起された放電ガスが安定状態に遷移する時に発生する紫外線によって、蛍光体層３５が発光する。その結果、走査電極ＳＣｉ上には、負の壁電圧が蓄積され、維持電極ＳＵｉ上には、正の壁電圧が蓄積される。
【００８１】
一方、書込み期間において書込み放電を発生させなかった放電セルでは維持放電は発生せず、初期化期間の終了時における壁電圧が保たれる。
【００８２】
つぎに、走査電極ＳＣ１〜ＳＣ１０８０には電圧０（Ｖ）が印加され、維持電極ＳＵ１〜ＳＵ１０８０には維持パルス電圧Ｖｓが印加される。すると、維持放電を発生した放電セルでは、維持電極ＳＵｉ上と走査電極ＳＣｉ上との電圧差が放電開始電圧を超えるので再び維持放電が発生する。その結果、維持電極ＳＵｉ上に負の壁電圧が蓄積され、走査電極ＳＣｉ上に正の壁電圧が蓄積される。
【００８３】
以降同様に、走査電極ＳＣ１〜ＳＣ１０８０と維持電極ＳＵ１〜ＳＵ１０８０とに交互に維持パルス電圧Ｖｓが印加され、表示電極対の電極間に電位差を与えることにより、書込み期間において書込み放電を発生した放電セルで維持放電が継続して行われる。
【００８４】
ここで、走査電極ＳＣ１〜ＳＣ１０８０と維持電極ＳＵ１〜ＳＵ１０８０とに交互に印加される維持パルス電圧Ｖｓは、走査電極ＳＣ１〜ＳＣ１０８０および維持電極ＳＵ１〜ＳＵ１０８０が同時に高電位となるタイミングを有する。すなわち、走査電極ＳＣ１〜ＳＣ１０８０に正の維持パルス電圧Ｖｓが印加されるとともに維持電極ＳＵ１〜ＳＵ１０８０に電圧０（Ｖ）が印加される場合、まず走査電極ＳＣ１〜ＳＣ１０８０の電圧を電圧０（Ｖ）から維持パルス電圧Ｖｓに向かって上昇させた後、維持電極ＳＵ１〜ＳＵ１０８０の電圧を維持パルス電圧Ｖｓから電圧０（Ｖ）に向かって降下させる。また走査電極ＳＣ１〜ＳＣ１０８０に電圧０（Ｖ）が印加されるとともに、維持電極ＳＵ１〜ＳＵ１０８０に正の維持パルス電圧Ｖｓが印加される場合、まず維持電極ＳＵ１〜ＳＵ１０８０の電圧を電圧０（Ｖ）から維持パルス電圧Ｖｓに向かって上昇させた後、走査電極ＳＣ１〜ＳＣ１０８０の電圧を維持パルス電圧Ｖｓから電圧０（Ｖ）に向かって降下させる。
【００８５】
このように、走査電極ＳＣ１〜ＳＣ１０８０および維持電極ＳＵ１〜ＳＵ１０８０が同時に高電位となるタイミングが存在するように、維持パルス電圧Ｖｓが走査電極ＳＣ１〜ＳＣ１０８０と維持電極ＳＵ１〜ＳＵ１０８０とに交互に印加される。この結果、データ電極に印加される書込みパルス電圧Ｖｄの影響を受けることなく安定した維持放電を継続させることができる。以下にその理由について説明する。
【００８６】
走査電極ＳＣ１〜ＳＣ１０８０に電圧０（Ｖ）を印加させるとともに維持電極ＳＵ１〜ＳＵ１０８０に維持パルス電圧Ｖｓを印加させる際、走査電極ＳＣ１〜ＳＣ１０８０の電圧を維持パルス電圧Ｖｓから電圧０（Ｖ）に向かって降下させた後に、維持電極ＳＵ１〜ＳＵ１０８０の電圧を電圧０（Ｖ）から維持パルス電圧Ｖｓに向かって上昇させたものとする。すると、データ電極Ｄｋに書込みパルス電圧Ｖｄが印加される場合、走査電極ＳＣ１〜ＳＣ１０８０の電圧が降下した時点で、走査電極ＳＣ１〜ＳＣ１０８０とデータ電極Ｄｋとの間で放電が発生し、維持放電の継続に必要な壁電荷が減少する可能性がある。
【００８７】
また走査電極ＳＣ１〜ＳＣ１０８０に維持パルス電圧Ｖｓを印加させるとともに維持電極ＳＵ１〜ＳＵ１０８０に電圧０（Ｖ）を印加させる際に、維持電極ＳＵ１〜ＳＵ１０８０の電圧を維持パルス電圧Ｖｓから電圧０（Ｖ）に向かって降下させた後に、走査電極ＳＣ１〜ＳＣ１０８０の電圧を電圧０（Ｖ）から維持パルス電圧Ｖｓに向かって上昇させたものとする。すると、データ電極Ｄｋに書込みパルス電圧Ｖｄが印加される場合、維持電極ＳＵ１〜ＳＵ１０８０の電圧が降下した時点で、維持電極ＳＵ１〜ＳＵ１０８０とデータ電極Ｄｋとの間で放電が発生し、維持放電の継続に必要な壁電荷が減少する可能性がある。
【００８８】
このように、第１の表示電極対グループを構成する走査電極ＳＣ１〜ＳＣ１０８０または維持電極ＳＵ１〜ＳＵ１０８０の一方の電極の電圧が維持パルス電圧Ｖｓから電圧０（Ｖ）に向けて降下した時点で放電が発生して壁電荷が減少した場合、その後に他方の電極の電圧を電圧０（Ｖ）から維持パルス電圧Ｖｓに向けて上昇させても、維持放電が発生しない、あるいは弱い維持放電となり、十分な壁電荷が蓄積されない。このため、維持放電を継続して発生できなくなるおそれがある。
【００８９】
しかしながら、本実施の形態１においては、第１の表示電極対グループを構成する走査電極ＳＣ１〜ＳＣ１０８０または維持電極ＳＵ１〜ＳＵ１０８０の一方の電極の電圧を電圧０（Ｖ）から維持パルス電圧Ｖｓに向けて上昇させた後に、他方の電極の電圧を維持パルス電圧Ｖｓから電圧０（Ｖ）に向けて降下させる。これにより、データ電極Ｄｋに書込みパルス電圧Ｖｄが印加されても、一方の電極とデータ電極Ｄｋとの間で先行して放電が発生するおそれがない。そのため、本実施の形態１では、書込みパルス電圧Ｖｄの有無に関わらずに維持放電を安定して継続できる。
【００９０】
そして、第１の表示電極対グループにおけるサブフィールドＳＦ１の維持期間の後に、消去期間が設けられている。この消去期間では、走査電極ＳＣ１〜ＳＣ１０８０に電圧Ｖｒに向かって上昇する傾斜波形電圧が印加された後、電圧０（Ｖ）が印加される。また、その後、維持電極ＳＵ１〜ＳＵ１０８０に一定電圧Ｖｅ１が印加された後、走査電極ＳＣ１〜ＳＣ１０８０に電圧Ｖｉ４に向かって降下する傾斜波形電圧が印加される。このように、データ電極Ｄｋ上の正の壁電圧を残したまま、走査電極ＳＣｉおよび維持電極ＳＵｉ上の壁電圧を消去している。
【００９１】
上記の壁電圧の消去動作が行われるためには、ある程度の時間が必要である。また、上記の消去期間では、壁電圧が消去される期間というだけでなく、つぎの書込み期間の書込み動作に備えてデータ電極上の壁電圧が調整される期間でもある。このため、データ電極Ｄｋの電圧を固定しておくことが望ましい。そのため、本実施の形態１では、第１の表示電極対グループおよび第２の表示電極対グループのうち一方の表示電極対グループの消去期間において、他方の表示電極対グループの書込み動作が停止されるようにしている。
【００９２】
第１の表示電極対グループの消去期間の後、第１の表示電極対グループに属する走査電極ＳＣ１〜ＳＣ１０８０に、第２の表示電極対グループに属する走査電極ＳＣ１０８１〜ＳＣ２１６０に印加される電圧Ｖｃよりも高い電圧Ｖｂが印加される。これにより、第１の表示電極対グループでは、放電が発生しない休止期間が設定される。このように、休止期間では、放電が発生しない範囲内で、走査電極ＳＣ１〜ＳＣ１０８０ができるだけ高電位に保持される。この結果、壁電荷の減少を抑制することができ、続くサブフィールドＳＦ２の書込み期間において安定した書込み動作を行うことができる。
【００９３】
つぎに第１の表示電極対グループに対するサブフィールドＳＦ２の書込み期間と、この書込み期間に含まれる期間として設定される第２の表示電極対グループに対するサブフィールドＳＦ１の維持期間、消去期間、および休止期間について説明する。
【００９４】
第１の表示電極対グループに対するサブフィールドＳＦ２の書込み期間では、まず維持電極ＳＵ１〜ＳＵ１０８０に一定電圧Ｖｅ２が印加される。そして走査電極ＳＣ１〜ＳＣ１０８０には、ＳＦ１の書込み期間と同様に走査パルス電圧Ｖａが順次印加されるとともに、データ電極Ｄｋに書込みパルス電圧Ｖｄが印加されることで、１ライン目〜１０８０ライン目の放電セルで書込み動作が行われる。
【００９５】
第１の表示電極対グループに対するサブフィールドＳＦ２の書込み期間の間、第２の表示電極対グループに対してサブフィールドＳＦ１の維持期間が設定される。すなわち、走査電極ＳＣ１０８１〜ＳＣ２１６０および維持電極ＳＵ１０８１〜ＳＵ２１６０には「１Ｔ」の維持パルス電圧Ｖｓが交互に印加されて、書込み放電を行った放電セルが発光される。なお、走査電極ＳＣ１０８１〜ＳＣ２１６０または維持電極ＳＵ１０８１〜ＳＵ２１６０に対し交互に印加される維持パルス電圧Ｖｓは、走査電極ＳＣ１０８１〜ＳＣ２１６０および維持電極ＳＵ１０８１〜ＳＵ２１６０が同時に高電位となるタイミングを有する。
【００９６】
第２の表示電極対グループに対するサブフィールドＳＦ１の維持期間の後に、消去期間が設定される。この消去期間では、走査電極ＳＣ１０８１〜ＳＣ２１６０に電圧０（Ｖ）から電圧Ｖｒに向かって上昇する傾斜波形電圧が印加され、その後０（Ｖ）が印加される。また、その後、維持電極ＳＵ１０８１〜ＳＵ２１６０に一定電圧Ｖｅ１が印加された後、走査電極ＳＣ１０８１〜ＳＣ２１６０に電圧Ｖｉ４に向かって降下する傾斜波形電圧が印加される。このように、データ電極Ｄｋ上の正の壁電圧を残したまま、走査電極ＳＣｉおよび維持電極ＳＵｉ上の壁電圧を消去している。
【００９７】
第２の表示電極対グループに対するサブフィールドＳＦ１の消去期間の後に、放電が発生しない休止期間が設定される。この休止期間では、走査電極ＳＣ１０８１〜ＳＣ２１６０には電圧Ｖｃよりも高い電圧Ｖｂが印加される。この休止期間は、第１の表示電極対グループの書込み期間が終了するまで継続する。
【００９８】
以降同様に、第２の表示電極対グループに対するサブフィールドＳＦ２の書込み期間、第１の表示電極対グループに対するサブフィールドＳＦ３の書込み期間、・・・、第２の表示電極対グループに対するサブフィールドＳＦ１０の書込み期間と移行し、最後に第２の表示電極対グループに対するサブフィールドＳＦ１０の維持期間および消去期間が設定される。これにより、１フィールドが終了する。
【００９９】
このように、本実施の形態１においては、初期化期間Ｔ０の後に、第１の表示電極対グループと第２の表示電極対グループとの間で書込み動作が連続して行われるように、走査パルス電圧Ｖａおよび書込みパルス電圧Ｖｄのタイミングが設定されている。この結果、１フィールド期間内に含まれるサブフィールドの数を十分に確保することができ、本実施の形態１では、サブフィールドの数を１０としている。
【０１００】
なお、本実施の形態１においては、電圧Ｖｉ１は１５０（Ｖ）、電圧Ｖｉ２は４００（Ｖ）、電圧Ｖｉ３は２００（Ｖ）、電圧Ｖｉ４は−１５０（Ｖ）、電圧Ｖｃは−１０（Ｖ）、電圧Ｖｂは１５０（Ｖ）電圧Ｖａは−１６０（Ｖ）、電圧Ｖｓは２００（Ｖ）、電圧Ｖｒは２００（Ｖ）、電圧Ｖｅ１は１４０（Ｖ）、電圧Ｖｅ２は１５０（Ｖ）、および電圧Ｖｄは６０（Ｖ）である。また、走査電極ＳＣ１〜ＳＣ２１６０に印加する上り傾斜波形電圧のこう配は１０（Ｖ／μｓ）、下り傾斜波形電圧のこう配は−２（Ｖ／μｓ）である。しかしこれらの電圧値、こう配は上述した値に限定されるものではなく、プラズマディスプレイパネル１０の放電特性やプラズマディスプレイ装置の仕様に基づき最適に設定することが望ましい。
【０１０１】
[プラズマディスプレイ装置の駆動回路]
つぎに、本実施の形態１におけるプラズマディスプレイ装置の駆動回路について説明する。
【０１０２】
図５は、本発明の実施の形態１におけるプラズマディスプレイ装置４０の回路ブロック図である。プラズマディスプレイ装置４０は、プラズマディスプレイパネル１０、画像信号処理回路４１、データ電極駆動回路４２、走査電極駆動回路４３、維持電極駆動回路４４、駆動モード設定部４６を含むタイミング発生回路４５、および各回路ブロックに必要な電源を供給する電源回路（図示せず）を備えている。
【０１０３】
画像信号処理回路４１は、外部より入力された画像信号を、サブフィールド毎の発光または非発光を示す画像データに変換する。
【０１０４】
データ電極駆動回路４２は、ｍ本のデータ電極Ｄ１〜Ｄｍのそれぞれに書込みパルス電圧Ｖｄまたは電圧０（Ｖ）を印加するためのｍ個のスイッチを備えており、画像信号処理回路４１から出力された画像データを各データ電極Ｄ１〜Ｄｍに対応する書込みパルス電圧Ｖｄに変換し、各データ電極Ｄ１〜Ｄｍに印加する。
【０１０５】
タイミング発生回路４５は、同期信号（水平同期信号、垂直同期信号）、および画像信号処理回路４１からの点灯率情報に基づいて各回路４１、４２、４３、４４の動作を制御する各種のタイミング信号を発生し、それぞれの回路４１、４２、４３、４４へ供給する。具体的には、タイミング発生回路４５は、垂直同期信号から一定時間経過した時点でフィールド開始信号を生成し、このフィールド開始信号を起点に各サブフィールドの書込み期間、維持期間、および消去期間等の開始を指示するタイミング信号を生成する。さらに、タイミング発生回路４５は、各期間の開始を指示するタイミング信号を起点としてクロックをカウントすることにより、各回路４１、４２、４３、４４に、パルス発生のタイミングを指示するタイミング信号を生成して供給する。
【０１０６】
さらに、タイミング発生回路４５は、駆動モード設定部４６を備えている。駆動モード設定部４６は、１フィールドに含まれるサブフィールド毎に、あるサブフィールドにおいて表示電極対グループ毎に維持期間と消去期間とを設定する駆動モード（以下、「第１の駆動モード」という）、または表示電極対グループの間で維持期間と消去期間とを同期させて設定する駆動モード（以下、「第２の駆動モード」という）を選択する。尚、第１の駆動モードまたは第２の駆動モードの選択方法の詳細については後述する。タイミング発生回路４５は、駆動モード設定部４６により選択された第１の駆動モードまたは第２の駆動モードに基づいたタイミング信号を生成して出力する。なお、駆動モード設定部４６は、マイクロコンピュータやＦＰＧＡなどで実現することができる。
【０１０７】
走査電極駆動回路４３はタイミング発生回路４５から供給されるタイミング信号に基づいて、第１の表示電極対グループに属する走査電極ＳＣ１〜ＳＣ１０８０および第２の表示電極対グループに属する走査電極ＳＣ１０８１〜ＳＣ２１６０を駆動する。また、維持電極駆動回路４４は、タイミング発生回路４５から供給されるタイミング信号に基づいて、第１の表示電極対グループに属する維持電極ＳＵ１〜ＳＵ１０８０および第２の表示電極対グループに属する維持電極ＳＵ１０８１〜ＳＵ２１６０を駆動する。
【０１０８】
図６は、本発明の実施の形態１における、プラズマディスプレイ装置４０の走査電極駆動回路４３の回路図である。走査電極駆動回路４３は、走査電極側維持パルス発生回路５０（以下、単に「維持パルス発生回路５０」と略称する）、傾斜波形発生回路６０、第１の表示電極対グループ側走査パルス発生回路７０ａ（以下、単に「走査パルス発生回路７０ａ」と略称する）、第２の表示電極対グループ側走査パルス発生回路７０ｂ（以下、単に「走査パルス発生回路７０ｂ」と略称する）、第１の表示電極対グループ側走査電極側スイッチ回路７５ａ（以下、単に「スイッチ回路７５ａ」と略称する）、第２の表示電極対側走査電極側スイッチ回路７５ｂ（以下、単に「スイッチ回路７５ｂ」と略称する）を備えている。
【０１０９】
維持パルス発生回路５０は、電力回収部５１と電圧クランプ部５５とを有し、第１の表示電極対グループに属する走査電極ＳＣ１〜ＳＣ１０８０および／または第２の表示電極対グループに属する走査電極ＳＣ１０８１〜ＳＣ２１６０に印加させる維持パルス電圧Ｖｓを発生する。
【０１１０】
電力回収部５１は、電力回収用のコンデンサＣ５１、スイッチング素子Ｑ５１、Ｑ５２、逆流防止用のダイオードＤ５１、Ｄ５２、共振用のインダクタＬ５１、Ｌ５２を有しており、表示電極対間の電極間容量とインダクタＬ５１またはインダクタＬ５２とをＬＣ共振させて維持パルス電圧Ｖｓの立上りおよび立下りを形成する。維持パルス電圧Ｖｓの立上り形成時には、電力回収用のコンデンサＣ５１に蓄えられている電荷が、スイッチング素子Ｑ５１、ダイオードＤ５１およびインダクタＬ５１を介して電極間容量に移動される。維持パルス電圧Ｖｓの立下り形成時には、電極間容量に蓄えられた電荷が、インダクタＬ５２、ダイオードＤ５２およびスイッチング素子Ｑ５２を介して電力回収用のコンデンサＣ５１に移動される。このように、電力回収部５１は電源から電力を供給されることなくＬＣ共振によって維持パルス電圧Ｖｓの立上りおよび立下りを形成するため、理想的には消費電力が「０」となる。なお、電力回収用のコンデンサＣ５１は、電極間容量に比べて十分に大きい容量を持ち、電力回収部５１の電源として働くように、維持パルス電圧Ｖｓの半分の約Ｖｓ／２に充電されている。
【０１１１】
電圧クランプ部５５は、スイッチング素子Ｑ５５、Ｑ５６を有する。そしてスイッチング素子Ｑ５５をオンにすることにより、維持パルス発生回路５０の出力電圧（図６のノードＣの電圧）を維持パルス電圧Ｖｓにクランプする。また、スイッチング素子Ｑ５６をオンにすることにより、維持パルス発生回路５０の出力電圧を電圧０（Ｖ）にクランプする。
【０１１２】
維持パルス発生回路５０は、上記のように、スイッチング素子Ｑ５１、Ｑ５２、Ｑ５５、Ｑ５６を制御することによって、維持パルス電圧Ｖｓを発生する。なお、図６に示した例では、スイッチング素子Ｑ５１、Ｑ５２、Ｑ５５、Ｑ５６として、ＩＧＢＴが用いられているが、その他にＭＯＳＦＥＴ等が用いられてもよい。なお、スイッチング素子Ｑ５５、Ｑ５６としてＩＧＢＴが用いられる場合には、制御する電流の方向と逆の方向の電流経路を確保する必要がある。そのため、図６に示したように、スイッチング素子Ｑ５５と並列にダイオードＤ５５が接続され、スイッチング素子Ｑ５６と並列にダイオードＤ５６が接続されている。また、図６には示していないが、ＩＧＢＴを保護するためにスイッチング素子Ｑ５１およびスイッチング素子Ｑ５２のそれぞれに並列にダイオードが接続されてもよい。
【０１１３】
スイッチング素子Ｑ５９は分離スイッチであり、初期化期間においてノードＣの電圧がＶｉ２のように維持パルス電圧Ｖｓよりも上昇する際、ダイオードＤ５５を介して電流が後述する傾斜波形発生回路６０から維持パルス電圧Ｖｓに向かって逆流するのを防止するために設けられている。
【０１１４】
傾斜波形発生回路６０は、２つのミラー積分回路６１、６２を備えている。ミラー積分回路６１は、傾斜波形発生回路６０の出力電圧（図６中のノードＣの電圧）を電圧Ｖｔに向かって緩やかに上昇させる。またミラー積分回路６２は、傾斜波形発生回路６０の出力電圧を電圧Ｖｒに向かって緩やかに上昇させる。
【０１１５】
走査パルス発生回路７０ａは、電圧Ｖｐの電源Ｅ７１ａと、ミラー積分回路７１ａと、スイッチング素子Ｑ７１Ｈ１〜Ｑ７１Ｈ１０８０と、スイッチング素子Ｑ７１Ｌ１〜Ｑ７１Ｌ１０８０とを有する。ミラー積分回路７１ａは、電源Ｅ７１ａの低圧側の電圧（図６のノードＡの電圧）を電圧Ｖａに向かって緩やかに降下させる。また電源Ｅ７１ａの低圧側の電圧を電圧Ｖａにクランプする。スイッチング素子Ｑ７１Ｌ１〜Ｑ７１Ｌ１０８０は、対応する走査電極に電源Ｅ７１ａの低圧側の電圧を印加し、スイッチング素子Ｑ７１Ｈ１〜Ｑ７１Ｈ１０８０は、対応する走査電極に電源Ｅ７１ａの高圧側の電圧を印加する。
【０１１６】
走査パルス発生回路７０ｂは、走査パルス発生回路７０ａと同様の構成であり、電圧Ｖｐの電源Ｅ７１ｂと、ミラー積分回路７１ｂと、スイッチング素子Ｑ７１Ｈ１０８１〜Ｑ７１Ｈ２１６０と、スイッチング素子Ｑ７１Ｌ１０８１〜Ｑ７１Ｌ２１６０とを有する。そして第２の表示電極対グループに属する走査電極ＳＣ１０８１〜ＳＣ２１６０のそれぞれに電源Ｅ７１ｂの高圧側の電圧または低圧側の電圧が印加される。
【０１１７】
スイッチ回路７５ａは、スイッチング素子Ｑ７６ａを有し、維持パルス発生回路５０および傾斜波形発生回路６０と走査パルス発生回路７０ａとを電気的に接続または分離させる。スイッチ回路７５ｂは、スイッチング素子Ｑ７６ｂを有し、維持パルス発生回路５０および傾斜波形発生回路６０と走査パルス発生回路７０ｂとを電気的に接続または分離させる。
【０１１８】
図７は、本発明の実施の形態１におけるプラズマディスプレイ装置４０の維持電極駆動回路４４の回路図である。維持電極駆動回路４４は、維持電極側維持パルス発生回路８０（以下、単に「維持パルス発生回路８０」と略称する）、第１の表示電極対グループ側一定電圧発生回路９０ａ（以下、単に「一定電圧発生回路９０ａ」と略称する）、第２の表示電極対グループ側一定電圧発生回路９０ｂ（以下、単に「一定電圧発生回路９０ｂ」と略称する）、維持電極側スイッチ回路１００ａ（以下、単に「スイッチ回路１００ａ」と略称する）、維持電極側スイッチ回路１００ｂ（以下、単に「スイッチ回路１００ｂ」と略称する）を備えている。
【０１１９】
維持パルス発生回路８０は、電力回収部８１と電圧クランプ部８５とを有し、第１の表示電極対グループに属する維持電極ＳＵ１〜ＳＵ１０８０および／または第２の表示電極対グループに属する維持電極ＳＵ１０８１〜ＳＵ２１６０に印加させる維持パルス電圧Ｖｓを発生する。
【０１２０】
電力回収部８１は、電力回収用のコンデンサＣ８１、スイッチング素子Ｑ８１、Ｑ８２、逆流防止用のダイオードＤ８１、Ｄ８２、共振用のインダクタＬ８１、Ｌ８２を有し、電力回収部５１と同様にして、表示電極対間の電極間容量とインダクタＬ８１またはインダクタＬ８２とをＬＣ共振させて維持パルス電圧Ｖｓの立上りおよび立下りを形成する。
【０１２１】
電圧クランプ部８５は、スイッチング素子Ｑ８５、Ｑ８６を有し、電圧クランプ部５５と同様にして、維持パルス発生回路８０の出力電圧（図７のノードＤの電圧）を維持パルス電圧Ｖｓまたは電圧０（Ｖ）にクランプする。
【０１２２】
一定電圧発生回路９０ａは、スイッチング素子Ｑ９１ａ、Ｑ９２ａ、Ｑ９３ａ、Ｑ９４ａを有する。スイッチング素子Ｑ９３ａとスイッチング素子Ｑ９４ａとは、制御する電流の方向が互いに逆になるように直列接続された双方向のスイッチを形成している。そしてスイッチング素子Ｑ９１ａ、Ｑ９３ａ、Ｑ９４ａを介して第１の表示電極対グループに属する維持電極ＳＵ１〜ＳＵ１０８０に一定電圧Ｖｅ１を印加し、スイッチング素子Ｑ９２ａ、Ｑ９３ａ、Ｑ９４ａを介して維持電極ＳＵ１〜ＳＵ１０８０に一定電圧Ｖｅ２を印加する。
【０１２３】
一定電圧発生回路９０ｂは、一定電圧発生回路９０ａと同様の構成であり、スイッチング素子Ｑ９１ｂ、Ｑ９２ｂ、Ｑ９３ｂ、Ｑ９４ｂを有する。そして第２の表示電極対グループに属する維持電極ＳＵ１０８１〜ＳＵ２１６０に一定電圧Ｖｅ１または一定電圧Ｖｅ２を印加する。
【０１２４】
なお、一定電圧発生回路９０ａ、９０ｂが具備する各スイッチング素子は、ＭＯＳＦＥＴやＩＧＢＴ等を用いて構成することができる。ただし、図７には、一定電圧発生回路９０ａ、９０ｂが具備するスイッチング素子として、ＭＯＳＦＥＴおよびＩＧＢＴを用いた回路構成が示されている。スイッチング素子Ｑ９４ａ、Ｑ９４ｂにはＩＧＢＴが用いられており、制御する電流の方向と逆の方向の電流経路を確保するためにスイッチング素子Ｑ９４ａに並列にダイオードＤ９４ａが接続され、スイッチング素子Ｑ９４ｂに並列にダイオードＤ９４ｂが接続されている。
【０１２５】
また、スイッチング素子Ｑ９４ａは、維持電極ＳＵ１〜ＳＵ１０８０から電圧Ｖｅ１、Ｖｅ２の電源に向かって電流を流すために設けられている。なお、電圧Ｖｅ１、Ｖｅ２の電源から維持電極ＳＵ１〜ＳＵ１０８０に向かってのみ電流を流す場合にはスイッチング素子Ｑ９４ａが省略されてもよい。スイッチング素子Ｑ９４ｂについても同様である。
【０１２６】
また、スイッチング素子Ｑ９３ａのゲート−ドレイン間にコンデンサＣ９３ａが接続され、スイッチング素子Ｑ９３ｂのゲート−ドレイン間にコンデンサＣ９３ｂが接続されている。コンデンサＣ９３ａ、Ｃ９３ｂは、電圧Ｖｅ１、Ｖｅ２印加時の立上りを緩やかにするために設けられているが、例えば、電圧Ｖｅ１、電圧Ｖｅ２をステップ状に変化させる場合には不要である。
【０１２７】
分離スイッチ回路１００ａは、スイッチング素子Ｑ１０１ａ、Ｑ１０２ａを有し、スイッチング素子Ｑ１０１ａとスイッチング素子Ｑ１０２ａとは制御する電流の方向が互いに逆になるように、直列接続された双方向のスイッチを形成している。そして維持パルス発生回路８０と第１の表示電極対グループに属する維持電極ＳＵ１〜ＳＵ１０８０とを電気的に接続または分離する。
【０１２８】
分離スイッチ回路１００ｂは、スイッチング素子Ｑ１０１ｂ、Ｑ１０２ｂを有し、スイッチング素子Ｑ１０１ｂとスイッチング素子Ｑ１０２ｂとも制御する電流の方向が互いに逆になるように、直列接続された双方向のスイッチを形成している。そして維持パルス発生回路８０と第２の表示電極対グループに属する維持電極ＳＵ１０８１〜ＳＵ２１６０とを電気的に接続または分離する。
【０１２９】
つぎに、走査電極駆動回路４３の動作について説明する。なお本実施の形態１においては、図５に示した電圧Ｖｉ１は電圧Ｖｐに等しく、電圧Ｖｉ２は電圧（Ｖｔ＋Ｖｐ）に等しく、電圧Ｖｉ３は電圧Ｖｓに等しく、電圧Ｖｂは電圧Ｖｐに等しく、かつ電圧Ｖｃは電圧（Ｖａ＋Ｖｐ）に等しいものとして説明する。しかし、これらの電圧は上記に限定されるものではなく、回路構成に応じて適宜設定することができる。
【０１３０】
図８は、本発明の実施の形態１におけるプラズマディスプレイ装置４０の走査電極駆動回路４３の動作を説明する図であり、第１の表示電極対グループに属する走査電極ＳＣ１および第２の表示電極対グループに属する走査電極ＳＣ１０８１に印加される駆動電圧波形と、走査パルス発生回路７０ａのスイッチング素子Ｑ７１Ｈ１、Ｑ７１Ｌ１、走査パルス発生回路７０ｂのスイッチング素子Ｑ７１Ｈ１０８１、Ｑ７１Ｌ１０８１、スイッチ回路７５ａのスイッチング素子Ｑ７６ａ、およびスイッチ回路７５ｂのスイッチング素子Ｑ７６ｂの各制御信号と、を示している。
【０１３１】
初期化期間Ｔ０では、電圧（Ｖｐ＋Ｖｔ）に向かって上昇する傾斜波形電圧が走査電極ＳＣ１〜ＳＣ２１６０に印加されるために、走査電極駆動回路４３は、走査パルス発生回路７０ａ、７０ｂのスイッチング素子Ｑ７１Ｈ１〜Ｑ７１Ｈ２１６０をオン、スイッチ回路７５ａのスイッチング素子Ｑ７６ａ、スイッチ回路７５ｂのスイッチング素子Ｑ７６ｂをオン、かつ維持パルス発生回路５０のスイッチング素子Ｑ５６をオンにして、走査電極ＳＣ１〜ＳＣ２１６０に電圧Ｖｐを印加させる。スイッチング素子Ｑ５６をオフにした後、ミラー積分回路６１を動作させて走査電極ＳＣ１〜ＳＣ２１６０の電圧を電圧（Ｖｐ＋Ｖｔ）に向かって上昇させる。なお、この時のスイッチング素子Ｑ５９はオフしている。
【０１３２】
つぎに電圧Ｖｉ４に向かって降下する傾斜波形電圧が走査電極ＳＣ１〜ＳＣ２１６０に印加されるために、走査電極駆動回路４３は、走査パルス発生回路７０ａ、７０ｂのスイッチング素子Ｑ７１Ｈ１〜Ｑ７１Ｈ２１６０をオフ、スイッチング素子Ｑ７１Ｌ１〜Ｑ７１Ｌ２１６０をオン、かつ維持パルス発生回路５０のスイッチング素子Ｑ５５、Ｑ５９をオンにして、走査電極ＳＣ１〜ＳＣ２１６０に維持パルス電圧Ｖｓを印加させる。その後、スイッチ回路７５ａのスイッチング素子Ｑ７６ａおよびスイッチ回路７５ｂのスイッチング素子Ｑ７６ｂをオフにして、走査パルス発生回路７０ａのミラー積分回路７１ａおよび走査パルス発生回路７０ｂのミラー積分回路７１ｂを動作させる。そして走査電極ＳＣ１〜ＳＣ２１６０の電圧が電圧Ｖｉ４まで降下した時点でスイッチング素子Ｑ７１Ｌ１〜Ｑ７１Ｌ２１６０をオフにし、かつスイッチング素子Ｑ７１Ｈ１〜Ｑ７１Ｈ２１６０をオンにする。
【０１３３】
第１の表示電極対グループのサブフィールドＳＦ１の書込み期間では、走査電極ＳＣ１〜ＳＣ１０８０に走査パルス電圧を順次印加させるために、走査電極駆動回路４３は、走査パルス発生回路７０ａのスイッチング素子Ｑ７１Ｈ１をオフにし、かつスイッチング素子Ｑ７１Ｌ１をオンにすることで走査電極ＳＣ１に電圧Ｖａを印加させる。その後、スイッチング素子Ｑ７１Ｌ１をオフにし、かつスイッチング素子Ｑ７１Ｈ１をオンに戻す。つぎに、スイッチング素子Ｑ７１Ｈ２をオフにし、かつスイッチング素子Ｑ７１Ｌ２をオンにすることで走査電極ＳＣ２に電圧Ｖａを印加させる。その後、スイッチング素子Ｑ７１Ｌ２をオフに戻し、かつスイッチング素子Ｑ７１Ｈ２をオンに戻す。以下同様の手順で、走査電極ＳＣ３〜ＳＣ１０８０に電圧Ｖａが順次印加される。
【０１３４】
第１の表示電極対グループのサブフィールドＳＦ１の書込み期間では、走査電極駆動回路４３は、維持パルス発生回路５０のスイッチング素子Ｑ５５をオフ、スイッチング素子Ｑ５６をオン、かつスイッチ回路７５ｂのスイッチング素子Ｑ７６ｂをオンにして、休止期間の状態である第２の表示電極対グループの走査電極ＳＣ１０８１〜ＳＣ２１６０に電圧Ｖｐを印加させる。
【０１３５】
第１の表示電極対グループのサブフィールドＳＦ１の維持期間では、走査電極駆動回路４３は、走査パルス発生回路７０ａのスイッチング素子Ｑ７１Ｈ１〜Ｑ７１Ｈ１０８０をオフ、スイッチング素子Ｑ７１Ｌ１〜Ｑ７１Ｌ１０８０をオン、かつスイッチ回路７５ａのスイッチング素子Ｑ７６ａをオンにして、維持パルス発生回路５０で発生させた維持パルス電圧Ｖｓを第１の表示電極対グループに属する走査電極ＳＣ１〜ＳＣ１０８０に印加させる。
【０１３６】
維持パルス発生回路５０において維持パルス電圧Ｖｓを発生させるために、走査電極駆動回路４３は、スイッチング素子Ｑ５２、Ｑ５６をオフにした後、スイッチング素子Ｑ５１をオンにして走査電極ＳＣ１〜ＳＣ１０８０の電圧を維持パルス電圧Ｖｓ付近まで上昇させる。その後スイッチング素子Ｑ５５をオンにして走査電極ＳＣ１〜ＳＣ１０８０の電圧を維持パルス電圧Ｖｓにクランプする。つぎに、スイッチング素子Ｑ５１、Ｑ５５をオフにした後、スイッチング素子Ｑ５２をオンにして走査電極ＳＣ１〜ＳＣ１０８０の電圧を電圧０（Ｖ）付近まで降下させる。その後、スイッチング素子Ｑ５６をオンにして走査電極ＳＣ１〜ＳＣ１０８０を電圧０（Ｖ）にクランプする。以上の動作を繰り返すことにより維持パルス電圧Ｖｓを発生させる。
【０１３７】
第１の表示電極対グループのサブフィールドＳＦ１の消去期間では、走査電極駆動回路４３は、ミラー積分回路６２を動作させ、電圧Ｖｒに向かって上昇する傾斜波形電圧を走査電極ＳＣ１〜ＳＣ１０８０に印加させる。さらにその後、スイッチ回路７５ａのスイッチング素子Ｑ７６ａをオフとし、ミラー積分回路７１ａを動作させて電圧Ｖｉ４に向かって降下する傾斜波形電圧を走査電極ＳＣ１〜ＳＣ１０８０に印加させる。
【０１３８】
第１の表示電極対グループのサブフィールドＳＦ１の休止期間では、走査電極駆動回路４３は、維持パルス発生回路５０のスイッチング素子Ｑ５６をオン、スイッチ回路７５ａのスイッチング素子Ｑ７６ａをオン、走査パルス発生回路７０ａのスイッチング素子Ｑ７１Ｌ１〜Ｑ７１Ｌ１０８０をオフ、かつスイッチング素子Ｑ７１Ｈ１〜Ｑ７１Ｈ１０８０をオンとして、走査電極ＳＣ１〜ＳＣ１０８０に電圧Ｖｐを印加させる。
【０１３９】
第１の表示電極対グループのサブフィールドＳＦ１の維持期間、消去期間、および休止期間の間において、第２の表示電極対グループはＳＦ１の書込み期間の状態にある。走査電極駆動回路４３は、休止期間を終了するためにスイッチ回路７５ｂのスイッチング素子Ｑ７６ｂをオフした後、走査パルス発生回路７０ｂのスイッチング素子Ｑ７１Ｈ１０８１〜Ｑ７１Ｈ２１６０およびスイッチング素子Ｑ７１Ｌ１０８１〜Ｑ７１Ｌ２１６０のうちの対応するスイッチング素子を制御して走査電極ＳＣ１０８１〜ＳＣ２１６０に走査パルス電圧Ｖａを順次印加させる。
【０１４０】
第２の表示電極対グループのサブフィールドＳＦ１の維持期間では、走査パルス発生回路７０ｂのスイッチング素子Ｑ７１Ｈ１０８１〜Ｑ７１Ｈ２１６０をオフ、スイッチング素子Ｑ７１Ｌ１０８１〜Ｑ７１Ｌ２１６０をオン、かつスイッチ回路７５ｂのスイッチング素子Ｑ７６ｂをオンにして、維持パルス発生回路５０において発生させた維持パルス電圧を、第２の表示電極対グループに属する走査電極ＳＣ１０８１〜ＳＣ２１６０に印加させる。
【０１４１】
第２の表示電極対グループのサブフィールドＳＦ１の消去期間では、ミラー積分回路６２を動作させ、電圧Ｖｒに向かって上昇する傾斜波形電圧を走査電極ＳＣ１０８１〜ＳＣ２１６０に印加させる。さらに、その後、スイッチ回路７５ｂのスイッチング素子Ｑ７６ｂをオフとし、ミラー積分回路７１ｂを動作させて電圧Ｖｉ４に向かって降下する傾斜波形電圧を走査電極ＳＣ１０８１〜ＳＣ２１６０に印加する。
【０１４２】
第２の表示電極対グループのサブフィールドＳＦ１の休止期間では、維持パルス発生回路５０のスイッチング素子Ｑ５６をオン、スイッチ回路７５ｂのスイッチング素子Ｑ７６ｂをオン、走査パルス発生回路７０ｂのスイッチング素子Ｑ７１Ｌ１０８１〜Ｑ７１Ｌ２１６０をオフ、かつスイッチング素子Ｑ７１Ｈ１０８１〜Ｑ７１Ｈ２１６０をオンにして、走査電極ＳＣ１０８１〜ＳＣ２１６０に電圧Ｖｐを印加させる。
【０１４３】
以上の動作を繰り返すことにより、走査電極駆動回路４３は、各表示電極対グループに属する走査電極に対して、時間的に異なるタイミングで、維持パルス電圧や消去傾斜波形電圧を印加させることができる。したがって、走査電極駆動回路４３を用いることで、各表示電極対グループ間で時間的に異なるタイミングで維持期間および消去期間を設定することができる。
【０１４４】
図８を用いて、あるサブフィールドＳＦｎにおいて、全ての表示電極対グループに属する走査電極に同時に維持パルス電圧および消去傾斜波形電圧を印加させる時の動作を説明する。
【０１４５】
サブフィールドＳＦｎでは、第１の表示電極対グループが書込みを終了した後、第２の表示電極対グループの書込みを開始する。走査電極ＳＣ１０８０の書込みを終了した後から走査電極ＳＣ２１６０が書込み動作を終了するまで、スイッチ回路７５ａのスイッチング素子Ｑ７６ａ、走査パルス発生回路７０ａのスイッチング素子Ｑ７１Ｈ１〜Ｑ７１Ｈ１０８０、およびスイッチング素子Ｑ７１Ｌ１〜Ｑ７１Ｌ１０８０のオンオフ状態を保持する。一方、第２の表示電極対グループは、休止期間から書込み期間に移行する。このため、スイッチ回路７５ｂのスイッチング素子Ｑ７６ｂをオンからオフにした後、走査パルス発生回路７０ｂのスイッチング素子Ｑ７１Ｈ１０８１〜Ｑ７１Ｈ２１６０およびスイッチング素子Ｑ７１Ｌ１０８１〜Ｑ７１Ｌ２１６０のうちの対応するスイッチング素子を制御して走査電極ＳＣ１０８１〜ＳＣ２１６０に走査パルス電圧Ｖａを順次印加する。
【０１４６】
走査電極ＳＣ２１６０に走査パルス電圧Ｖａが印加された後、第１の表示電極対グループおよび第２の表示電極対グループに同時に維持パルス電圧Ｖｓを印加させる維持期間となる。走査電極駆動回路４３は、スイッチ回路７５ａのスイッチング素子Ｑ７６ａおよびスイッチ回路７５ｂのスイッチング素子Ｑ７６ｂをオン、走査パルス発生回路７０ａのスイッチング素子Ｑ７１Ｈ１〜Ｑ７１Ｈ１０８０をオフ、スイッチング素子Ｑ７１Ｌ１〜Ｑ７１Ｌ１０８０をオン、走査パルス発生回路７０ｂのスイッチング素子Ｑ７１Ｈ１０８１〜Ｑ７１Ｈ２１６０をオフ、かつスイッチング素子Ｑ７１Ｌ１０８１〜Ｑ７１Ｌ２１６０をオンする。その後、維持パルス発生回路５０で発生させた維持パルス電圧Ｖｓを第１の表示電極対グループに属する走査電極ＳＣ１〜ＳＣ１０８０および第２の表示電極対グループに属する走査電極ＳＣ１０８１〜ＳＣ２１６０に印加させる。
【０１４７】
サブフィールドＳＦｎの消去期間では、ミラー積分回路６２を動作させ、電圧Ｖｒに向かって上昇する傾斜波形電圧を走査電極ＳＣ１〜ＳＣ２１６０に印加させる。その後、スイッチ回路７５ａおよび７５ｂのスイッチング素子Ｑ７６ａおよびＱ７６ｂをオフとし、ミラー積分回路７１ａおよび７１ｂを動作させて電圧Ｖｉ４に向かって降下する傾斜波形電圧を走査電極ＳＣ１〜ＳＣ２１６０に印加させる。この段階で、各スイッチング素子のオンオフ状態は初期化期間の終了の時と同じ状態である。このため、つぎのサブフィールドＳＦ（ｎ＋１）の動作はサブフィールドＳＦ１における第１の表示電極対グループの書込み動作、および第２の表示電極対グループの休止動作と同様である。以上により、走査電極駆動回路４３を用いることで、全ての表示電極対グループに同時に維持パルス電圧および消去傾斜波形を印加させることができる。
【０１４８】
このように、本実施の形態１における走査電極駆動回路４３は、任意の表示電極対グループに属する走査電極に印加させる維持パルス電圧Ｖｓを発生する１つの維持パルス発生回路５０と、第１の表示電極対グループまたは第２の表示電極対グループに属する走査電極に印加させる走査パルス電圧Ｖａを発生する走査パルス発生回路７０ａ、７０ｂと、走査パルス発生回路７０ａ、７０ｂと維持パルス発生回路５０とを電気的に分離・接続させるスイッチ回路７５ａ、７５ｂとを有する。そして維持パルス発生回路５０で発生させた維持パルス電圧Ｖｓを各表示電極対グループに属する走査電極に印加させることで、簡素で、かつ第１の表示電極対グループと第２の表示電極対グループとの境界である表示領域付近での輝度差の発生しにくいプラズマディスプレイ装置を実現している。
【０１４９】
図９は、本発明の実施の形態１におけるプラズマディスプレイ装置４０の維持電極駆動回路４４の動作を説明する図であり、第１の表示電極対グループに属する維持電極ＳＵ１〜ＳＵ１０８０および第２の表示電極対グループに属する維持電極ＳＵ１０８１〜ＳＵ２１６０に印加する駆動電圧波形と、一定電圧発生回路９０ａのスイッチング素子Ｑ９１ａ〜Ｑ９４ａ、一定電圧発生回路９０ｂのスイッチング素子Ｑ９１ｂ〜Ｑ９４ｂ、およびスイッチ回路１００ａのスイッチング素子Ｑ１０１ａ、Ｑ１０２ａ、かつスイッチ回路１００ｂのスイッチング素子Ｑ１０１ｂ、Ｑ１０２ｂの各制御信号とを示している。
【０１５０】
初期化期間では、維持電極ＳＵ１〜ＳＵ２１６０に電圧０（Ｖ）を印加させるために、維持電極駆動回路４４は、維持パルス発生回路８０のスイッチング素子Ｑ８６をオンにする。そしてスイッチ回路１００ａのスイッチング素子Ｑ１０１ａ、Ｑ１０２ａをオンにして第１の表示電極対グループに属する維持電極ＳＵ１〜ＳＵ１０８０を接地させるとともに、スイッチ回路１００ｂのスイッチング素子Ｑ１０１ｂ、Ｑ１０２ｂをオンにして第２の表示電極対グループに属する維持電極ＳＵ１０８１〜ＳＵ２１６０を接地させる。
【０１５１】
つぎに維持電極ＳＵ１〜ＳＵ２１６０に電圧Ｖｅ１を印加させるために、維持電極駆動回路４４は、スイッチ回路１００ａ、１００ｂのスイッチング素子Ｑ１０１ａ、Ｑ１０２ａ、Ｑ１０１ｂ、Ｑ１０２ｂをオフにする。そして一定電圧発生回路９０ａのスイッチング素子Ｑ９１ａ、Ｑ９３ａ、Ｑ９４ａをオンにするとともに、一定電圧発生回路９０ｂのスイッチング素子Ｑ９１ｂ、Ｑ９３ｂ、Ｑ９４ｂをオンにする。
【０１５２】
第１の表示電極対グループのサブフィールドＳＦ１の書込み期間では、維持電極ＳＵ１〜ＳＵ１０８０に電圧Ｖｅ２を印加するために、維持電極駆動回路４４は、一定電圧発生回路９０ａのスイッチング素子Ｑ９１ａをオフ、かつスイッチング素子Ｑ９２ａをオンにする。
【０１５３】
第１の表示電極対グループのサブフィールドＳＦ１の維持期間では、維持電極駆動回路４４は、一定電圧発生回路９０ａのスイッチング素子Ｑ９３ａ、Ｑ９４ａをオフにするとともに分離スイッチ回路１００ａのスイッチング素子Ｑ１０１ａ、Ｑ１０２ａをオンにして、維持パルス発生回路８０で発生させた維持パルス電圧Ｖｓを維持電極ＳＵ１〜ＳＵ１０８０に印加させる。
【０１５４】
その後、維持電極ＳＵ１〜ＳＵ１０８０に電圧０（Ｖ）を印加させるために、維持電極駆動回路４４は、スイッチング素子Ｑ８５をオフ、かつスイッチング素子Ｑ８６をオンにする。さらに、維持電極ＳＵ１〜ＳＵ１０８０に電圧Ｖｅ１を印加させるために、維持電極駆動回路４４は、スイッチ回路１００ａのスイッチング素子Ｑ１０１ａ、Ｑ１０２ａをオフにする。そして一定電圧発生回路９０ａのスイッチング素子Ｑ９１ａ、Ｑ９３ａ、Ｑ９４ａをオンにするとともに、スイッチング素子Ｑ９２ａをオフにする。
【０１５５】
第１の表示電極対グループのサブフィールドＳＦ１の維持期間の間、第２の表示電極対グループはサブフィールドＳＦ１の書込み期間であるので、維持電極駆動回路４４は、一定電圧発生回路９０ｂのスイッチング素子Ｑ９１ｂをオフ、かつスイッチング素子Ｑ９２ｂをオンにして、第２の表示電極対グループに属する維持電極ＳＵ１０８１〜ＳＵ２１６０に電圧Ｖｅ２を印加する。
【０１５６】
続く第２の表示電極対グループのサブフィールドＳＦ１の維持期間では、維持電極駆動回路４４は、一定電圧発生回路９０ｂのスイッチング素子Ｑ９３ｂ、Ｑ９４ｂをオフにするとともにスイッチ回路１００ｂのスイッチング素子Ｑ１０１ｂ、Ｑ１０２ｂをオンにして、維持パルス発生回路８０で発生させた維持パルス電圧Ｖｓを維持電極ＳＵ１０８１〜ＳＵ２１６０に印加させる。
【０１５７】
その後、維持電極ＳＵ１０８１〜ＳＵ２１６０に電圧０（Ｖ）を印加させるために、維持電極駆動回路４４は、スイッチング素子Ｑ８５をオフにし、かつスイッチング素子Ｑ８６をオンにする。さらに、維持電極ＳＵ１０８１〜ＳＵ２１６０に電圧Ｖｅ１を印加させるために、維持電極駆動回路４４は、スイッチ回路１００ｂのスイッチング素子Ｑ１０１ｂ、Ｑ１０２ｂをオフにする。そして一定電圧発生回路９０ｂのスイッチング素子Ｑ９１ｂ、Ｑ９３ｂ、Ｑ９４ｂをオンにするとともにスイッチング素子Ｑ９２ｂをオフにする。
【０１５８】
以上の動作を繰り返すことにより、維持電極駆動回路４４は、時間的に異なるタイミングで、各表示電極対グループに属する維持電極に維持パルス電圧や消去波形電圧を印加させることができる。したがって、維持電極駆動回路４４を用いることで、各表示電極対グループ間で時間的に異なるタイミングで維持期間および消去期間を設定することができる。
【０１５９】
図９を用いて、サブフィールドＳＦｎにおいて、全ての表示電極対グループに属する維持電極それぞれに維持パルス電圧および消去波形電圧を一斉に印加させる時の動作を説明する。
【０１６０】
サブフィールドＳＦｎでは、第１の表示電極対グループが書込みを終了した後、引き続き第２の表示電極対グループの書込みを開始する。第１の表示電極対グループが走査電極ＳＣ１０８０の書込みを終了した後から第２の表示電極対グループの走査電極ＳＣ２１６０が書込み動作を終了するまで、維持電極駆動回路４４は、一定電圧発生回路９０ａのスイッチング素子Ｑ９１ａ〜Ｑ９４ａおよびスイッチ回路１００ａのスイッチング素子Ｑ１０１ａ、Ｑ１０２ａのオンオフ状態を保持する。一方、第２の表示電極対グループは休止期間から書込み期間に移行するため、維持電極駆動回路４４は、一定電圧発生回路９０ｂのスイッチング素子Ｑ９１ｂをオフ、かつスイッチング素子Ｑ９２ｂをオンする。
【０１６１】
走査電極ＳＣ２１６０に走査パルス電圧Ｖａが印加された後、第１の表示電極対グループおよび第２の表示電極対グループに同時に維持パルス電圧Ｖｓを印加させる維持期間が生じる。維持電極駆動回路４４は、一定電圧発生回路９０ａ、９０ｂのスイッチング素子Ｑ９１ａ〜Ｑ９４ａおよびＱ９１ｂ〜Ｑ９４ｂをオフにした後、スイッチ回路１００ａ、１００ｂのスイッチング素子Ｑ１０１ａ、Ｑ１０２ａおよびスイッチング素子Ｑ１０１ｂ、Ｑ１０２ｂをオンにする。その後、維持パルス発生回路８０で発生させた維持パルス電圧Ｖｓを第１の表示電極対グループに属する維持電極ＳＵ１〜ＳＵ１０８０および第２の表示電極対グループに属する維持電極ＳＵ１０８１〜ＳＵ２１６０に印加させる。
【０１６２】
サブフィールドＳＦｎの消去期間では、維持電極ＳＵ１〜ＳＵ２１６０に電圧０（Ｖ）を印加させるために、スイッチング素子Ｑ８５をオフ、かつスイッチング素子Ｑ８６をオンにする。さらにその後、維持電極ＳＵ１〜ＳＵ２１６０に電圧Ｖｅ１を印加させるために、維持電極駆動回路４４は、スイッチ回路１００ａおよび１００ｂのスイッチング素子Ｑ１０１ａ、Ｑ１０２ａ、Ｑ１０１ｂ、Ｑ１０２ｂをオフにする。そして一定電圧発生回路９０ａ、９０ｂのスイッチング素子Ｑ９１ａ、Ｑ９３ａ、Ｑ９４ａ、Ｑ９１ｂ、Ｑ９３ｂ、Ｑ９４ｂをオンにするとともにスイッチング素子Ｑ９２ａ、Ｑ９２ｂをオフにする。この段階で、各スイッチング素子のオンオフ状態は初期化期間Ｔ０の終了の時と同じ状態である。このため、サブフィールドＳＦｎのつぎのサブフィールドＳＦ（ｎ＋１）の動作は、サブフィールドＳＦ１における第１の表示電極対グループの書込み動作、および第２の表示電極対グループの休止動作と同様である。以上より、維持電極駆動回路４４を用いることで、全ての表示電極対グループに対して維持パルス電圧および消去波形を一斉に印加させることができる。
【０１６３】
このように、本実施の形態１における維持電極駆動回路４４は、任意の表示電極対グループに属する維持電極に印加させる維持パルス電圧Ｖｓを発生する１つの維持パルス発生回路８０と、第１の表示電極対グループまたは第２の表示電極対グループに属する維持電極に印加させる一定電圧を発生する一定電圧発生回路９０ａ、９０ｂと、第１の表示電極対グループまたは第２の表示電極対グループに属する維持電極と維持パルス発生回路８０とを電気的に分離または接続させるスイッチ回路１００ａ、１００ｂとを有する。そして維持パルス発生回路８０で発生させた維持パルス電圧Ｖｓを各表示電極対グループに属する維持電極に一斉に印加させることで、簡素で、かつ第１の表示電極対グループと第２の表示電極対グループとの境界となる表示領域付近での輝度差の発生しにくい維持電極駆動回路４４を実現している。
【０１６４】
なお、本実施の形態１における維持パルス発生回路８０および傾斜波形発生回路６０等の具体的な回路構成は単に一例を示したに過ぎず、同様の駆動電圧波形を発生させる他の回路構成であってもよい。
【０１６５】
例えば、図６に示した電力回収部５１は、維持パルス電圧の立上り形成時にはスイッチング素子Ｑ５１、ダイオードＤ５１、インダクタＬ５１およびスイッチング素子Ｑ５９を介してコンデンサＣ５１の電荷を電極間容量に移動させ、維持パルス電圧の立下り形成時にはインダクタＬ５２、ダイオードＤ５２およびスイッチング素子Ｑ５２を介して電極間容量の電荷をコンデンサＣ５１に戻させるような回路構成である。しかし、インダクタＬ５１の一方の端子の接続をスイッチング素子Ｑ５９のソースからノードＣに変更して、維持パルス電圧の立上り形成時にスイッチング素子Ｑ５１、ダイオードＤ５１およびインダクタＬ５１を介してコンデンサＣ５１の電荷を電極間容量に移動させる回路構成としてもよい。また、インダクタＬ５１とインダクタＬ５２とを１つのインダクタで兼用する回路構成であってもよい。
【０１６６】
また、図７に示した維持電極駆動回路４４における電力回収部８１のインダクタＬ８１とＬ８２とを１つのインダクタで兼用する回路構成であってもよい。
【０１６７】
また、図６に示す傾斜波形発生回路６０は、２つのミラー積分回路６１、６２を備える回路構成を示したが、１つの電圧切換回路と１つのミラー積分回路とを備えた回路構成であってもよい。
【０１６８】
また、図６に示した電力回収部５１のコンデンサＣ５１を省略し、図７に示した電力回収部８１をすべて省略し、図７のノードＤと図６のスイッチング素子Ｑ５１とＱ５２との接続点とを接続した回路構成であってもよい。
【０１６９】
また、図６に示した電力回収部５１をすべて省略し、図７に示した電力回収部８１のコンデンサＣ８１を省略し、図７のスイッチング素子Ｑ８１とＱ８２の接続点とノードＣとを接続した回路構成であってもよい。
【０１７０】
[プラズマディスプレイパネルの駆動モードの選択方法]
図１０は、実施の形態１におけるプラズマディスプレイパネル１０の駆動モードの選択方法を説明するための図である。なお、縦軸は走査電極ＳＣ１〜ＳＣ２１６０を示し、横軸は時間を示している。なお、壁電圧調整期間として消去期間のみで構成される場合を示している。また、書込み動作を行うタイミングを実線で示し、維持期間は右上から左下への斜線ハッチングで、消去期間は左上から右下への斜線ハッチングで示している。なお、書込み期間において実線が水平となる時間は、書込み動作が一時停止する時間を表している。ある表示電極対グループにおいて書込み動作が一時停止する時間は、残りの表示電極対グループのうち少なくともいずれかが消去期間のタイミングとなっている。
【０１７１】
まず、１フィールドに含まれる最後のサブフィールドＳＦ１０を除いたサブフィールドＳＦ１〜ＳＦ９毎に、表示電極対グループ毎に維持期間と消去期間とを設定する第１の駆動モード、または表示電極対グループ間で維持放電と消去放電とを同時に行う第２の駆動モードのいずれかが設定される。
【０１７２】
具体的には、あるサブフィールドにおいて、維持期間と消去期間とが比較され、維持期間の方が消去期間よりも長い場合（維持期間＞消去期間）、当該あるサブフィールドでは第１の表示電極対グループおよび第２の表示電極対グループそれぞれで維持期間と消去期間とを独立して設定する第１の駆動モードを選択した方が、全体の駆動時間を短縮することができる。
【０１７３】
つまり、図４に示したように、一方の表示電極対グループにおいて消去放電が行われる期間では、他方の表示電極対グループにおいて書込み動作が行われないようにする必要がある。したがって、維持期間の方が消去期間よりも長い場合には表示電極対グループ毎に維持放電および消去放電を独立して実施する第１の駆動モードを設定した方が、つぎのサブフィールドの書込み動作を「維持期間−消去期間」の時間差の分だけ前倒しで行うことができる。このため、全体の駆動時間を短縮することができる。
【０１７４】
逆に、消去期間の方が維持期間よりも長い場合（維持期間＜消去期間）、そのあるサブフィールドでは第１の表示電極対グループと第２の表示電極対グループとの間で維持期間と消去期間とを同期させて設定する第２の駆動モードを選択した方が、全体の駆動時間を短縮することができる。
【０１７５】
図１０において、上記のような駆動モードの選択を行った結果、維持期間よりも消去期間の方が長いサブフィールドＳＦ１〜ＳＦ３では、表示電極対グループ間で維持期間と消去期間とを同期させて設定する第２の駆動モードが選択される。一方、サブフィールドＳＦ４〜ＳＦ９では、維持期間の方が消去期間よりも長いので、表示電極対グループ毎に維持期間および消去期間を設定する第１の駆動モードが選択される。
【０１７６】
尚、駆動モード設定部４６は、輝度重み最大のサブフィールド以外の各サブフィールドの輝度重みに基づいて、輝度重み最大のサブフィールド以外のサブフィールド毎に、維持期間の長さと消去期間の長さとを比較し、表示電極対グループ毎に維持期間および消去期間を設定する第１の駆動モード、または表示電極対グループ間で維持期間と消去期間とを同期させて設定する第２の駆動モードを選択する。そして、タイミング発生回路４５は、駆動モード設定部４６により選択された第１の駆動モードまたは第２の駆動モードに基づくタイミング信号を各駆動回路４１〜４４に出力する。
【０１７７】
ところで、サブフィールドＳＦ１０は、１フィールドにおいて最も維持期間が長い（換言すると最も輝度重みが大きい）サブフィールドである。このように、輝度重みが最も大きいサブフィールドでは、維持期間の長さと消去期間の長さとの比較結果に基づいて第１の駆動モードまたは第２の駆動モードを選択することよりも優先して、表示電極対グループ間で維持期間と消去期間とを同期させて設定する第２の駆動モードが常に設定される。
【０１７８】
この輝度重み最大のサブフィールドにおける第２の駆動モードの設定は、図５に示した駆動モード設定部４６によって行われる。画像信号処理回路４１は、画像信号に基づいて１フィールドにおける各サブフィールドの輝度重み付けを決定する。駆動モード設定部４６は、画像信号処理回路４１によって決定された輝度重み付けに基づいて、１フィールドにおける輝度重み最大のサブフィールドを特定する。さらに、駆動モード設定部４６は、この特定された輝度重み最大のサブフィールドに関しては表示電極対グループ間で維持期間と消去期間とを同期させて設定する第２の駆動モードを設定する。そしてタイミング発生回路４５は、駆動モード設定部４６により設定された第２の駆動モードに基づくタイミング信号を各駆動回路４１〜４４に出力する。
【０１７９】
この結果、サブフィールドＳＦ１０の維持期間では、走査電極駆動回路４３の維持パルス発生回路５０より発生した維持パルス電圧Ｖｓおよび維持電極駆動回路４４の維持パルス発生回路８０より発生した維持パルス電圧Ｖｓに基づいて、プラズマディスプレイパネル１０の表示画面全体が駆動される。維持パルス発生回路５０、８０を表示電極対グループ毎に設ける場合や、維持パルス発生回路５０、８０を表示電極対グループ間で１つの維持パルス発生回路とする場合と比較すると、プラズマディスプレイパネル１０の各放電セルに印加される電圧が均一化されるので、第１の表示電極対グループと第２の表示電極対グループとの境界となる表示領域付近での輝度差が発生しにくい点灯状態とすることができる。
【０１８０】
さらに、最も輝度重みの大きいサブフィールドに関して、第２の駆動モードに基づいて複数の表示電極対グループの境界となる表示領域付近で輝度差が発生しにくい維持放電を行わせるようにした。このため、最も輝度重みの大きいサブフィールド以外のその他のサブフィールドにおいては、第１の駆動モードにより表示電極対グループ毎に維持放電を行わせたとしても、当該その他のサブフィールドでは輝度重みが小さいため、視聴者は第１の表示電極対グループと第２の表示電極対グループとの間の境界となる表示領域付近での輝度差を認識しにくくなる。
【０１８１】
したがって、高精細度プラズマディスプレイパネル１０であっても十分なサブフィールド数を確保することができ、かつ第１の表示電極対グループと第２の表示電極対グループとの境界である表示領域付近の輝度差が発生しにくいプラズマディスプレイパネル１０の駆動方法を提供することができる。
【０１８２】
（実施の形態２）
図１１は、本実施の形態２におけるプラズマディスプレイパネル１０の駆動方法に適用されるサブフィールド構成を説明するための図である。なお、図１０と同様に、縦軸は走査電極ＳＣ１〜ＳＣ２１６０を示し、横軸は時間を示している。また、壁電圧調整期間として消去期間のみで構成される場合を示している。さらに、書込み動作を行うタイミングを実線で示し、維持期間は右上から左下への斜線ハッチングで、消去期間は左上から右下への斜線ハッチングで示している。本実施の形態２におけるプラズマディスプレイ装置は、図５に示した実施の形態１に示したものと同様であるため、説明は省略する。
【０１８３】
本実施の形態２のサブフィールド構成と、図１０に示した実施の形態１のサブフィールド構成との違いは、輝度重みである維持期間がサブフィールドＳＦ１を除いて降順になっている点である。輝度重みの最も大きいサブフィールドＳＦ２では、全ての表示電極対グループの間で維持期間および消去期間を同期させて設定する第２の駆動モードが設定される。また、維持期間よりも消去期間の方が長いサブフィールドＳＦ１、ＳＦ９、ＳＦ１０についても同様に、表示電極対グループ間で維持期間および消去期間を同期させて設定する第２の駆動モードが設定される。その他のサブフィールドＳＦ３〜ＳＦ８では、維持期間の方が消去期間よりも長いので、維持期間および消去期間が表示電極対グループ毎に設定される第１の駆動モードが設定される。
【０１８４】
ところで、サブフィールドＳＦ１０は、１フィールドの最後のサブフィールドであるため、一方の表示電極対グループが維持期間である場合に他方の表示電極対グループが書込み動作を行えない。このことから、サブフィールドＳＦ１０に対して第２の駆動モードが常に設定されることで、駆動時間を短縮することができる。また、複数のサブフィールドにおいて維持期間が降順となるように配列されることで、サブフィールドＳＦ１０は輝度重みが最小となり、第２の駆動モードが設定されやすくなる。さらに、サブフィールド間の発光中心を変動させることなく、全体の駆動時間を短縮することができる。
【０１８５】
また、サブフィールドＳＦ１は、輝度重みの最小のサブフィールドにすることが好ましい。その理由はつぎの通りである。
【０１８６】
全放電セルを初期化放電した後では書込み期間の際のアドレス放電が強くなるため、放電セル間で放電クロストークが発生しやすい。放電クロストークが発生すると、書込み不良につながり、不灯を選択した放電セルが誤って維持期間において発光するおそれがあり、ひいてはプラズマディスプレイパネル１０の表示品質の低下を招くことになる。
【０１８７】
そこで、初期化期間Ｔ０直後のサブフィールドＳＦ１を輝度重み最小のサブフィールドとし、かつサブフィールドＳＦ２以降を点灯させる際にサブフィールドＳＦ１を必ず点灯させることによって、低輝度階調の表現力の低下を最小限に抑えつつ放電セル間の放電クロストークを抑えることができ、ひいてはプラズマディスプレイパネル１０の表示品質を高めることができる。
【０１８８】
したがって、図１１に示したサブフィールド構成は、図１０に示したサブフィールド構成と比較して全体の駆動時間を短縮することができる。なお、これらのサブフィールド構成は、タイミング発生回路４５より各駆動回路４１〜４４に出力されるタイミング信号に基づいて形成される。
【０１８９】
なお、実施の形態１においても同様にサブフィールドＳＦ１を必ず点灯させてもよい。これにより、放電クロストークが発生せず、プラズマディスプレイパネル１０の表示品質をさらに高めることができる。
【０１９０】
（実施の形態３）
図１２は、本実施の形態３におけるプラズマディスプレイパネル１０の駆動方法に適用されるサブフィールド構成を説明するための図である。なお、図１０と同様に、縦軸は走査電極ＳＣ１〜ＳＣ２１６０を示し、横軸は時間を示している。また、壁電圧調整期間として消去期間のみで構成される場合を示している。さらに、書込み動作を行うタイミングを実線で示し、維持期間は右上から左下への斜線ハッチングで、消去期間は左上から右下への斜線ハッチングで示している。本実施の形態３におけるプラズマディスプレイ装置は、実施の形態１に示したものと同様であるため、説明は省略する。
【０１９１】
図１２には、点灯率が最も高いサブフィールドがサブフィールドＳＦ８であるサブフィールド構成が示されている。１フィールドの中で最も点灯率が高いサブフィールドは維持放電させる放電セル数が最も多い。したがって、全ての表示電極対グループの間で維持放電および消去放電を同時に行うことで、表示電極対グループ間の境界である表示領域付近での輝度差の発生しにくい表示が可能となる。
【０１９２】
１フィールドの中で最も点灯率が高いサブフィールドを選択するのは、図５に示した駆動モード設定部４６である。画像信号処理回路４１は、各サブフィールドにおいて書込む放電セルを決定する。駆動モード設定部４６は、画像信号処理回路４１より出力される点灯率情報に基づいてサブフィールド毎に維持放電させる放電セルの数を求めて、最も放電セル数の多いサブフィールドを点灯率の最も高いサブフィールドとして特定する。タイミング発生回路４５は、駆動モード設定部４６により特定した結果に基づいて各駆動回路４１〜４４にタイミング信号を出力する。このように、点灯率の最も高いサブフィールドに対して全ての表示電極対グループの間で維持期間および消去期間を同期させて設定する第２の駆動モードが常に設定されるので、表示電極対グループ間の境界である表示領域付近での輝度差の発生しにくいプラズマディスプレイパネル１０の駆動方法を提供することができる。
【０１９３】
なお、実施の形態２で示したように、放電クロストークを低減するためにサブフィールドＳＦ１を必ず点灯させる場合には、サブフィールドＳＦ１を除いて点灯率の最も高いサブフィールドを特定すればよい。
【０１９４】
（実施の形態４）
図１３は、本実施の形態４におけるプラズマディスプレイパネル１０の駆動方法に適用されるサブフィールド構成を説明するための図である。なお、図１０と同様に、縦軸は走査電極ＳＣ１〜ＳＣ２１６０を示し、横軸は時間を示している。また、壁電圧調整期間として消去期間のみで構成される場合を示している。さらに、書込み動作を行うタイミングを実線で示し、維持期間は右上から左下への斜線ハッチングで、消去期間は左上から右下への斜線ハッチングで示している。本発明の実施の形態４におけるプラズマディスプレイ装置は実施の形態１に示したものと同様であるため、説明は省略する。
【０１９５】
わが国で採用されるＮＴＳＣ（National Television System Committee）方式の場合には１フィールドの時間は約１６．７ｍｓであるが、欧州諸国で主流であるＰＡＬ（Phase Alternating Line）方式の場合には１フィールドの時間は約２０ｍｓである。このようにＰＡＬ方式ではＮＴＳＣ方式に比べて１フィールドの周期が長いため、当該１フィールドに含まれる複数のサブフィールドの輝度の重みづけが１回の昇順あるいは降順である場合、フリッカとして見えることがあり、プラズマディスプレイパネルの表示品質の低下を招くことになる。
【０１９６】
そこで、ＰＡＬ方式では、１フィールドに含まれる複数のサブフィールドに関して、昇順あるいは降順の輝度重みづけが２回行われるようにする。例えば、図１３に示したサブフィールド構成の場合では、１回目の昇順としてサブフィールドＳＦ１〜ＳＦ５が配列され、２回目の昇順としてサブフィールドＳＦ６〜ＳＦ１０が配列されている。この結果として、プラズマディスプレイパネル１０のフリッカを防ぐとともにその表示品質を高めることができる。
【０１９７】
また、図１３に示したサブフィールド構成において、サブフィールドＳＦ５が最も輝度重みの大きいサブフィールドとし、かつサブフィールドＳＦ１０が２番目に輝度重みの大きいサブフィールドとする。この場合、サブフィールドＳＦ５、ＳＦ１０では、全ての表示電極対グループの間で維持期間および消去期間を同期させて設定する第２の駆動モードが常に設定される方が好ましい。
【０１９８】
また、初期化期間Ｔ０の終了直後のサブフィールドであるサブフィールドＳＦ１、および最も輝度重みの大きいサブフィールドＳＦ５の直後のサブフィールドであるサブフィールドＳＦ６については、放電セル間で放電クロストークが発生しやすいため、必ず点灯させることが好ましい。また、この場合、サブフィールドＳＦ１、ＳＦ６は維持放電させる放電セルの数が多くなるため、表示電極対グループ間で維持期間および消去期間を同期させて設定する第２の駆動モードが常に設定される方が好ましい。
【０１９９】
上記の一連の設定は、駆動モード設定部４６を含めたタイミング発生回路４５によって行われる。このように、１フィールドの時間が比較的長いＰＡＬ方式においても輝度差の発生しにくい表示が可能となる。
【０２００】
なお、本実施の形態１〜４において示した図１０〜図１３の具体的なサブフィールド構成は一例を示したに過ぎない。各表示品質を高める駆動方法を組み合わせて構成してもよいし、あるいは、駆動時間を短縮する駆動方法を組み合わせて構成してもよい。例えば、ＮＴＳＣ方式であっても、輝度重みが最も大きいサブフィールドと輝度重みが２番目に大きいサブフィールドにおいて、複数の表示電極対グループの間で同時に維持放電させるようにしてもよい。
【０２０１】
また、本実施の形態１から４において用いた具体的な各数値は、単に一例を挙げたに過ぎず、プラズマディスプレイパネル１０の特性やプラズマディスプレイ装置の仕様等に応じた適宜な値に設定される。
【０２０２】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造および／または機能の詳細を実質的に変更できる。
【産業上の利用可能性】
【０２０３】
本発明に係るプラズマディスプレイパネルの駆動方法及びプラズマディスプレイ装置によれば、超高精細のプラズマディスプレイパネルであっても、画質を確保するための十分なサブフィールド数を確保することができ、かつ表示電極対グループ間の境界となる表示領域付近での輝度差の発生を抑えることができるので、高精細のプラズマディスプレイパネルを駆動する上で有用である。
【符号の説明】
【０２０４】
１０    プラズマディスプレイパネル
２２    走査電極
２３    維持電極
２４    表示電極対
３２    データ電極
４０    プラズマディスプレイ装置
４１    画像信号処理回路
４２    データ電極駆動回路
４３    走査電極駆動回路
４４    維持電極駆動回路
４５    タイミング発生回路
４６    駆動モード設定部
５０，８０    維持パルス発生回路
５１，８１    電力回収部
５５，８５    電圧クランプ部
６０    傾斜波形発生回路
７０ａ、７０ｂ    走査パルス発生回路
７５ａ，７５ｂ    スイッチ回路
９０ａ、９０ｂ    一定電圧発生回路
１００ａ，１００ｂ  スイッチ回路
【図１】
2011001618.tif 000003
【図２】
2011001618.tif 000004
【図３】
2011001618.tif 000005
【図４】
2011001618.tif 000006
【図５】
2011001618.tif 000007
【図６】
2011001618.tif 000008
【図７】
2011001618.tif 000009
【図８】
2011001618.tif 000010
【図９】
2011001618.tif 000011
【図１０】
2011001618.tif 000012
【図１１】
2011001618.tif 000013
【図１２】
2011001618.tif 000014
【図１３】
2011001618.tif 000015
【手続補正書】
【提出日】平成22年11月19日(2010.11.19)
【手続補正１】
【補正対象書類名】明細書
【補正対象項目名】全文
【補正方法】変更
【補正の内容】
【発明の詳細な説明】
【技術分野】
【０００１】
本発明は、プラズマディスプレイパネルの駆動方法およびそれを用いたプラズマディスプレイ装置に関する。
【背景技術】
【０００２】
プラズマディスプレイパネルとして代表的な交流面放電型パネルは、対向配置された前面基板と背面基板との間に多数の放電セルが形成されている。
【０００３】
前面基板には走査電極と維持電極とからなる表示電極対が互いに平行に複数対形成され、背面基板にはデータ電極が平行に複数形成されている。そして、表示電極対とデータ電極とが立体交差するように前面基板と背面基板とが対向配置されて密封され、内部の放電空間には放電ガスが封入されている。ここで表示電極対とデータ電極との対向する部分に放電セルが形成される。
【０００４】
プラズマディスプレイパネルを駆動する方法としては、１フィールドを複数のサブフィールドに分割した上で、発光させるサブフィールドの組み合わせによって階調表示を行うサブフィールド法が用いられる。各サブフィールドは、初期化期間、書込み期間および維持期間を有する。初期化期間では初期化放電を発生し、続く書込み動作に必要な壁電荷を形成する。書込み期間では、表示する画像に応じて選択的に放電セルで書込み放電を発生し壁電荷を形成する。そして維持期間では、表示電極対に交互に維持パルス電圧を印加して維持放電を発生させ、対応する放電セルの蛍光体層を発光させることにより画像表示を行う。
【０００５】
サブフィールド法の中でも、全ての放電セルに対する維持期間の位相を揃えることにより書込み期間と維持期間とが重ならないように時間的に分離した、ＡＤＳ（Address and Display Separation）方式が一般的に用いられている。ＡＤＳ方式では、書込み放電を発生させる放電セルと維持放電を発生させる放電セルとが共存するタイミングが存在しないので、書込み期間には書込み放電に最適な条件で、維持期間には維持放電に最適な条件でプラズマディスプレイパネルを駆動することができる。そのため放電制御が比較的簡単であり、またプラズマディスプレイパネルの駆動マージンも大きく設定することができる。
【０００６】
その反面、ＡＤＳ方式では書込み期間を除く期間に維持期間を設定しなければならないため、プラズマディスプレイパネルの高精細度化等により書込み期間に要する時間が長くなると、画像表示品質を向上するための十分なサブフィールド数が確保できなくなるという問題があった。
【０００７】
このような問題を解決するために、表示電極対を複数のグループに分け、複数のグループのうち２つ以上のグループの書込み期間が時間的に重ならないように、それぞれのグループにおけるサブフィールドの開始時間をずらした駆動方法およびその駆動方法を用いたプラズマディスプレイ装置（例えば、特許文献１等を参照）が提案されている。なお、特許文献１のプラズマディスプレイ装置においては、表示電極対より分割されるグループ毎に、走査電極を駆動する走査電極駆動回路および維持電極を駆動する維持電極駆動回路がそれぞれ独立に設けられ、それぞれのグループ毎に異なったタイミングで駆動することが開示されている（特許文献１（第４−５頁、第２図）参照）。
【先行技術文献】
【特許文献】
【０００８】
【特許文献１】特開２００５−１５７３３８号公報
【発明の概要】
【発明が解決しようとする課題】
【０００９】
プラズマディスプレイパネルの表示品質を向上させるのに十分なサブフィールド数を確保するために特許文献１に開示されたようなプラズマディスプレイ装置を用いた場合、複数の表示電極対より分割される複数の表示電極対グループをそれぞれ異なったタイミングで駆動させる必要があり、当該複数の表示電極対グループと同数の走査電極駆動回路および維持電極駆動回路を設ける必要がある。
【００１０】
しかし、複数の走査電極駆動回路および複数の維持電極駆動回路を用いてプラズマディスプレイパネルを駆動する場合、表示電極対グループ間の境界となる表示領域付近で輝度差が発生するので、プラズマディスプレイパネルの表示品質が低下するという課題があった。
【００１１】
なお、このような輝度差は、表示電極対の各グループの維持放電における負荷の違いで発生するものである。すなわち、表示画像によって点灯させる放電セル数が表示電極対グループ間で異なるので、維持放電に要する放電電力が表示電極対グループ間で異なってくる。特に、維持パルス発生回路のインピーダンスの影響によって、各放電セルに印加される電圧が異なってくる。
【００１２】
その結果、表示電極対グループ毎の放電セルの放電強度が異なってくるため、表示電極対グループ間の境界となる表示領域付近で輝度差が発生する。さらに、複数の走査電極駆動回路および複数の維持電極駆動回路それぞれの性能ばらつきが大きくなるほど、その輝度差が助長されてしまう。
【００１３】
本発明は上記の課題に鑑みてなされたものであり、高精細度プラズマディスプレイパネルであっても十分なサブフィールド数を確保することができ、かつ表示電極対グループ間の境界となる表示領域付近での輝度差が発生しにくいプラズマディスプレイパネルの駆動方法、およびその駆動方法を備えたプラズマディスプレイ装置を提供することを目的とする。
【課題を解決するための手段】
【００１４】
上記目的を達成するために、本発明に係るプラズマディスプレイパネルの駆動方法は、走査電極と維持電極とから構成された複数の表示電極対と複数のデータ電極とを備え、前記表示電極対と前記データ電極とが交差する位置のそれぞれに放電セルを構成したプラズマディスプレイパネルの駆動方法であって、映像を構成する各フィールドは複数のサブフィールドを有し、各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、前記維持期間が前記壁電圧調整期間よりも短い場合には、前記プラズマディスプレイパネルの全ての前記表示電極対に対して前記維持期間と前記壁電圧調整期間とを行う第２の駆動モードを選択する。
【００１５】
第１の駆動モードの場合、複数の表示電極対グループ間で維持期間および壁電圧調整期間が表示電極対グループ毎に時間的に異なるタイミングで設定される。また、第１の駆動モードの場合、全ての表示電極対グループの壁電圧調整期間以外の期間においては全ての表示電極対グループの間で連続した書込み動作が行われるとともに、ある表示電極対グループの壁電圧調整期間においては残りの表示電極対グループの連続した書込み動作が制限される。このため、あるサブフィールドにおいて、１つの表示電極対グループにおいて書込み動作が終了した後、引き続き他の表示電極対グループにおける書込み動作が連続して行われると同時に維持放電が行われるように、書込み期間および維持期間を設定することができる。これにより、全体の駆動時間を短縮することが可能となる。
【００１６】
一方、維持期間が壁電圧調整期間よりも短くなる場合、いずれかの表示電極対グループが壁電圧調整期間にあるときに書込み動作が制限されて、その制限された期間の分、駆動時間が長くなる。この場合には、第１の駆動モードよりも全ての表示電極対グループ間で維持期間および壁電圧調整期間を同期させる第２の駆動モードを設定した方が、全体の駆動時間をさらに短縮することができる。
【００１７】
そこで、維持期間の長さと壁電圧調整期間の長さとを比較し、維持期間が壁電圧調整期間よりも長い場合には第１の駆動モードを選択し、維持期間が壁電圧調整期間よりも短い場合には第２の駆動モードを選択することで、従来のＡＤＳ方式のように全てのサブフィールを第１の駆動モード又は第２の駆動モードで固定する駆動方法の場合と比べて、全体の駆動時間をより効果的に短縮することができる。また、全体の駆動時間の短縮に伴って、高精細度プラズマディスプレイパネルであっても十分なサブフィールド数を確保することが容易となる。
【００１８】
さらに、従来のＡＤＳ方式のように全てのサブフィールを第１の駆動モード又は第２の駆動モードで固定する場合と比べて、複数のサブフィールドの中で第２の駆動モードが選択されるサブフィールドが存在し得る。このため、第２の駆動モードが選択されたサブフィールドに関しては複数の表示電極対グループの間で各放電セルに印加される電圧が均一化されるので、表示電極対グループ間の境界となる表示領域付近での輝度差の発生を抑えることができる。
【００１９】
上記のプラズマディスプレイパネルの駆動方法において、前記第１の駆動モードまたは前記第２の駆動モードを選択することよりも優先して、前記サブフィールド毎の前記維持期間の長さの情報に基づいて前記複数のサブフィールドの中の少なくともいずれかに対して前記第２の駆動モードを設定する、としてもよい。
【００２０】
サブフィールドの維持期間の長さの度合いによっては、全体の駆動時間を短縮することよりも表示電極対グループ間の境界となる表示領域付近での輝度差の発生を抑えた方が良い場合がある。そこで、この場合、維持期間の長さと壁電圧調整期間の長さとの比較結果に依らないで、第２の駆動モードを必ず設定するようにする。これにより、サブフィールド数の確保と表示電極対グループ間の境界となる表示領域付近での輝度差の抑制とをバランス良く実現することができる。  
【００２１】
上記のプラズマディスプレイパネルの駆動方法において、前記複数のサブフィールドの中で前記維持期間が最も長いサブフィールドに対して前記第２の駆動モードを設定する、としてもよい。
【００２２】
維持期間が最も長いサブフィールドは、複数の表示電極対グループの間で維持期間と壁電圧調整期間とを同期させる第２の駆動モードを設定した方が、各放電セルに印加させる電圧が均一化されて、表示電極対グループ間の境界となる表示領域付近での輝度差の発生を抑えることができる。
【００２３】
上記のプラズマディスプレイパネルの駆動方法において、前記複数のサブフィールドの中で前記維持期間が２番目に長いサブフィールドに対して前記第２の駆動モードを設定する、としてもよい。
【００２４】
維持期間が最も長いサブフィールドに第２の駆動モードを設定するだけでは表示電極対グループ間の境界となる表示領域付近での輝度差が十分改善されないおそれがある場合には、維持期間が２番目に長いサブフィールドについても同様に第２の駆動モードを設定することが好ましい。
【００２５】
上記のプラズマディスプレイパネルの駆動方法において、前記第１の駆動モードまたは前記第２の駆動モードを選択することよりも優先して、前記サブフィールド毎の維持放電させる放電セル数の情報に基づいて前記複数のサブフィールドの中の少なくともいずれかに対して前記第２の駆動モードを設定する、としてもよい。
【００２６】
サブフィールドの維持放電させる放電セル数の大きさによっては、全体の駆動時間を短縮することよりも表示電極対グループ間の境界となる表示領域付近での輝度差の発生を抑えた方が良い場合がある。そこで、この場合、維持期間の長さと壁電圧調整期間の長さとの比較結果に依らないで、第２の駆動モードを必ず設定するようにする。これにより、サブフィールド数の確保と表示電極対グループ間の境界となる表示領域付近での輝度差の抑制とをバランス良く実現することができる。  
【００２７】
上記のプラズマディスプレイパネルの駆動方法において、前記複数のサブフィールドの中で維持放電させる放電セルの数が最も多いサブフィールドに対して前記第２の駆動モードを設定する、としてもよい。
【００２８】
維持放電させる放電させる放電セル数が最も多いサブフィールドは、複数の表示電極対グループの間で維持期間と壁電圧調整期間とを同期させる第２の駆動モードを設定した方が、各放電セルに印加させる電圧が均一化されて、表示電極対グループ間の境界となる表示領域付近での輝度差の発生を抑えることができる。
【００２９】
上記のプラズマディスプレイパネルの駆動方法において、前記複数のサブフィールドの中で前記維持期間において維持放電させる前記放電セルの数が２番目に多いサブフィールドに対して前記第２の駆動モードを設定する、としてもよい。
【００３０】
維持放電させる放電セル数が最も多いサブフィールドに第２の駆動モードを設定するだけでは表示電極対グループの境界となる表示領域付近での輝度差が十分改善されないおそれがある場合には、維持放電させる放電セル数が２番目に多いサブフィールドについても同様に第２の駆動モードを設定することが好ましい。
【００３１】
上記のプラズマディスプレイパネルの駆動方法において、前記第１の駆動モードまたは前記第２の駆動モードを選択することよりも優先して、すべての前記放電セルを初期化放電させる初期化期間の直後のサブフィールド対して前記第２の駆動モードを設定する、としてもよい。
【００３２】
初期化期間において全ての放電セルを放電させた後では書込み期間の際のアドレス放電が強くなるため、放電セル間で放電クロストークが発生し易くなる。このため、初期化期間の直後のサブフィールドを必ず点灯させる方が良く、この場合、初期化期間の直後のサブフィールドは全てのサブフィールドをとおして点灯率が最も高くなる。そこで、初期化期間の直後のサブフィールドについては第２の駆動モードを設定することで、表示電極対グループ間の境界となる表示領域付近での輝度差の発生を抑えることができる。
【００３３】
上記目的を達成するために、本発明に係るプラズマディスプレイ装置は、走査電極と維持電極とから構成された複数の表示電極対と複数のデータ電極とを備え、前記表示電極対と前記データ電極とが交差する位置のそれぞれに放電セルを構成したプラズマディスプレイパネルと、前記プラズマディスプレイパネルを駆動する駆動回路を備えたプラズマディスプレイ装置であって、前記駆動回路は、映像を構成する各フィールドは複数のサブフィールドを有し、各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、前記維持期間が前記壁電圧調整期間よりも短い場合には、前記プラズマディスプレイパネルの全ての前記表示電極対に対して前記維持期間と前記壁電圧調整期間とを行う第２の駆動モードを選択する。
【００３４】
この構成により、高精細度プラズマディスプレイパネルであっても十分なサブフィールド数を確保することができ、かつ表示電極対グループ間の境界となる表示領域付近での輝度差の発生を抑制することができる。
【００３５】
上記のプラズマディスプレイ装置において、前記第１の駆動モードまたは前記第２の駆動モードを選択することよりも優先して、前記サブフィールド毎の前記維持期間の長さの情報に基づいて前記複数のサブフィールドの中の少なくともいずれかに対して前記第２の駆動モードを設定する、としてもよい。
【００３６】
上記のプラズマディスプレイ装置において、前記複数のサブフィールドの中で前記維持期間が最も長いサブフィールドに対して前記第２の駆動モードを設定する、としてもよい。
【００３７】
上記のプラズマディスプレイ装置において、前記複数のサブフィールドの中で前記維持期間が２番目に長いサブフィールドに対して前記第２の駆動モードを設定する、としてもよい。
【００３８】
上記のプラズマディスプレイ装置において、前記第１の駆動モードまたは前記第２の駆動モードを選択することよりも優先して、前記サブフィールド毎の維持放電させる放電セル数の情報に基づいて前記複数のサブフィールドの中の少なくともいずれかに対して前記第２の駆動モードを設定する、としてもよい。
【００３９】
上記のプラズマディスプレイ装置において、前記複数のサブフィールドの中で維持放電させる放電セルの数が最も多いサブフィールドに対して前記第２の駆動モードを設定する、としてもよい。
【００４０】
上記のプラズマディスプレイ装置において、前記複数のサブフィールドの中で前記維持期間において維持放電させる前記放電セルの数が２番目に多いサブフィールドに対して前記第２の駆動モードを設定する、としてもよい。
【００４１】
上記のプラズマディスプレイ装置において、前記第１の駆動モードまたは前記第２の駆動モードを選択することよりも優先して、すべての前記放電セルを初期化放電させる初期化期間の直後のサブフィールド対して前記第２の駆動モードを設定する、としてもよい。
【００４２】
上記目的を達成するために、その他の本発明に係るプラズマディスプレイ装置は、走査電極と維持電極とから構成された複数の表示電極対と複数のデータ電極とを備え、前記表示電極対と前記データ電極とが交差する位置のそれぞれに放電セルを構成したプラズマディスプレイパネルと、前記複数の走査電極を駆動する走査電極駆動回路と、前記複数の維持電極を駆動する維持電極駆動回路と、前記複数のデータ電極を駆動するデータ電極駆動回路と、画像信号および同期信号に基づいて前記画像処理信号回路と前記走査電極駆動回路と前記維持電極駆動回路と前記データ電極駆動回路とにタイミング信号を出力するタイミング発生回路と、を有し、映像を構成する各フィールドは複数のサブフィールドを有し、  各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、前記タイミング発生回路は、前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、前記維持期間が前記壁電圧調整期間よりも短い場合には、前記プラズマディスプレイパネルの全ての前記表示電極対に対して前記維持期間と前記壁電圧調整期間とを行う第２の駆動モードを選択する。
【発明の効果】
【００４３】
本発明によれば、高精細度プラズマディスプレイパネルであっても十分なサブフィールド数を確保することができ、かつ表示電極対グループ間の境界となる表示領域付近での輝度差の発生しにくいプラズマディスプレイパネルの駆動方法、およびその駆動方法を備えたプラズマディスプレイ装置を提供することが可能となる。
【図面の簡単な説明】
【００４４】
【図１】本発明の実施の形態１におけるプラズマディスプレイ装置のプラズマディスプレイパネルの分解斜視図である。
【図２】同プラズマディスプレイ装置のプラズマディスプレイパネルの電極配列図である。
【図３】同プラズマディスプレイ装置のサブフィールド構成の設定方法を説明するための図である。
【図４】同プラズマディスプレイ装置のプラズマディスプレイパネルの各電極に印加する駆動電圧波形を示す図である。
【図５】同プラズマディスプレイ装置の回路ブロック図である。
【図６】同プラズマディスプレイ装置の走査電極駆動回路の回路図である。
【図７】同プラズマディスプレイ装置の維持電極駆動回路の回路図である。
【図８】同プラズマディスプレイ装置の走査電極駆動回路の動作を説明する図である。
【図９】同プラズマディスプレイ装置の維持電極駆動回路の動作を説明する図である。
【図１０】本発明の実施の形態１におけるプラズマディスプレイパネルの駆動方法を説明するための図である。
【図１１】本発明の実施の形態２におけるプラズマディスプレイ装置のサブフィールド構成の設定方法を説明するための図である。
【図１２】本発明の実施の形態３におけるプラズマディスプレイ装置のサブフィールド構成の設定方法を説明するための図である。
【図１３】本発明の実施の形態４におけるプラズマディスプレイ装置のサブフィールド構成の設定方法を説明するための図である。
【発明を実施するための形態】
【００４５】
以下、本発明の実施の形態におけるプラズマディスプレイパネル（以下、「プラズマディスプレイパネル」と略記する）の駆動方法およびプラズマディスプレイ装置について、図面を用いて説明する。
【００４６】
（実施の形態１）
[プラズマディスプレイパネル１０の構成]
図１は、本発明の実施の形態１におけるプラズマディスプレイ装置のプラズマディスプレイパネル１０の分解斜視図である。ガラス製の前面基板２１上には、走査電極２２と維持電極２３とで構成された表示電極対２４が、複数形成されている。また、前面基板２１上には、表示電極対２４を覆うように、誘電体層２５と保護層２６とが順に積層されている。
【００４７】
背面基板３１上にはデータ電極３２が互いに平行になるように複数形成されている。また、背面基板３１上には、データ電極３２を覆うように誘電体層３３が形成され、さらにその上には、格子状の隔壁３４が形成されている。そして、誘電体層３３の上面と隔壁３４の側面とからなる空間には、赤色、緑色および青色を発光可能とする蛍光体層３５が設けられている。
【００４８】
上記のように形成された前面基板２１と背面基板３１とは、表示電極対２４とデータ電極３２とが立体交差する（以下、「交差する」と略記する場合がある）ように、微小な放電空間を挟んで対向配置される。前面基板２１と背面基板３１との外周部は、ガラスフリット等の封着材によって封着されている。前面基板２１と背面基板３１と内部の放電空間には、例えば、ネオン、アルゴン、キセノンといった希ガスあるいはそれらの混合ガスが、放電ガスとして封入されている。また、内部の放電空間は隔壁３４によって複数の区画に仕切られている。このように、本実施の形態１に係るプラズマディスプレイパネル１０が構成され、表示電極対２４とデータ電極３２とが交差する部分に放電セルが形成される。各放電セル内においては、ガス放電により発生させた紫外線で各蛍光体を励起発光させて、カラー表示が行われる。なお、プラズマディスプレイパネル１０の構造は上述したものに限られることはなく、例えば、ストライプ状の隔壁３４を備えたものであってもよい。
【００４９】
図２は、本発明の実施の形態１におけるプラズマディスプレイパネル１０の電極配列図である。プラズマディスプレイパネル１０には、ｎ本の走査電極ＳＣ１〜ＳＣｎ（図１に示す走査電極２２）およびｎ本の維持電極ＳＵ１〜ＳＵｎ（図１に示す維持電極２３）が行方向に配列されており、ｍ本のデータ電極Ｄ１〜Ｄｍ（図１に示すデータ電極３２）が列方向に配列されている。そして、１対の走査電極ＳＣｉ（ｉ＝１〜ｎ）および維持電極ＳＵｉ（ｉ＝１〜ｎ）と１つのデータ電極Ｄｊ（ｊ＝１〜ｍ）とが交差した部分に放電セルが形成されている。つまり、放電セルは、放電空間内においてｍ×ｎ個形成されている。表示電極対の数について特に制限はないが、本実施の形態１においては、ｎ＝２１６０として説明する。
【００５０】
走査電極ＳＣ１〜ＳＣ２１６０および維持電極ＳＵ１〜ＳＵ２１６０からなる２１６０対の表示電極対（図１に示す表示電極対２４）は、複数の表示電極対グループに分けられている。本実施の形態１においては、図２に示すように、プラズマディスプレイパネル１０を上下２分割して、プラズマディスプレイパネル１０の上半分に位置する表示電極対（維持電極ＳＵ１〜ＳＵ１０８０および走査電極ＳＣ１〜ＳＣ１０８０）を第１の表示電極対グループとし、プラズマディスプレイパネル１０の下半分に位置する表示電極対（維持電極ＳＵ１０８１〜ＳＵ２１６０および走査電極ＳＣ１０８１〜ＳＣ２１６０）を第２の表示電極対グループとする。なお、表示電極対グループの数Ｎの決め方については後述する。
【００５１】
[プラズマディスプレイパネル１０の駆動方法]
つぎに、プラズマディスプレイパネル１０を駆動するための駆動方法について説明する。本実施の形態１においては、初期化期間を除き、全ての表示電極対グループの間で書込み動作が連続して行われるように、走査パルス電圧および書込みパルス電圧のタイミングが設定されている。その結果、映像（画像）を構成する各１フィールド期間内に最大限の数のサブフィールドを設定することができる。以下、その詳細について例を挙げて説明する。
【００５２】
図３は、本発明の実施の形態１におけるプラズマディスプレイ装置のサブフィールド構成の設定方法を説明するための図である。図３（ａ）〜図３（ｄ）における縦軸は走査電極ＳＣ１〜ＳＣ２１６０を示し、横軸は時間を示している。また、書込み動作を行うタイミングを実線で示し、維持期間および後述する消去期間のタイミングはハッチングで示している。なお、以下の説明では、１フィールド期間の時間を１６．７ｍｓとした。
【００５３】
まず、図３（ａ）に示すように、１フィールド期間の最初において、プラズマディスプレイパネル１０の全ての放電セルにおいて一斉に初期化放電を発生させる初期化期間Ｔ０に要する時間を設定する。本実施の形態１においては、初期化期間Ｔ０に要する時間を５００μｓ（０．５ｍｓ）と設定した。
【００５４】
つぎに、図３（ｂ）に示すように、走査電極ＳＣ１〜ＳＣ２１６０に走査パルス電圧を順次印加するために要する時間Ｔｗを見積もる。このとき、走査電極ＳＣ１〜ＳＣ２１６０に対して書込み動作が連続して行われるように、走査パルス電圧を可能な限り短くかつ可能な限り連続して印加することが望ましい。本実施の形態１においては、走査電極１本あたりの書込み動作に要する時間Ｔｗｏを０．７μｓとした。走査電極の数が２１６０本であるため、全ての走査電極ＳＣ１〜ＳＣ２１６０で書込み動作が１回行われるために必要な時間Ｔｗは、０．７×２１６０＝１５１２μｓ（約１．５ｍｓ）である。
【００５５】
つぎに、１フィールド内のサブフィールド数を見積もる。ここでは消去期間に要する時間を無視するものとして、１フィールド期間の時間（１６．７ｍｓ）から初期化期間Ｔ０の時間（０．５ｍｓ）を引いて、全ての走査電極ＳＣ１〜ＳＣ２１６０に対して書込み動作が１回行われるために必要な時間（約１．５ｍｓ）で割ると、（１６．７−０．５）／１．５＝１０．８となる。従って、この場合、図３（ｃ）に示すように、１フィールド内で最大１０のサブフィールド（ＳＦ１、ＳＦ２、・・・、ＳＦ１０）を確保できることがわかる。
【００５６】
つぎに、表示電極対２４より分割される表示電極対グループの数Ｎを決める。具体的には、本実施の形態１において、サブフィールドＳＦ１〜ＳＦ１０に「１Ｔ」、「２Ｔ」、「３Ｔ」、「４Ｔ」、「６Ｔ」、「１１Ｔ」、「１８Ｔ」、「３０Ｔ」、「４４Ｔ」、「６０Ｔ」の維持パルス電圧（但し、１Ｔは維持パルス電圧の１周期を表す）が順に印加されるものとし、また維持パルス電圧の１周期である１Ｔを１０μｓとする。すると、維持パルス電圧を印加するために要する最大の時間Ｔｓは、１０×６０＝６００μｓである。ここで、表示電極対グループの数Ｎは、全ての走査電極で書込み動作が１回行われるために必要な時間Ｔｗと、維持パルス電圧が印加されるために要する最大の時間Ｔｓとを用いた以下の数式にもとづいて求められる。
【００５７】
Ｎ≧Ｔｗ／（Ｔｗ−Ｔｓ）・・・（式１）
本実施の形態１においては、Ｔｗ＝１５１２μｓ、Ｔｓ＝６００μｓであるので、上式の右式に当てはめると、１５１２／（１５１２−６００）＝１．６６となり、表示電極対グループの数Ｎ＝２となる。そこで、本実施の形態１では、図２に示したように、プラズマディスプレイパネル１０の表示電極対が上下２分割されて、第１の表示電極対グループと第２の表示電極対グループとに分けられている。
【００５８】
なお、２つの表示電極対グループを、プラズマディスプレイパネル１０の表示電極対の奇数番目と偶数番目とでインターレス分割することで構成してもよい。すなわち、走査電極ＳＣ１、ＳＣ３、・・・ＳＣ２１５９および維持電極ＳＵ１、ＳＵ３、・・・ＳＵ２１５９を第１の表示電極対グループとし、走査電極ＳＣ２、ＳＣ４、・・・ＳＣ２１６０および維持電極ＳＵ２、ＳＵ４、・・・ＳＵ２１６０を第２の表示電極対グループとしてもよい（図示せず）。インターレス分割を採用することにより、表示電極対グループ毎の輝度差がより緩和され、プラズマディスプレイパネル１０の画質が向上することになる。
【００５９】
図３（ｄ）に示すように、各表示電極対グループに属する走査電極の書込み後に、維持パルス電圧を印加する維持期間が設けられる。なお、各サブフィールドの維持期間が終了した後に続いて消去期間が設けられるが、図３（ｄ）では、図面作成の便宜上、維持期間と消去期間の両方とも右上から左下への斜線のハッチングで示している。
＜プラズマディスプレイパネル１０の駆動電圧波形＞
つぎに、駆動電圧波形の詳細とその駆動電圧波形を生成する際の動作について説明する。
【００６０】
図４は、本発明の実施の形態１におけるプラズマディスプレイパネル１０の各電極に印加される駆動電圧波形を示す図である。１フィールドの最初に全ての放電セルで初期化放電を発生させる初期化期間Ｔ０が設けられている。さらに、各表示電極対グループにおいて、各サブフィールドは、書込み期間、維持期間、消去期間、および休止期間を有する。なお、図４には、説明の便宜上、第１の表示電極対グループにおいては、初期化期間Ｔ０、サブフィールドＳＦ１〜ＳＦ２の全期間およびサブフィールドＳＦ３の書込み期間、第２の表示電極対グループにおいては、初期化期間Ｔ０およびサブフィールドＳＦ１〜ＳＦ２の全期間が示されている。
【００６１】
書込み期間は、表示する画像に応じて選択的に書込み放電を発生させて各電極上につぎの維持放電に必要な壁電圧（壁電荷）を形成する期間である。維持期間は、輝度重みに応じた時間だけ維持放電を発生させる期間である。消去期間は、消去放電を発生させて不要な壁電圧（壁電荷）を消去する期間である。休止期間は、あるサブフィールドの消去期間とつぎのサブフィールドの書込み期間との間で放電を発生させずかつ壁電荷の減少を抑制するために設けられる期間である。
【００６２】
消去期間と休止期間との機能（役割）を考察すると、これらの期間はあるサブフィールドの維持期間とつぎのサブフィールドの書込み期間との間において、つぎの書込み動作に備えて（つぎの書込み動作が適切に行えるように）壁電圧（壁電荷）を調整する期間である、とみなすことができる。そこで、本発明では、あるサブフィールドの維持期間とつぎのサブフィールドの書込み期間との間の期間を「壁電圧調整期間」と定義する。図４に示す例では、消去期間と休止期間とが壁電圧調整期間に相当する。なお、壁電圧調整期間としては、休止期間を設けずに消去期間のみで構成されてもよい。
【００６３】
まず、第１の表示電極対グループと第２の表示電極対グループとの間で共通の期間として設定される初期化期間Ｔ０について説明する。
【００６４】
初期化期間Ｔ０では、データ電極Ｄ１〜Ｄｍ、維持電極ＳＵ１〜ＳＵ２１６０にそれぞれ電圧０（Ｖ）が印加され、走査電極ＳＣ１〜ＳＣ２１６０には電圧Ｖｉ１から電圧Ｖｉ２に向かって緩やかに上昇する傾斜波形電圧が印加される。この傾斜波形電圧が上昇する間に、走査電極ＳＣ１〜ＳＣ２１６０と維持電極ＳＵ１〜ＳＵ２１６０との間、および、走査電極ＳＣ１〜ＳＣ２１６０とデータ電極Ｄ１〜Ｄｍとの間で、それぞれ微弱な初期化放電が発生する。これにより、走査電極ＳＣ１〜ＳＣ２１６０上には負の壁電圧が蓄積されるとともに、データ電極Ｄ１〜Ｄｍ上および維持電極ＳＵ１〜ＳＵ２１６０上には正の壁電圧が蓄積される。ここで、電極上の壁電圧とは電極を覆う誘電体層上、保護層上、蛍光体層上等に蓄積された壁電荷により生じる電圧を表す。なお、この期間はデータ電極Ｄ１〜Ｄｍに電圧Ｖｄが印加されてもよい。
【００６５】
つぎに、維持電極ＳＵ１〜ＳＵ２１６０に正の一定電圧Ｖｅ１が印加され、走査電極ＳＣ１〜ＳＣ２１６０には電圧Ｖｉ３から電圧Ｖｉ４に向かって緩やかに下降する傾斜波形電圧が印加される。この間に、走査電極ＳＣ１〜ＳＣ２１６０と維持電極ＳＵ１〜ＳＵ２１６０およびデータ電極Ｄ１〜Ｄｍとの間でそれぞれ微弱な初期化放電が発生する。これにより、走査電極ＳＣ１〜ＳＣ２１６０上の負の壁電圧および維持電極ＳＵ１〜ＳＵ２１６０上の正の壁電圧が弱められるとともに、データ電極Ｄ１〜Ｄｍ上の正の壁電圧は書込み動作に適した値に調整される。
【００６６】
その後、走査電極ＳＣ１〜ＳＣ２１６０に電圧Ｖｃが印加されて、全ての放電セルに対して初期化放電を行う初期化動作が終了する。
【００６７】
つぎに、第１の表示電極対グループに対するサブフィールドＳＦ１の書込み期間と、その書込み期間と同一の期間として設定される第２の表示電極対グループに対するサブフィールドＳＦ１の休止期間と、について説明する。
【００６８】
第１の表示電極対グループに対するサブフィールドＳＦ１の書込み期間では、シングルスキャン方式に従って、以下のように第１の表示電極対グループの１ライン目から１０８０ライン目に向けて順次書込みが行われるものとする。
【００６９】
維持電極ＳＵ１〜ＳＵ１０８０に正の一定電圧Ｖｅ２が印加される。そして１ライン目の走査電極ＳＣ１に負の電圧Ｖａを持つ走査パルス電圧が印加されるとともに、１ライン目に発光させるべき放電セルに対応するデータ電極Ｄｋ（ｋ＝１〜ｍの少なくともいずれか）に正の電圧Ｖｄを持つ書込みパルス電圧が印加される。すると、データ電極Ｄｋ上と走査電極ＳＣ１上との交差部の電圧差は、外部印加電圧の差（書込みパルス電圧Ｖｄ−走査パルス電圧Ｖａ）にデータ電極Ｄｋ上の壁電圧と走査電極ＳＣ１上の壁電圧の差とが加算されたものとなり、放電開始電圧を超えるようになる。これにより、データ電極Ｄｋと走査電極ＳＣ１との間で放電が開始され、維持電極ＳＵ１と走査電極ＳＣ１との間の放電へと進展して、これにより書込み放電が発生する。その結果、走査電極ＳＣ１上に正の壁電圧が蓄積され、維持電極ＳＵ１上に負の壁電圧が蓄積され、データ電極Ｄｋ上にも負の壁電圧が蓄積される。
【００７０】
このようにして、１ライン目に発光させるべき放電セルで書込み放電を発生して各電極上に壁電圧を蓄積する書込み動作が行われる。一方、書込みパルス電圧Ｖｄが印加されなかったデータ電極Ｄｋと走査電極ＳＣ１との交差部の電圧は、放電開始電圧を超えることはないので、書込み放電を発生させない。
【００７１】
つぎに、２ライン目の走査電極ＳＣ２に走査パルス電圧Ｖａが印加されるとともに、２ライン目に発光させるべき放電セルに対応するデータ電極Ｄｋに書込みパルス電圧Ｖｄが印加される。すると走査パルス電圧Ｖａと書込みパルス電圧Ｖｄとが同時に印加された２ライン目の放電セルでは書込み放電が発生し、これにより書込み動作が行われる。
【００７２】
以上の書込み動作が第１の表示電極対グループが属する１０８０ライン目の放電セルに至るまで繰り返され、第１の表示電極対グループの各ライン毎に発光させるべき放電セルに対して選択的に書込み放電を発生させて壁電荷を形成させる。
【００７３】
第１の表示電極対グループの書込み期間の間、第２の表示電極対グループに属する走査電極ＳＣ１０８１〜ＳＣ２１６０に、第１の表示電極対グループに属する走査電極ＳＣ１〜ＳＣ１０８０に印加される電圧Ｖｃよりも高い電圧Ｖｂが印加される。これにより、第２の表示電極対グループでは、放電が発生しない休止期間が設定される。このように休止期間においては、放電が発生しない範囲内で、走査電極ＳＣ１０８１〜ＳＣ２１６０ができるだけ高電位に保持される。この結果、壁電荷の減少を抑制することができ、続く書込み期間において安定した書込み動作が行われることができる。ただし、第２の表示電極対グループに属する各電極に印加される電圧は、上記に限定されるものではなく、放電を発生しない範囲内で他の電圧が印加されてもよい。
【００７４】
つぎに、第２の表示電極対グループに対するサブフィールドＳＦ１の書込み期間と、この書込み期間に含まれる期間として設定される第１の表示電極対グループに対するサブフィールドＳＦ１の維持期間、消去期間、および休止期間について説明する。
【００７５】
第２の表示電極対グループに対するサブフィールドＳＦ１の書込み期間では、シングルスキャン方式に従って、以下のように第２の表示電極対グループの１０８１ライン目から２１６０ライン目に向けて順次書込みが行われるものとする。
【００７６】
維持電極ＳＵ１０８１〜ＳＵ２１６０に正の一定電圧Ｖｅ２が印加される。そして１０８１ライン目の走査電極ＳＣ１０８１に走査パルス電圧Ｖａが印加されるとともに、１０８１ライン目に発光させるべき放電セルに対応するデータ電極Ｄｋ（ｋ＝１〜ｍの少なくともいずれか）に書込みパルス電圧Ｖｄが印加される。すると、データ電極Ｄｋと走査電極ＳＣ１０８１との間、および維持電極ＳＵ１０８１と走査電極ＳＣ１０８１との間で、書込み放電が発生する。
【００７７】
１０８２ライン目の走査電極ＳＣ１０８２に走査パルス電圧Ｖａが印加されるとともに、１０８２ライン目に発光させるべき放電セルに対応するデータ電極Ｄｋ（ｋ＝１〜ｍの少なくともいずれか）に書込みパルス電圧Ｖｄが印加される。すると走査パルス電圧Ｖａと書込みパルス電圧Ｖｄとが同時に印加された１０８２行目の放電セルで書込み放電が発生する。
【００７８】
以上の書込み動作が２１６０ライン目の放電セルに至るまで繰り返され、第２の表示電極対グループの各ライン毎に発光させるべき放電セルに対して選択的に書込み放電を発生させて壁電荷を形成させる。
【００７９】
第２の表示電極対グループの書込み期間の間、第１の表示電極対グループのサブフィールドＳＦ１において維持期間が最初に設定される。つまり、第１の表示電極対グループに属する走査電極ＳＣ１〜ＳＣ１０８０および維持電極ＳＵ１〜ＳＵ１０８０に「１Ｔ」の維持パルス電圧Ｖｓが交互に印加され、書込み放電を行った放電セルを発光させている。
【００８０】
具体的には、走査電極ＳＣ１〜ＳＣ１０８０に正の電圧Ｖｓの維持パルス電圧が印加されるとともに維持電極ＳＵ１〜ＳＵ１０８０に電圧０（Ｖ）が印加される。すると書込み放電を発生させた放電セルでは、走査電極ＳＣｉ（ｉ＝１〜１０８０のいずれか）と維持電極ＳＵｉ（ｉ＝１〜１０８０のいずれか）との電圧差が、維持パルス電圧Ｖｓに走査電極ＳＣｉ上の壁電圧と維持電極ＳＵｉ上の壁電圧との差を加算したものとなり、放電開始電圧を超えるようになる。これにより、走査電極ＳＣｉと維持電極ＳＵｉとの間で維持放電が発生し、放電ガスを励起することになる。また、この励起された放電ガスが安定状態に遷移する時に発生する紫外線によって、蛍光体層３５が発光する。その結果、走査電極ＳＣｉ上には、負の壁電圧が蓄積され、維持電極ＳＵｉ上には、正の壁電圧が蓄積される。
【００８１】
一方、書込み期間において書込み放電を発生させなかった放電セルでは維持放電は発生せず、初期化期間の終了時における壁電圧が保たれる。
【００８２】
つぎに、走査電極ＳＣ１〜ＳＣ１０８０には電圧０（Ｖ）が印加され、維持電極ＳＵ１〜ＳＵ１０８０には維持パルス電圧Ｖｓが印加される。すると、維持放電を発生した放電セルでは、維持電極ＳＵｉ上と走査電極ＳＣｉ上との電圧差が放電開始電圧を超えるので再び維持放電が発生する。その結果、維持電極ＳＵｉ上に負の壁電圧が蓄積され、走査電極ＳＣｉ上に正の壁電圧が蓄積される。
【００８３】
以降同様に、走査電極ＳＣ１〜ＳＣ１０８０と維持電極ＳＵ１〜ＳＵ１０８０とに交互に維持パルス電圧Ｖｓが印加され、表示電極対の電極間に電位差を与えることにより、書込み期間において書込み放電を発生した放電セルで維持放電が継続して行われる。
【００８４】
ここで、走査電極ＳＣ１〜ＳＣ１０８０と維持電極ＳＵ１〜ＳＵ１０８０とに交互に印加される維持パルス電圧Ｖｓは、走査電極ＳＣ１〜ＳＣ１０８０および維持電極ＳＵ１〜ＳＵ１０８０が同時に高電位となるタイミングを有する。すなわち、走査電極ＳＣ１〜ＳＣ１０８０に正の維持パルス電圧Ｖｓが印加されるとともに維持電極ＳＵ１〜ＳＵ１０８０に電圧０（Ｖ）が印加される場合、まず走査電極ＳＣ１〜ＳＣ１０８０の電圧を電圧０（Ｖ）から維持パルス電圧Ｖｓに向かって上昇させた後、維持電極ＳＵ１〜ＳＵ１０８０の電圧を維持パルス電圧Ｖｓから電圧０（Ｖ）に向かって降下させる。また走査電極ＳＣ１〜ＳＣ１０８０に電圧０（Ｖ）が印加されるとともに、維持電極ＳＵ１〜ＳＵ１０８０に正の維持パルス電圧Ｖｓが印加される場合、まず維持電極ＳＵ１〜ＳＵ１０８０の電圧を電圧０（Ｖ）から維持パルス電圧Ｖｓに向かって上昇させた後、走査電極ＳＣ１〜ＳＣ１０８０の電圧を維持パルス電圧Ｖｓから電圧０（Ｖ）に向かって降下させる。
【００８５】
このように、走査電極ＳＣ１〜ＳＣ１０８０および維持電極ＳＵ１〜ＳＵ１０８０が同時に高電位となるタイミングが存在するように、維持パルス電圧Ｖｓが走査電極ＳＣ１〜ＳＣ１０８０と維持電極ＳＵ１〜ＳＵ１０８０とに交互に印加される。この結果、データ電極に印加される書込みパルス電圧Ｖｄの影響を受けることなく安定した維持放電を継続させることができる。以下にその理由について説明する。
【００８６】
走査電極ＳＣ１〜ＳＣ１０８０に電圧０（Ｖ）を印加させるとともに維持電極ＳＵ１〜ＳＵ１０８０に維持パルス電圧Ｖｓを印加させる際、走査電極ＳＣ１〜ＳＣ１０８０の電圧を維持パルス電圧Ｖｓから電圧０（Ｖ）に向かって降下させた後に、維持電極ＳＵ１〜ＳＵ１０８０の電圧を電圧０（Ｖ）から維持パルス電圧Ｖｓに向かって上昇させたものとする。すると、データ電極Ｄｋに書込みパルス電圧Ｖｄが印加される場合、走査電極ＳＣ１〜ＳＣ１０８０の電圧が降下した時点で、走査電極ＳＣ１〜ＳＣ１０８０とデータ電極Ｄｋとの間で放電が発生し、維持放電の継続に必要な壁電荷が減少する可能性がある。
【００８７】
また走査電極ＳＣ１〜ＳＣ１０８０に維持パルス電圧Ｖｓを印加させるとともに維持電極ＳＵ１〜ＳＵ１０８０に電圧０（Ｖ）を印加させる際に、維持電極ＳＵ１〜ＳＵ１０８０の電圧を維持パルス電圧Ｖｓから電圧０（Ｖ）に向かって降下させた後に、走査電極ＳＣ１〜ＳＣ１０８０の電圧を電圧０（Ｖ）から維持パルス電圧Ｖｓに向かって上昇させたものとする。すると、データ電極Ｄｋに書込みパルス電圧Ｖｄが印加される場合、維持電極ＳＵ１〜ＳＵ１０８０の電圧が降下した時点で、維持電極ＳＵ１〜ＳＵ１０８０とデータ電極Ｄｋとの間で放電が発生し、維持放電の継続に必要な壁電荷が減少する可能性がある。
【００８８】
このように、第１の表示電極対グループを構成する走査電極ＳＣ１〜ＳＣ１０８０または維持電極ＳＵ１〜ＳＵ１０８０の一方の電極の電圧が維持パルス電圧Ｖｓから電圧０（Ｖ）に向けて降下した時点で放電が発生して壁電荷が減少した場合、その後に他方の電極の電圧を電圧０（Ｖ）から維持パルス電圧Ｖｓに向けて上昇させても、維持放電が発生しない、あるいは弱い維持放電となり、十分な壁電荷が蓄積されない。このため、維持放電を継続して発生できなくなるおそれがある。
【００８９】
しかしながら、本実施の形態１においては、第１の表示電極対グループを構成する走査電極ＳＣ１〜ＳＣ１０８０または維持電極ＳＵ１〜ＳＵ１０８０の一方の電極の電圧を電圧０（Ｖ）から維持パルス電圧Ｖｓに向けて上昇させた後に、他方の電極の電圧を維持パルス電圧Ｖｓから電圧０（Ｖ）に向けて降下させる。これにより、データ電極Ｄｋに書込みパルス電圧Ｖｄが印加されても、一方の電極とデータ電極Ｄｋとの間で先行して放電が発生するおそれがない。そのため、本実施の形態１では、書込みパルス電圧Ｖｄの有無に関わらずに維持放電を安定して継続できる。
【００９０】
そして、第１の表示電極対グループにおけるサブフィールドＳＦ１の維持期間の後に、消去期間が設けられている。この消去期間では、走査電極ＳＣ１〜ＳＣ１０８０に電圧Ｖｒに向かって上昇する傾斜波形電圧が印加された後、電圧０（Ｖ）が印加される。また、その後、維持電極ＳＵ１〜ＳＵ１０８０に一定電圧Ｖｅ１が印加された後、走査電極ＳＣ１〜ＳＣ１０８０に電圧Ｖｉ４に向かって降下する傾斜波形電圧が印加される。このように、データ電極Ｄｋ上の正の壁電圧を残したまま、走査電極ＳＣｉおよび維持電極ＳＵｉ上の壁電圧を消去している。
【００９１】
上記の壁電圧の消去動作が行われるためには、ある程度の時間が必要である。また、上記の消去期間では、壁電圧が消去される期間というだけでなく、つぎの書込み期間の書込み動作に備えてデータ電極上の壁電圧が調整される期間でもある。このため、データ電極Ｄｋの電圧を固定しておくことが望ましい。そのため、本実施の形態１では、第１の表示電極対グループおよび第２の表示電極対グループのうち一方の表示電極対グループの消去期間において、他方の表示電極対グループの書込み動作が停止されるようにしている。
【００９２】
第１の表示電極対グループの消去期間の後、第１の表示電極対グループに属する走査電極ＳＣ１〜ＳＣ１０８０に、第２の表示電極対グループに属する走査電極ＳＣ１０８１〜ＳＣ２１６０に印加される電圧Ｖｃよりも高い電圧Ｖｂが印加される。これにより、第１の表示電極対グループでは、放電が発生しない休止期間が設定される。このように、休止期間では、放電が発生しない範囲内で、走査電極ＳＣ１〜ＳＣ１０８０ができるだけ高電位に保持される。この結果、壁電荷の減少を抑制することができ、続くサブフィールドＳＦ２の書込み期間において安定した書込み動作を行うことができる。
【００９３】
つぎに第１の表示電極対グループに対するサブフィールドＳＦ２の書込み期間と、この書込み期間に含まれる期間として設定される第２の表示電極対グループに対するサブフィールドＳＦ１の維持期間、消去期間、および休止期間について説明する。
【００９４】
第１の表示電極対グループに対するサブフィールドＳＦ２の書込み期間では、まず維持電極ＳＵ１〜ＳＵ１０８０に一定電圧Ｖｅ２が印加される。そして走査電極ＳＣ１〜ＳＣ１０８０には、ＳＦ１の書込み期間と同様に走査パルス電圧Ｖａが順次印加されるとともに、データ電極Ｄｋに書込みパルス電圧Ｖｄが印加されることで、１ライン目〜１０８０ライン目の放電セルで書込み動作が行われる。
【００９５】
第１の表示電極対グループに対するサブフィールドＳＦ２の書込み期間の間、第２の表示電極対グループに対してサブフィールドＳＦ１の維持期間が設定される。すなわち、走査電極ＳＣ１０８１〜ＳＣ２１６０および維持電極ＳＵ１０８１〜ＳＵ２１６０には「１Ｔ」の維持パルス電圧Ｖｓが交互に印加されて、書込み放電を行った放電セルが発光される。なお、走査電極ＳＣ１０８１〜ＳＣ２１６０または維持電極ＳＵ１０８１〜ＳＵ２１６０に対し交互に印加される維持パルス電圧Ｖｓは、走査電極ＳＣ１０８１〜ＳＣ２１６０および維持電極ＳＵ１０８１〜ＳＵ２１６０が同時に高電位となるタイミングを有する。
【００９６】
第２の表示電極対グループに対するサブフィールドＳＦ１の維持期間の後に、消去期間が設定される。この消去期間では、走査電極ＳＣ１０８１〜ＳＣ２１６０に電圧０（Ｖ）から電圧Ｖｒに向かって上昇する傾斜波形電圧が印加され、その後０（Ｖ）が印加される。また、その後、維持電極ＳＵ１０８１〜ＳＵ２１６０に一定電圧Ｖｅ１が印加された後、走査電極ＳＣ１０８１〜ＳＣ２１６０に電圧Ｖｉ４に向かって降下する傾斜波形電圧が印加される。このように、データ電極Ｄｋ上の正の壁電圧を残したまま、走査電極ＳＣｉおよび維持電極ＳＵｉ上の壁電圧を消去している。
【００９７】
第２の表示電極対グループに対するサブフィールドＳＦ１の消去期間の後に、放電が発生しない休止期間が設定される。この休止期間では、走査電極ＳＣ１０８１〜ＳＣ２１６０には電圧Ｖｃよりも高い電圧Ｖｂが印加される。この休止期間は、第１の表示電極対グループの書込み期間が終了するまで継続する。
【００９８】
以降同様に、第２の表示電極対グループに対するサブフィールドＳＦ２の書込み期間、第１の表示電極対グループに対するサブフィールドＳＦ３の書込み期間、・・・、第２の表示電極対グループに対するサブフィールドＳＦ１０の書込み期間と移行し、最後に第２の表示電極対グループに対するサブフィールドＳＦ１０の維持期間および消去期間が設定される。これにより、１フィールドが終了する。
【００９９】
このように、本実施の形態１においては、初期化期間Ｔ０の後に、第１の表示電極対グループと第２の表示電極対グループとの間で書込み動作が連続して行われるように、走査パルス電圧Ｖａおよび書込みパルス電圧Ｖｄのタイミングが設定されている。この結果、１フィールド期間内に含まれるサブフィールドの数を十分に確保することができ、本実施の形態１では、サブフィールドの数を１０としている。
【０１００】
なお、本実施の形態１においては、電圧Ｖｉ１は１５０（Ｖ）、電圧Ｖｉ２は４００（Ｖ）、電圧Ｖｉ３は２００（Ｖ）、電圧Ｖｉ４は−１５０（Ｖ）、電圧Ｖｃは−１０（Ｖ）、電圧Ｖｂは１５０（Ｖ）電圧Ｖａは−１６０（Ｖ）、電圧Ｖｓは２００（Ｖ）、電圧Ｖｒは２００（Ｖ）、電圧Ｖｅ１は１４０（Ｖ）、電圧Ｖｅ２は１５０（Ｖ）、および電圧Ｖｄは６０（Ｖ）である。また、走査電極ＳＣ１〜ＳＣ２１６０に印加する上り傾斜波形電圧のこう配は１０（Ｖ／μｓ）、下り傾斜波形電圧のこう配は−２（Ｖ／μｓ）である。しかしこれらの電圧値、こう配は上述した値に限定されるものではなく、プラズマディスプレイパネル１０の放電特性やプラズマディスプレイ装置の仕様に基づき最適に設定することが望ましい。
【０１０１】
[プラズマディスプレイ装置の駆動回路]
つぎに、本実施の形態１におけるプラズマディスプレイ装置の駆動回路について説明する。
【０１０２】
図５は、本発明の実施の形態１におけるプラズマディスプレイ装置４０の回路ブロック図である。プラズマディスプレイ装置４０は、プラズマディスプレイパネル１０、画像信号処理回路４１、データ電極駆動回路４２、走査電極駆動回路４３、維持電極駆動回路４４、駆動モード設定部４６を含むタイミング発生回路４５、および各回路ブロックに必要な電源を供給する電源回路（図示せず）を備えている。
【０１０３】
画像信号処理回路４１は、外部より入力された画像信号を、サブフィールド毎の発光または非発光を示す画像データに変換する。
【０１０４】
データ電極駆動回路４２は、ｍ本のデータ電極Ｄ１〜Ｄｍのそれぞれに書込みパルス電圧Ｖｄまたは電圧０（Ｖ）を印加するためのｍ個のスイッチを備えており、画像信号処理回路４１から出力された画像データを各データ電極Ｄ１〜Ｄｍに対応する書込みパルス電圧Ｖｄに変換し、各データ電極Ｄ１〜Ｄｍに印加する。
【０１０５】
タイミング発生回路４５は、同期信号（水平同期信号、垂直同期信号）、および画像信号処理回路４１からの点灯率情報に基づいて各回路４１、４２、４３、４４の動作を制御する各種のタイミング信号を発生し、それぞれの回路４１、４２、４３、４４へ供給する。具体的には、タイミング発生回路４５は、垂直同期信号から一定時間経過した時点でフィールド開始信号を生成し、このフィールド開始信号を起点に各サブフィールドの書込み期間、維持期間、および消去期間等の開始を指示するタイミング信号を生成する。さらに、タイミング発生回路４５は、各期間の開始を指示するタイミング信号を起点としてクロックをカウントすることにより、各回路４１、４２、４３、４４に、パルス発生のタイミングを指示するタイミング信号を生成して供給する。
【０１０６】
さらに、タイミング発生回路４５は、駆動モード設定部４６を備えている。駆動モード設定部４６は、１フィールドに含まれるサブフィールド毎に、あるサブフィールドにおいて表示電極対グループ毎に維持期間と消去期間とを設定する駆動モード（以下、「第１の駆動モード」という）、または表示電極対グループの間で維持期間と消去期間とを同期させて設定する駆動モード（以下、「第２の駆動モード」という）を選択する。尚、第１の駆動モードまたは第２の駆動モードの選択方法の詳細については後述する。タイミング発生回路４５は、駆動モード設定部４６により選択された第１の駆動モードまたは第２の駆動モードに基づいたタイミング信号を生成して出力する。なお、駆動モード設定部４６は、マイクロコンピュータやＦＰＧＡなどで実現することができる。
【０１０７】
走査電極駆動回路４３はタイミング発生回路４５から供給されるタイミング信号に基づいて、第１の表示電極対グループに属する走査電極ＳＣ１〜ＳＣ１０８０および第２の表示電極対グループに属する走査電極ＳＣ１０８１〜ＳＣ２１６０を駆動する。また、維持電極駆動回路４４は、タイミング発生回路４５から供給されるタイミング信号に基づいて、第１の表示電極対グループに属する維持電極ＳＵ１〜ＳＵ１０８０および第２の表示電極対グループに属する維持電極ＳＵ１０８１〜ＳＵ２１６０を駆動する。
【０１０８】
図６は、本発明の実施の形態１における、プラズマディスプレイ装置４０の走査電極駆動回路４３の回路図である。走査電極駆動回路４３は、走査電極側維持パルス発生回路５０（以下、単に「維持パルス発生回路５０」と略称する）、傾斜波形発生回路６０、第１の表示電極対グループ側走査パルス発生回路７０ａ（以下、単に「走査パルス発生回路７０ａ」と略称する）、第２の表示電極対グループ側走査パルス発生回路７０ｂ（以下、単に「走査パルス発生回路７０ｂ」と略称する）、第１の表示電極対グループ側走査電極側スイッチ回路７５ａ（以下、単に「スイッチ回路７５ａ」と略称する）、第２の表示電極対側走査電極側スイッチ回路７５ｂ（以下、単に「スイッチ回路７５ｂ」と略称する）を備えている。
【０１０９】
維持パルス発生回路５０は、電力回収部５１と電圧クランプ部５５とを有し、第１の表示電極対グループに属する走査電極ＳＣ１〜ＳＣ１０８０および／または第２の表示電極対グループに属する走査電極ＳＣ１０８１〜ＳＣ２１６０に印加させる維持パルス電圧Ｖｓを発生する。
【０１１０】
電力回収部５１は、電力回収用のコンデンサＣ５１、スイッチング素子Ｑ５１、Ｑ５２、逆流防止用のダイオードＤ５１、Ｄ５２、共振用のインダクタＬ５１、Ｌ５２を有しており、表示電極対間の電極間容量とインダクタＬ５１またはインダクタＬ５２とをＬＣ共振させて維持パルス電圧Ｖｓの立上りおよび立下りを形成する。維持パルス電圧Ｖｓの立上り形成時には、電力回収用のコンデンサＣ５１に蓄えられている電荷が、スイッチング素子Ｑ５１、ダイオードＤ５１およびインダクタＬ５１を介して電極間容量に移動される。維持パルス電圧Ｖｓの立下り形成時には、電極間容量に蓄えられた電荷が、インダクタＬ５２、ダイオードＤ５２およびスイッチング素子Ｑ５２を介して電力回収用のコンデンサＣ５１に移動される。このように、電力回収部５１は電源から電力を供給されることなくＬＣ共振によって維持パルス電圧Ｖｓの立上りおよび立下りを形成するため、理想的には消費電力が「０」となる。なお、電力回収用のコンデンサＣ５１は、電極間容量に比べて十分に大きい容量を持ち、電力回収部５１の電源として働くように、維持パルス電圧Ｖｓの半分の約Ｖｓ／２に充電されている。
【０１１１】
電圧クランプ部５５は、スイッチング素子Ｑ５５、Ｑ５６を有する。そしてスイッチング素子Ｑ５５をオンにすることにより、維持パルス発生回路５０の出力電圧（図６のノードＣの電圧）を維持パルス電圧Ｖｓにクランプする。また、スイッチング素子Ｑ５６をオンにすることにより、維持パルス発生回路５０の出力電圧を電圧０（Ｖ）にクランプする。
【０１１２】
維持パルス発生回路５０は、上記のように、スイッチング素子Ｑ５１、Ｑ５２、Ｑ５５、Ｑ５６を制御することによって、維持パルス電圧Ｖｓを発生する。なお、図６に示した例では、スイッチング素子Ｑ５１、Ｑ５２、Ｑ５５、Ｑ５６として、ＩＧＢＴが用いられているが、その他にＭＯＳＦＥＴ等が用いられてもよい。なお、スイッチング素子Ｑ５５、Ｑ５６としてＩＧＢＴが用いられる場合には、制御する電流の方向と逆の方向の電流経路を確保する必要がある。そのため、図６に示したように、スイッチング素子Ｑ５５と並列にダイオードＤ５５が接続され、スイッチング素子Ｑ５６と並列にダイオードＤ５６が接続されている。また、図６には示していないが、ＩＧＢＴを保護するためにスイッチング素子Ｑ５１およびスイッチング素子Ｑ５２のそれぞれに並列にダイオードが接続されてもよい。
【０１１３】
スイッチング素子Ｑ５９は分離スイッチであり、初期化期間においてノードＣの電圧がＶｉ２のように維持パルス電圧Ｖｓよりも上昇する際、ダイオードＤ５５を介して電流が後述する傾斜波形発生回路６０から維持パルス電圧Ｖｓに向かって逆流するのを防止するために設けられている。
【０１１４】
傾斜波形発生回路６０は、２つのミラー積分回路６１、６２を備えている。ミラー積分回路６１は、傾斜波形発生回路６０の出力電圧（図６中のノードＣの電圧）を電圧Ｖｔに向かって緩やかに上昇させる。またミラー積分回路６２は、傾斜波形発生回路６０の出力電圧を電圧Ｖｒに向かって緩やかに上昇させる。
【０１１５】
走査パルス発生回路７０ａは、電圧Ｖｐの電源Ｅ７１ａと、ミラー積分回路７１ａと、スイッチング素子Ｑ７１Ｈ１〜Ｑ７１Ｈ１０８０と、スイッチング素子Ｑ７１Ｌ１〜Ｑ７１Ｌ１０８０とを有する。ミラー積分回路７１ａは、電源Ｅ７１ａの低圧側の電圧（図６のノードＡの電圧）を電圧Ｖａに向かって緩やかに降下させる。また電源Ｅ７１ａの低圧側の電圧を電圧Ｖａにクランプする。スイッチング素子Ｑ７１Ｌ１〜Ｑ７１Ｌ１０８０は、対応する走査電極に電源Ｅ７１ａの低圧側の電圧を印加し、スイッチング素子Ｑ７１Ｈ１〜Ｑ７１Ｈ１０８０は、対応する走査電極に電源Ｅ７１ａの高圧側の電圧を印加する。
【０１１６】
走査パルス発生回路７０ｂは、走査パルス発生回路７０ａと同様の構成であり、電圧Ｖｐの電源Ｅ７１ｂと、ミラー積分回路７１ｂと、スイッチング素子Ｑ７１Ｈ１０８１〜Ｑ７１Ｈ２１６０と、スイッチング素子Ｑ７１Ｌ１０８１〜Ｑ７１Ｌ２１６０とを有する。そして第２の表示電極対グループに属する走査電極ＳＣ１０８１〜ＳＣ２１６０のそれぞれに電源Ｅ７１ｂの高圧側の電圧または低圧側の電圧が印加される。
【０１１７】
スイッチ回路７５ａは、スイッチング素子Ｑ７６ａを有し、維持パルス発生回路５０および傾斜波形発生回路６０と走査パルス発生回路７０ａとを電気的に接続または分離させる。スイッチ回路７５ｂは、スイッチング素子Ｑ７６ｂを有し、維持パルス発生回路５０および傾斜波形発生回路６０と走査パルス発生回路７０ｂとを電気的に接続または分離させる。
【０１１８】
図７は、本発明の実施の形態１におけるプラズマディスプレイ装置４０の維持電極駆動回路４４の回路図である。維持電極駆動回路４４は、維持電極側維持パルス発生回路８０（以下、単に「維持パルス発生回路８０」と略称する）、第１の表示電極対グループ側一定電圧発生回路９０ａ（以下、単に「一定電圧発生回路９０ａ」と略称する）、第２の表示電極対グループ側一定電圧発生回路９０ｂ（以下、単に「一定電圧発生回路９０ｂ」と略称する）、維持電極側スイッチ回路１００ａ（以下、単に「スイッチ回路１００ａ」と略称する）、維持電極側スイッチ回路１００ｂ（以下、単に「スイッチ回路１００ｂ」と略称する）を備えている。
【０１１９】
維持パルス発生回路８０は、電力回収部８１と電圧クランプ部８５とを有し、第１の表示電極対グループに属する維持電極ＳＵ１〜ＳＵ１０８０および／または第２の表示電極対グループに属する維持電極ＳＵ１０８１〜ＳＵ２１６０に印加させる維持パルス電圧Ｖｓを発生する。
【０１２０】
電力回収部８１は、電力回収用のコンデンサＣ８１、スイッチング素子Ｑ８１、Ｑ８２、逆流防止用のダイオードＤ８１、Ｄ８２、共振用のインダクタＬ８１、Ｌ８２を有し、電力回収部５１と同様にして、表示電極対間の電極間容量とインダクタＬ８１またはインダクタＬ８２とをＬＣ共振させて維持パルス電圧Ｖｓの立上りおよび立下りを形成する。
【０１２１】
電圧クランプ部８５は、スイッチング素子Ｑ８５、Ｑ８６を有し、電圧クランプ部５５と同様にして、維持パルス発生回路８０の出力電圧（図７のノードＤの電圧）を維持パルス電圧Ｖｓまたは電圧０（Ｖ）にクランプする。
【０１２２】
一定電圧発生回路９０ａは、スイッチング素子Ｑ９１ａ、Ｑ９２ａ、Ｑ９３ａ、Ｑ９４ａを有する。スイッチング素子Ｑ９３ａとスイッチング素子Ｑ９４ａとは、制御する電流の方向が互いに逆になるように直列接続された双方向のスイッチを形成している。そしてスイッチング素子Ｑ９１ａ、Ｑ９３ａ、Ｑ９４ａを介して第１の表示電極対グループに属する維持電極ＳＵ１〜ＳＵ１０８０に一定電圧Ｖｅ１を印加し、スイッチング素子Ｑ９２ａ、Ｑ９３ａ、Ｑ９４ａを介して維持電極ＳＵ１〜ＳＵ１０８０に一定電圧Ｖｅ２を印加する。
【０１２３】
一定電圧発生回路９０ｂは、一定電圧発生回路９０ａと同様の構成であり、スイッチング素子Ｑ９１ｂ、Ｑ９２ｂ、Ｑ９３ｂ、Ｑ９４ｂを有する。そして第２の表示電極対グループに属する維持電極ＳＵ１０８１〜ＳＵ２１６０に一定電圧Ｖｅ１または一定電圧Ｖｅ２を印加する。
【０１２４】
なお、一定電圧発生回路９０ａ、９０ｂが具備する各スイッチング素子は、ＭＯＳＦＥＴやＩＧＢＴ等を用いて構成することができる。ただし、図７には、一定電圧発生回路９０ａ、９０ｂが具備するスイッチング素子として、ＭＯＳＦＥＴおよびＩＧＢＴを用いた回路構成が示されている。スイッチング素子Ｑ９４ａ、Ｑ９４ｂにはＩＧＢＴが用いられており、制御する電流の方向と逆の方向の電流経路を確保するためにスイッチング素子Ｑ９４ａに並列にダイオードＤ９４ａが接続され、スイッチング素子Ｑ９４ｂに並列にダイオードＤ９４ｂが接続されている。
【０１２５】
また、スイッチング素子Ｑ９４ａは、維持電極ＳＵ１〜ＳＵ１０８０から電圧Ｖｅ１、Ｖｅ２の電源に向かって電流を流すために設けられている。なお、電圧Ｖｅ１、Ｖｅ２の電源から維持電極ＳＵ１〜ＳＵ１０８０に向かってのみ電流を流す場合にはスイッチング素子Ｑ９４ａが省略されてもよい。スイッチング素子Ｑ９４ｂについても同様である。
【０１２６】
また、スイッチング素子Ｑ９３ａのゲート−ドレイン間にコンデンサＣ９３ａが接続され、スイッチング素子Ｑ９３ｂのゲート−ドレイン間にコンデンサＣ９３ｂが接続されている。コンデンサＣ９３ａ、Ｃ９３ｂは、電圧Ｖｅ１、Ｖｅ２印加時の立上りを緩やかにするために設けられているが、例えば、電圧Ｖｅ１、電圧Ｖｅ２をステップ状に変化させる場合には不要である。
【０１２７】
分離スイッチ回路１００ａは、スイッチング素子Ｑ１０１ａ、Ｑ１０２ａを有し、スイッチング素子Ｑ１０１ａとスイッチング素子Ｑ１０２ａとは制御する電流の方向が互いに逆になるように、直列接続された双方向のスイッチを形成している。そして維持パルス発生回路８０と第１の表示電極対グループに属する維持電極ＳＵ１〜ＳＵ１０８０とを電気的に接続または分離する。
【０１２８】
分離スイッチ回路１００ｂは、スイッチング素子Ｑ１０１ｂ、Ｑ１０２ｂを有し、スイッチング素子Ｑ１０１ｂとスイッチング素子Ｑ１０２ｂとも制御する電流の方向が互いに逆になるように、直列接続された双方向のスイッチを形成している。そして維持パルス発生回路８０と第２の表示電極対グループに属する維持電極ＳＵ１０８１〜ＳＵ２１６０とを電気的に接続または分離する。
【０１２９】
つぎに、走査電極駆動回路４３の動作について説明する。なお本実施の形態１においては、図５に示した電圧Ｖｉ１は電圧Ｖｐに等しく、電圧Ｖｉ２は電圧（Ｖｔ＋Ｖｐ）に等しく、電圧Ｖｉ３は電圧Ｖｓに等しく、電圧Ｖｂは電圧Ｖｐに等しく、かつ電圧Ｖｃは電圧（Ｖａ＋Ｖｐ）に等しいものとして説明する。しかし、これらの電圧は上記に限定されるものではなく、回路構成に応じて適宜設定することができる。
【０１３０】
図８は、本発明の実施の形態１におけるプラズマディスプレイ装置４０の走査電極駆動回路４３の動作を説明する図であり、第１の表示電極対グループに属する走査電極ＳＣ１および第２の表示電極対グループに属する走査電極ＳＣ１０８１に印加される駆動電圧波形と、走査パルス発生回路７０ａのスイッチング素子Ｑ７１Ｈ１、Ｑ７１Ｌ１、走査パルス発生回路７０ｂのスイッチング素子Ｑ７１Ｈ１０８１、Ｑ７１Ｌ１０８１、スイッチ回路７５ａのスイッチング素子Ｑ７６ａ、およびスイッチ回路７５ｂのスイッチング素子Ｑ７６ｂの各制御信号と、を示している。
【０１３１】
初期化期間Ｔ０では、電圧（Ｖｐ＋Ｖｔ）に向かって上昇する傾斜波形電圧が走査電極ＳＣ１〜ＳＣ２１６０に印加されるために、走査電極駆動回路４３は、走査パルス発生回路７０ａ、７０ｂのスイッチング素子Ｑ７１Ｈ１〜Ｑ７１Ｈ２１６０をオン、スイッチ回路７５ａのスイッチング素子Ｑ７６ａ、スイッチ回路７５ｂのスイッチング素子Ｑ７６ｂをオン、かつ維持パルス発生回路５０のスイッチング素子Ｑ５６をオンにして、走査電極ＳＣ１〜ＳＣ２１６０に電圧Ｖｐを印加させる。スイッチング素子Ｑ５６をオフにした後、ミラー積分回路６１を動作させて走査電極ＳＣ１〜ＳＣ２１６０の電圧を電圧（Ｖｐ＋Ｖｔ）に向かって上昇させる。なお、この時のスイッチング素子Ｑ５９はオフしている。
【０１３２】
つぎに電圧Ｖｉ４に向かって降下する傾斜波形電圧が走査電極ＳＣ１〜ＳＣ２１６０に印加されるために、走査電極駆動回路４３は、走査パルス発生回路７０ａ、７０ｂのスイッチング素子Ｑ７１Ｈ１〜Ｑ７１Ｈ２１６０をオフ、スイッチング素子Ｑ７１Ｌ１〜Ｑ７１Ｌ２１６０をオン、かつ維持パルス発生回路５０のスイッチング素子Ｑ５５、Ｑ５９をオンにして、走査電極ＳＣ１〜ＳＣ２１６０に維持パルス電圧Ｖｓを印加させる。その後、スイッチ回路７５ａのスイッチング素子Ｑ７６ａおよびスイッチ回路７５ｂのスイッチング素子Ｑ７６ｂをオフにして、走査パルス発生回路７０ａのミラー積分回路７１ａおよび走査パルス発生回路７０ｂのミラー積分回路７１ｂを動作させる。そして走査電極ＳＣ１〜ＳＣ２１６０の電圧が電圧Ｖｉ４まで降下した時点でスイッチング素子Ｑ７１Ｌ１〜Ｑ７１Ｌ２１６０をオフにし、かつスイッチング素子Ｑ７１Ｈ１〜Ｑ７１Ｈ２１６０をオンにする。
【０１３３】
第１の表示電極対グループのサブフィールドＳＦ１の書込み期間では、走査電極ＳＣ１〜ＳＣ１０８０に走査パルス電圧を順次印加させるために、走査電極駆動回路４３は、走査パルス発生回路７０ａのスイッチング素子Ｑ７１Ｈ１をオフにし、かつスイッチング素子Ｑ７１Ｌ１をオンにすることで走査電極ＳＣ１に電圧Ｖａを印加させる。その後、スイッチング素子Ｑ７１Ｌ１をオフにし、かつスイッチング素子Ｑ７１Ｈ１をオンに戻す。つぎに、スイッチング素子Ｑ７１Ｈ２をオフにし、かつスイッチング素子Ｑ７１Ｌ２をオンにすることで走査電極ＳＣ２に電圧Ｖａを印加させる。その後、スイッチング素子Ｑ７１Ｌ２をオフに戻し、かつスイッチング素子Ｑ７１Ｈ２をオンに戻す。以下同様の手順で、走査電極ＳＣ３〜ＳＣ１０８０に電圧Ｖａが順次印加される。
【０１３４】
第１の表示電極対グループのサブフィールドＳＦ１の書込み期間では、走査電極駆動回路４３は、維持パルス発生回路５０のスイッチング素子Ｑ５５をオフ、スイッチング素子Ｑ５６をオン、かつスイッチ回路７５ｂのスイッチング素子Ｑ７６ｂをオンにして、休止期間の状態である第２の表示電極対グループの走査電極ＳＣ１０８１〜ＳＣ２１６０に電圧Ｖｐを印加させる。
【０１３５】
第１の表示電極対グループのサブフィールドＳＦ１の維持期間では、走査電極駆動回路４３は、走査パルス発生回路７０ａのスイッチング素子Ｑ７１Ｈ１〜Ｑ７１Ｈ１０８０をオフ、スイッチング素子Ｑ７１Ｌ１〜Ｑ７１Ｌ１０８０をオン、かつスイッチ回路７５ａのスイッチング素子Ｑ７６ａをオンにして、維持パルス発生回路５０で発生させた維持パルス電圧Ｖｓを第１の表示電極対グループに属する走査電極ＳＣ１〜ＳＣ１０８０に印加させる。
【０１３６】
維持パルス発生回路５０において維持パルス電圧Ｖｓを発生させるために、走査電極駆動回路４３は、スイッチング素子Ｑ５２、Ｑ５６をオフにした後、スイッチング素子Ｑ５１をオンにして走査電極ＳＣ１〜ＳＣ１０８０の電圧を維持パルス電圧Ｖｓ付近まで上昇させる。その後スイッチング素子Ｑ５５をオンにして走査電極ＳＣ１〜ＳＣ１０８０の電圧を維持パルス電圧Ｖｓにクランプする。つぎに、スイッチング素子Ｑ５１、Ｑ５５をオフにした後、スイッチング素子Ｑ５２をオンにして走査電極ＳＣ１〜ＳＣ１０８０の電圧を電圧０（Ｖ）付近まで降下させる。その後、スイッチング素子Ｑ５６をオンにして走査電極ＳＣ１〜ＳＣ１０８０を電圧０（Ｖ）にクランプする。以上の動作を繰り返すことにより維持パルス電圧Ｖｓを発生させる。
【０１３７】
第１の表示電極対グループのサブフィールドＳＦ１の消去期間では、走査電極駆動回路４３は、ミラー積分回路６２を動作させ、電圧Ｖｒに向かって上昇する傾斜波形電圧を走査電極ＳＣ１〜ＳＣ１０８０に印加させる。さらにその後、スイッチ回路７５ａのスイッチング素子Ｑ７６ａをオフとし、ミラー積分回路７１ａを動作させて電圧Ｖｉ４に向かって降下する傾斜波形電圧を走査電極ＳＣ１〜ＳＣ１０８０に印加させる。
【０１３８】
第１の表示電極対グループのサブフィールドＳＦ１の休止期間では、走査電極駆動回路４３は、維持パルス発生回路５０のスイッチング素子Ｑ５６をオン、スイッチ回路７５ａのスイッチング素子Ｑ７６ａをオン、走査パルス発生回路７０ａのスイッチング素子Ｑ７１Ｌ１〜Ｑ７１Ｌ１０８０をオフ、かつスイッチング素子Ｑ７１Ｈ１〜Ｑ７１Ｈ１０８０をオンとして、走査電極ＳＣ１〜ＳＣ１０８０に電圧Ｖｐを印加させる。
【０１３９】
第１の表示電極対グループのサブフィールドＳＦ１の維持期間、消去期間、および休止期間の間において、第２の表示電極対グループはＳＦ１の書込み期間の状態にある。走査電極駆動回路４３は、休止期間を終了するためにスイッチ回路７５ｂのスイッチング素子Ｑ７６ｂをオフした後、走査パルス発生回路７０ｂのスイッチング素子Ｑ７１Ｈ１０８１〜Ｑ７１Ｈ２１６０およびスイッチング素子Ｑ７１Ｌ１０８１〜Ｑ７１Ｌ２１６０のうちの対応するスイッチング素子を制御して走査電極ＳＣ１０８１〜ＳＣ２１６０に走査パルス電圧Ｖａを順次印加させる。
【０１４０】
第２の表示電極対グループのサブフィールドＳＦ１の維持期間では、走査パルス発生回路７０ｂのスイッチング素子Ｑ７１Ｈ１０８１〜Ｑ７１Ｈ２１６０をオフ、スイッチング素子Ｑ７１Ｌ１０８１〜Ｑ７１Ｌ２１６０をオン、かつスイッチ回路７５ｂのスイッチング素子Ｑ７６ｂをオンにして、維持パルス発生回路５０において発生させた維持パルス電圧を、第２の表示電極対グループに属する走査電極ＳＣ１０８１〜ＳＣ２１６０に印加させる。
【０１４１】
第２の表示電極対グループのサブフィールドＳＦ１の消去期間では、ミラー積分回路６２を動作させ、電圧Ｖｒに向かって上昇する傾斜波形電圧を走査電極ＳＣ１０８１〜ＳＣ２１６０に印加させる。さらに、その後、スイッチ回路７５ｂのスイッチング素子Ｑ７６ｂをオフとし、ミラー積分回路７１ｂを動作させて電圧Ｖｉ４に向かって降下する傾斜波形電圧を走査電極ＳＣ１０８１〜ＳＣ２１６０に印加する。
【０１４２】
第２の表示電極対グループのサブフィールドＳＦ１の休止期間では、維持パルス発生回路５０のスイッチング素子Ｑ５６をオン、スイッチ回路７５ｂのスイッチング素子Ｑ７６ｂをオン、走査パルス発生回路７０ｂのスイッチング素子Ｑ７１Ｌ１０８１〜Ｑ７１Ｌ２１６０をオフ、かつスイッチング素子Ｑ７１Ｈ１０８１〜Ｑ７１Ｈ２１６０をオンにして、走査電極ＳＣ１０８１〜ＳＣ２１６０に電圧Ｖｐを印加させる。
【０１４３】
以上の動作を繰り返すことにより、走査電極駆動回路４３は、各表示電極対グループに属する走査電極に対して、時間的に異なるタイミングで、維持パルス電圧や消去傾斜波形電圧を印加させることができる。したがって、走査電極駆動回路４３を用いることで、各表示電極対グループ間で時間的に異なるタイミングで維持期間および消去期間を設定することができる。
【０１４４】
図８を用いて、あるサブフィールドＳＦｎにおいて、全ての表示電極対グループに属する走査電極に同時に維持パルス電圧および消去傾斜波形電圧を印加させる時の動作を説明する。
【０１４５】
サブフィールドＳＦｎでは、第１の表示電極対グループが書込みを終了した後、第２の表示電極対グループの書込みを開始する。走査電極ＳＣ１０８０の書込みを終了した後から走査電極ＳＣ２１６０が書込み動作を終了するまで、スイッチ回路７５ａのスイッチング素子Ｑ７６ａ、走査パルス発生回路７０ａのスイッチング素子Ｑ７１Ｈ１〜Ｑ７１Ｈ１０８０、およびスイッチング素子Ｑ７１Ｌ１〜Ｑ７１Ｌ１０８０のオンオフ状態を保持する。一方、第２の表示電極対グループは、休止期間から書込み期間に移行する。このため、スイッチ回路７５ｂのスイッチング素子Ｑ７６ｂをオンからオフにした後、走査パルス発生回路７０ｂのスイッチング素子Ｑ７１Ｈ１０８１〜Ｑ７１Ｈ２１６０およびスイッチング素子Ｑ７１Ｌ１０８１〜Ｑ７１Ｌ２１６０のうちの対応するスイッチング素子を制御して走査電極ＳＣ１０８１〜ＳＣ２１６０に走査パルス電圧Ｖａを順次印加する。
【０１４６】
走査電極ＳＣ２１６０に走査パルス電圧Ｖａが印加された後、第１の表示電極対グループおよび第２の表示電極対グループに同時に維持パルス電圧Ｖｓを印加させる維持期間となる。走査電極駆動回路４３は、スイッチ回路７５ａのスイッチング素子Ｑ７６ａおよびスイッチ回路７５ｂのスイッチング素子Ｑ７６ｂをオン、走査パルス発生回路７０ａのスイッチング素子Ｑ７１Ｈ１〜Ｑ７１Ｈ１０８０をオフ、スイッチング素子Ｑ７１Ｌ１〜Ｑ７１Ｌ１０８０をオン、走査パルス発生回路７０ｂのスイッチング素子Ｑ７１Ｈ１０８１〜Ｑ７１Ｈ２１６０をオフ、かつスイッチング素子Ｑ７１Ｌ１０８１〜Ｑ７１Ｌ２１６０をオンする。その後、維持パルス発生回路５０で発生させた維持パルス電圧Ｖｓを第１の表示電極対グループに属する走査電極ＳＣ１〜ＳＣ１０８０および第２の表示電極対グループに属する走査電極ＳＣ１０８１〜ＳＣ２１６０に印加させる。
【０１４７】
サブフィールドＳＦｎの消去期間では、ミラー積分回路６２を動作させ、電圧Ｖｒに向かって上昇する傾斜波形電圧を走査電極ＳＣ１〜ＳＣ２１６０に印加させる。その後、スイッチ回路７５ａおよび７５ｂのスイッチング素子Ｑ７６ａおよびＱ７６ｂをオフとし、ミラー積分回路７１ａおよび７１ｂを動作させて電圧Ｖｉ４に向かって降下する傾斜波形電圧を走査電極ＳＣ１〜ＳＣ２１６０に印加させる。この段階で、各スイッチング素子のオンオフ状態は初期化期間の終了の時と同じ状態である。このため、つぎのサブフィールドＳＦ（ｎ＋１）の動作はサブフィールドＳＦ１における第１の表示電極対グループの書込み動作、および第２の表示電極対グループの休止動作と同様である。以上により、走査電極駆動回路４３を用いることで、全ての表示電極対グループに同時に維持パルス電圧および消去傾斜波形を印加させることができる。
【０１４８】
このように、本実施の形態１における走査電極駆動回路４３は、任意の表示電極対グループに属する走査電極に印加させる維持パルス電圧Ｖｓを発生する１つの維持パルス発生回路５０と、第１の表示電極対グループまたは第２の表示電極対グループに属する走査電極に印加させる走査パルス電圧Ｖａを発生する走査パルス発生回路７０ａ、７０ｂと、走査パルス発生回路７０ａ、７０ｂと維持パルス発生回路５０とを電気的に分離・接続させるスイッチ回路７５ａ、７５ｂとを有する。そして維持パルス発生回路５０で発生させた維持パルス電圧Ｖｓを各表示電極対グループに属する走査電極に印加させることで、簡素で、かつ第１の表示電極対グループと第２の表示電極対グループとの境界である表示領域付近での輝度差の発生しにくいプラズマディスプレイ装置を実現している。
【０１４９】
図９は、本発明の実施の形態１におけるプラズマディスプレイ装置４０の維持電極駆動回路４４の動作を説明する図であり、第１の表示電極対グループに属する維持電極ＳＵ１〜ＳＵ１０８０および第２の表示電極対グループに属する維持電極ＳＵ１０８１〜ＳＵ２１６０に印加する駆動電圧波形と、一定電圧発生回路９０ａのスイッチング素子Ｑ９１ａ〜Ｑ９４ａ、一定電圧発生回路９０ｂのスイッチング素子Ｑ９１ｂ〜Ｑ９４ｂ、およびスイッチ回路１００ａのスイッチング素子Ｑ１０１ａ、Ｑ１０２ａ、かつスイッチ回路１００ｂのスイッチング素子Ｑ１０１ｂ、Ｑ１０２ｂの各制御信号とを示している。
【０１５０】
初期化期間では、維持電極ＳＵ１〜ＳＵ２１６０に電圧０（Ｖ）を印加させるために、維持電極駆動回路４４は、維持パルス発生回路８０のスイッチング素子Ｑ８６をオンにする。そしてスイッチ回路１００ａのスイッチング素子Ｑ１０１ａ、Ｑ１０２ａをオンにして第１の表示電極対グループに属する維持電極ＳＵ１〜ＳＵ１０８０を接地させるとともに、スイッチ回路１００ｂのスイッチング素子Ｑ１０１ｂ、Ｑ１０２ｂをオンにして第２の表示電極対グループに属する維持電極ＳＵ１０８１〜ＳＵ２１６０を接地させる。
【０１５１】
つぎに維持電極ＳＵ１〜ＳＵ２１６０に電圧Ｖｅ１を印加させるために、維持電極駆動回路４４は、スイッチ回路１００ａ、１００ｂのスイッチング素子Ｑ１０１ａ、Ｑ１０２ａ、Ｑ１０１ｂ、Ｑ１０２ｂをオフにする。そして一定電圧発生回路９０ａのスイッチング素子Ｑ９１ａ、Ｑ９３ａ、Ｑ９４ａをオンにするとともに、一定電圧発生回路９０ｂのスイッチング素子Ｑ９１ｂ、Ｑ９３ｂ、Ｑ９４ｂをオンにする。
【０１５２】
第１の表示電極対グループのサブフィールドＳＦ１の書込み期間では、維持電極ＳＵ１〜ＳＵ１０８０に電圧Ｖｅ２を印加するために、維持電極駆動回路４４は、一定電圧発生回路９０ａのスイッチング素子Ｑ９１ａをオフ、かつスイッチング素子Ｑ９２ａをオンにする。
【０１５３】
第１の表示電極対グループのサブフィールドＳＦ１の維持期間では、維持電極駆動回路４４は、一定電圧発生回路９０ａのスイッチング素子Ｑ９３ａ、Ｑ９４ａをオフにするとともに分離スイッチ回路１００ａのスイッチング素子Ｑ１０１ａ、Ｑ１０２ａをオンにして、維持パルス発生回路８０で発生させた維持パルス電圧Ｖｓを維持電極ＳＵ１〜ＳＵ１０８０に印加させる。
【０１５４】
その後、維持電極ＳＵ１〜ＳＵ１０８０に電圧０（Ｖ）を印加させるために、維持電極駆動回路４４は、スイッチング素子Ｑ８５をオフ、かつスイッチング素子Ｑ８６をオンにする。さらに、維持電極ＳＵ１〜ＳＵ１０８０に電圧Ｖｅ１を印加させるために、維持電極駆動回路４４は、スイッチ回路１００ａのスイッチング素子Ｑ１０１ａ、Ｑ１０２ａをオフにする。そして一定電圧発生回路９０ａのスイッチング素子Ｑ９１ａ、Ｑ９３ａ、Ｑ９４ａをオンにするとともに、スイッチング素子Ｑ９２ａをオフにする。
【０１５５】
第１の表示電極対グループのサブフィールドＳＦ１の維持期間の間、第２の表示電極対グループはサブフィールドＳＦ１の書込み期間であるので、維持電極駆動回路４４は、一定電圧発生回路９０ｂのスイッチング素子Ｑ９１ｂをオフ、かつスイッチング素子Ｑ９２ｂをオンにして、第２の表示電極対グループに属する維持電極ＳＵ１０８１〜ＳＵ２１６０に電圧Ｖｅ２を印加する。
【０１５６】
続く第２の表示電極対グループのサブフィールドＳＦ１の維持期間では、維持電極駆動回路４４は、一定電圧発生回路９０ｂのスイッチング素子Ｑ９３ｂ、Ｑ９４ｂをオフにするとともにスイッチ回路１００ｂのスイッチング素子Ｑ１０１ｂ、Ｑ１０２ｂをオンにして、維持パルス発生回路８０で発生させた維持パルス電圧Ｖｓを維持電極ＳＵ１０８１〜ＳＵ２１６０に印加させる。
【０１５７】
その後、維持電極ＳＵ１０８１〜ＳＵ２１６０に電圧０（Ｖ）を印加させるために、維持電極駆動回路４４は、スイッチング素子Ｑ８５をオフにし、かつスイッチング素子Ｑ８６をオンにする。さらに、維持電極ＳＵ１０８１〜ＳＵ２１６０に電圧Ｖｅ１を印加させるために、維持電極駆動回路４４は、スイッチ回路１００ｂのスイッチング素子Ｑ１０１ｂ、Ｑ１０２ｂをオフにする。そして一定電圧発生回路９０ｂのスイッチング素子Ｑ９１ｂ、Ｑ９３ｂ、Ｑ９４ｂをオンにするとともにスイッチング素子Ｑ９２ｂをオフにする。
【０１５８】
以上の動作を繰り返すことにより、維持電極駆動回路４４は、時間的に異なるタイミングで、各表示電極対グループに属する維持電極に維持パルス電圧や消去波形電圧を印加させることができる。したがって、維持電極駆動回路４４を用いることで、各表示電極対グループ間で時間的に異なるタイミングで維持期間および消去期間を設定することができる。
【０１５９】
図９を用いて、サブフィールドＳＦｎにおいて、全ての表示電極対グループに属する維持電極それぞれに維持パルス電圧および消去波形電圧を一斉に印加させる時の動作を説明する。
【０１６０】
サブフィールドＳＦｎでは、第１の表示電極対グループが書込みを終了した後、引き続き第２の表示電極対グループの書込みを開始する。第１の表示電極対グループが走査電極ＳＣ１０８０の書込みを終了した後から第２の表示電極対グループの走査電極ＳＣ２１６０が書込み動作を終了するまで、維持電極駆動回路４４は、一定電圧発生回路９０ａのスイッチング素子Ｑ９１ａ〜Ｑ９４ａおよびスイッチ回路１００ａのスイッチング素子Ｑ１０１ａ、Ｑ１０２ａのオンオフ状態を保持する。一方、第２の表示電極対グループは休止期間から書込み期間に移行するため、維持電極駆動回路４４は、一定電圧発生回路９０ｂのスイッチング素子Ｑ９１ｂをオフ、かつスイッチング素子Ｑ９２ｂをオンする。
【０１６１】
走査電極ＳＣ２１６０に走査パルス電圧Ｖａが印加された後、第１の表示電極対グループおよび第２の表示電極対グループに同時に維持パルス電圧Ｖｓを印加させる維持期間が生じる。維持電極駆動回路４４は、一定電圧発生回路９０ａ、９０ｂのスイッチング素子Ｑ９１ａ〜Ｑ９４ａおよびＱ９１ｂ〜Ｑ９４ｂをオフにした後、スイッチ回路１００ａ、１００ｂのスイッチング素子Ｑ１０１ａ、Ｑ１０２ａおよびスイッチング素子Ｑ１０１ｂ、Ｑ１０２ｂをオンにする。その後、維持パルス発生回路８０で発生させた維持パルス電圧Ｖｓを第１の表示電極対グループに属する維持電極ＳＵ１〜ＳＵ１０８０および第２の表示電極対グループに属する維持電極ＳＵ１０８１〜ＳＵ２１６０に印加させる。
【０１６２】
サブフィールドＳＦｎの消去期間では、維持電極ＳＵ１〜ＳＵ２１６０に電圧０（Ｖ）を印加させるために、スイッチング素子Ｑ８５をオフ、かつスイッチング素子Ｑ８６をオンにする。さらにその後、維持電極ＳＵ１〜ＳＵ２１６０に電圧Ｖｅ１を印加させるために、維持電極駆動回路４４は、スイッチ回路１００ａおよび１００ｂのスイッチング素子Ｑ１０１ａ、Ｑ１０２ａ、Ｑ１０１ｂ、Ｑ１０２ｂをオフにする。そして一定電圧発生回路９０ａ、９０ｂのスイッチング素子Ｑ９１ａ、Ｑ９３ａ、Ｑ９４ａ、Ｑ９１ｂ、Ｑ９３ｂ、Ｑ９４ｂをオンにするとともにスイッチング素子Ｑ９２ａ、Ｑ９２ｂをオフにする。この段階で、各スイッチング素子のオンオフ状態は初期化期間Ｔ０の終了の時と同じ状態である。このため、サブフィールドＳＦｎのつぎのサブフィールドＳＦ（ｎ＋１）の動作は、サブフィールドＳＦ１における第１の表示電極対グループの書込み動作、および第２の表示電極対グループの休止動作と同様である。以上より、維持電極駆動回路４４を用いることで、全ての表示電極対グループに対して維持パルス電圧および消去波形を一斉に印加させることができる。
【０１６３】
このように、本実施の形態１における維持電極駆動回路４４は、任意の表示電極対グループに属する維持電極に印加させる維持パルス電圧Ｖｓを発生する１つの維持パルス発生回路８０と、第１の表示電極対グループまたは第２の表示電極対グループに属する維持電極に印加させる一定電圧を発生する一定電圧発生回路９０ａ、９０ｂと、第１の表示電極対グループまたは第２の表示電極対グループに属する維持電極と維持パルス発生回路８０とを電気的に分離または接続させるスイッチ回路１００ａ、１００ｂとを有する。そして維持パルス発生回路８０で発生させた維持パルス電圧Ｖｓを各表示電極対グループに属する維持電極に一斉に印加させることで、簡素で、かつ第１の表示電極対グループと第２の表示電極対グループとの境界となる表示領域付近での輝度差の発生しにくい維持電極駆動回路４４を実現している。
【０１６４】
なお、本実施の形態１における維持パルス発生回路８０および傾斜波形発生回路６０等の具体的な回路構成は単に一例を示したに過ぎず、同様の駆動電圧波形を発生させる他の回路構成であってもよい。
【０１６５】
例えば、図６に示した電力回収部５１は、維持パルス電圧の立上り形成時にはスイッチング素子Ｑ５１、ダイオードＤ５１、インダクタＬ５１およびスイッチング素子Ｑ５９を介してコンデンサＣ５１の電荷を電極間容量に移動させ、維持パルス電圧の立下り形成時にはインダクタＬ５２、ダイオードＤ５２およびスイッチング素子Ｑ５２を介して電極間容量の電荷をコンデンサＣ５１に戻させるような回路構成である。しかし、インダクタＬ５１の一方の端子の接続をスイッチング素子Ｑ５９のソースからノードＣに変更して、維持パルス電圧の立上り形成時にスイッチング素子Ｑ５１、ダイオードＤ５１およびインダクタＬ５１を介してコンデンサＣ５１の電荷を電極間容量に移動させる回路構成としてもよい。また、インダクタＬ５１とインダクタＬ５２とを１つのインダクタで兼用する回路構成であってもよい。
【０１６６】
また、図７に示した維持電極駆動回路４４における電力回収部８１のインダクタＬ８１とＬ８２とを１つのインダクタで兼用する回路構成であってもよい。
【０１６７】
また、図６に示す傾斜波形発生回路６０は、２つのミラー積分回路６１、６２を備える回路構成を示したが、１つの電圧切換回路と１つのミラー積分回路とを備えた回路構成であってもよい。
【０１６８】
また、図６に示した電力回収部５１のコンデンサＣ５１を省略し、図７に示した電力回収部８１をすべて省略し、図７のノードＤと図６のスイッチング素子Ｑ５１とＱ５２との接続点とを接続した回路構成であってもよい。
【０１６９】
また、図６に示した電力回収部５１をすべて省略し、図７に示した電力回収部８１のコンデンサＣ８１を省略し、図７のスイッチング素子Ｑ８１とＱ８２の接続点とノードＣとを接続した回路構成であってもよい。
【０１７０】
[プラズマディスプレイパネルの駆動モードの選択方法]
図１０は、実施の形態１におけるプラズマディスプレイパネル１０の駆動モードの選択方法を説明するための図である。なお、縦軸は走査電極ＳＣ１〜ＳＣ２１６０を示し、横軸は時間を示している。なお、壁電圧調整期間として消去期間のみで構成される場合を示している。また、書込み動作を行うタイミングを実線で示し、維持期間は右上から左下への斜線ハッチングで、消去期間は左上から右下への斜線ハッチングで示している。なお、書込み期間において実線が水平となる時間は、書込み動作が一時停止する時間を表している。ある表示電極対グループにおいて書込み動作が一時停止する時間は、残りの表示電極対グループのうち少なくともいずれかが消去期間のタイミングとなっている。
【０１７１】
まず、１フィールドに含まれる最後のサブフィールドＳＦ１０を除いたサブフィールドＳＦ１〜ＳＦ９毎に、表示電極対グループ毎に維持期間と消去期間とを設定する第１の駆動モード、または表示電極対グループ間で維持放電と消去放電とを同時に行う第２の駆動モードのいずれかが設定される。
【０１７２】
具体的には、あるサブフィールドにおいて、維持期間と消去期間とが比較され、維持期間の方が消去期間よりも長い場合（維持期間＞消去期間）、当該あるサブフィールドでは第１の表示電極対グループおよび第２の表示電極対グループそれぞれで維持期間と消去期間とを独立して設定する第１の駆動モードを選択した方が、全体の駆動時間を短縮することができる。
【０１７３】
つまり、図４に示したように、一方の表示電極対グループにおいて消去放電が行われる期間では、他方の表示電極対グループにおいて書込み動作が行われないようにする必要がある。したがって、維持期間の方が消去期間よりも長い場合には表示電極対グループ毎に維持放電および消去放電を独立して実施する第１の駆動モードを設定した方が、つぎのサブフィールドの書込み動作を「維持期間−消去期間」の時間差の分だけ前倒しで行うことができる。このため、全体の駆動時間を短縮することができる。
【０１７４】
逆に、消去期間の方が維持期間よりも長い場合（維持期間＜消去期間）、そのあるサブフィールドでは第１の表示電極対グループと第２の表示電極対グループとの間で維持期間と消去期間とを同期させて設定する第２の駆動モードを選択した方が、全体の駆動時間を短縮することができる。
【０１７５】
図１０において、上記のような駆動モードの選択を行った結果、維持期間よりも消去期間の方が長いサブフィールドＳＦ１〜ＳＦ３では、表示電極対グループ間で維持期間と消去期間とを同期させて設定する第２の駆動モードが選択される。一方、サブフィールドＳＦ４〜ＳＦ９では、維持期間の方が消去期間よりも長いので、表示電極対グループ毎に維持期間および消去期間を設定する第１の駆動モードが選択される。
【０１７６】
尚、駆動モード設定部４６は、輝度重み最大のサブフィールド以外の各サブフィールドの輝度重みに基づいて、輝度重み最大のサブフィールド以外のサブフィールド毎に、維持期間の長さと消去期間の長さとを比較し、表示電極対グループ毎に維持期間および消去期間を設定する第１の駆動モード、または表示電極対グループ間で維持期間と消去期間とを同期させて設定する第２の駆動モードを選択する。そして、タイミング発生回路４５は、駆動モード設定部４６により選択された第１の駆動モードまたは第２の駆動モードに基づくタイミング信号を各駆動回路４１〜４４に出力する。
【０１７７】
ところで、サブフィールドＳＦ１０は、１フィールドにおいて最も維持期間が長い（換言すると最も輝度重みが大きい）サブフィールドである。このように、輝度重みが最も大きいサブフィールドでは、維持期間の長さと消去期間の長さとの比較結果に基づいて第１の駆動モードまたは第２の駆動モードを選択することよりも優先して、表示電極対グループ間で維持期間と消去期間とを同期させて設定する第２の駆動モードが常に設定される。
【０１７８】
この輝度重み最大のサブフィールドにおける第２の駆動モードの設定は、図５に示した駆動モード設定部４６によって行われる。画像信号処理回路４１は、画像信号に基づいて１フィールドにおける各サブフィールドの輝度重み付けを決定する。駆動モード設定部４６は、画像信号処理回路４１によって決定された輝度重み付けに基づいて、１フィールドにおける輝度重み最大のサブフィールドを特定する。さらに、駆動モード設定部４６は、この特定された輝度重み最大のサブフィールドに関しては表示電極対グループ間で維持期間と消去期間とを同期させて設定する第２の駆動モードを設定する。そしてタイミング発生回路４５は、駆動モード設定部４６により設定された第２の駆動モードに基づくタイミング信号を各駆動回路４１〜４４に出力する。
【０１７９】
この結果、サブフィールドＳＦ１０の維持期間では、走査電極駆動回路４３の維持パルス発生回路５０より発生した維持パルス電圧Ｖｓおよび維持電極駆動回路４４の維持パルス発生回路８０より発生した維持パルス電圧Ｖｓに基づいて、プラズマディスプレイパネル１０の表示画面全体が駆動される。維持パルス発生回路５０、８０を表示電極対グループ毎に設ける場合や、維持パルス発生回路５０、８０を表示電極対グループ間で１つの維持パルス発生回路とする場合と比較すると、プラズマディスプレイパネル１０の各放電セルに印加される電圧が均一化されるので、第１の表示電極対グループと第２の表示電極対グループとの境界となる表示領域付近での輝度差が発生しにくい点灯状態とすることができる。
【０１８０】
さらに、最も輝度重みの大きいサブフィールドに関して、第２の駆動モードに基づいて複数の表示電極対グループの境界となる表示領域付近で輝度差が発生しにくい維持放電を行わせるようにした。このため、最も輝度重みの大きいサブフィールド以外のその他のサブフィールドにおいては、第１の駆動モードにより表示電極対グループ毎に維持放電を行わせたとしても、当該その他のサブフィールドでは輝度重みが小さいため、視聴者は第１の表示電極対グループと第２の表示電極対グループとの間の境界となる表示領域付近での輝度差を認識しにくくなる。
【０１８１】
したがって、高精細度プラズマディスプレイパネル１０であっても十分なサブフィールド数を確保することができ、かつ第１の表示電極対グループと第２の表示電極対グループとの境界である表示領域付近の輝度差が発生しにくいプラズマディスプレイパネル１０の駆動方法を提供することができる。
【０１８２】
（実施の形態２）
図１１は、本実施の形態２におけるプラズマディスプレイパネル１０の駆動方法に適用されるサブフィールド構成を説明するための図である。なお、図１０と同様に、縦軸は走査電極ＳＣ１〜ＳＣ２１６０を示し、横軸は時間を示している。また、壁電圧調整期間として消去期間のみで構成される場合を示している。さらに、書込み動作を行うタイミングを実線で示し、維持期間は右上から左下への斜線ハッチングで、消去期間は左上から右下への斜線ハッチングで示している。本実施の形態２におけるプラズマディスプレイ装置は、図５に示した実施の形態１に示したものと同様であるため、説明は省略する。
【０１８３】
本実施の形態２のサブフィールド構成と、図１０に示した実施の形態１のサブフィールド構成との違いは、輝度重みである維持期間がサブフィールドＳＦ１を除いて降順になっている点である。輝度重みの最も大きいサブフィールドＳＦ２では、全ての表示電極対グループの間で維持期間および消去期間を同期させて設定する第２の駆動モードが設定される。また、維持期間よりも消去期間の方が長いサブフィールドＳＦ１、ＳＦ９、ＳＦ１０についても同様に、表示電極対グループ間で維持期間および消去期間を同期させて設定する第２の駆動モードが設定される。その他のサブフィールドＳＦ３〜ＳＦ８では、維持期間の方が消去期間よりも長いので、維持期間および消去期間が表示電極対グループ毎に設定される第１の駆動モードが設定される。
【０１８４】
ところで、サブフィールドＳＦ１０は、１フィールドの最後のサブフィールドであるため、一方の表示電極対グループが維持期間である場合に他方の表示電極対グループが書込み動作を行えない。このことから、サブフィールドＳＦ１０に対して第２の駆動モードが常に設定されることで、駆動時間を短縮することができる。また、複数のサブフィールドにおいて維持期間が降順となるように配列されることで、サブフィールドＳＦ１０は輝度重みが最小となり、第２の駆動モードが設定されやすくなる。さらに、サブフィールド間の発光中心を変動させることなく、全体の駆動時間を短縮することができる。
【０１８５】
また、サブフィールドＳＦ１は、輝度重みの最小のサブフィールドにすることが好ましい。その理由はつぎの通りである。
【０１８６】
全放電セルを初期化放電した後では書込み期間の際のアドレス放電が強くなるため、放電セル間で放電クロストークが発生しやすい。放電クロストークが発生すると、書込み不良につながり、不灯を選択した放電セルが誤って維持期間において発光するおそれがあり、ひいてはプラズマディスプレイパネル１０の表示品質の低下を招くことになる。
【０１８７】
そこで、初期化期間Ｔ０直後のサブフィールドＳＦ１を輝度重み最小のサブフィールドとし、かつサブフィールドＳＦ２以降を点灯させる際にサブフィールドＳＦ１を必ず点灯させることによって、低輝度階調の表現力の低下を最小限に抑えつつ放電セル間の放電クロストークを抑えることができ、ひいてはプラズマディスプレイパネル１０の表示品質を高めることができる。
【０１８８】
したがって、図１１に示したサブフィールド構成は、図１０に示したサブフィールド構成と比較して全体の駆動時間を短縮することができる。なお、これらのサブフィールド構成は、タイミング発生回路４５より各駆動回路４１〜４４に出力されるタイミング信号に基づいて形成される。
【０１８９】
なお、実施の形態１においても同様にサブフィールドＳＦ１を必ず点灯させてもよい。これにより、放電クロストークが発生せず、プラズマディスプレイパネル１０の表示品質をさらに高めることができる。
【０１９０】
（実施の形態３）
図１２は、本実施の形態３におけるプラズマディスプレイパネル１０の駆動方法に適用されるサブフィールド構成を説明するための図である。なお、図１０と同様に、縦軸は走査電極ＳＣ１〜ＳＣ２１６０を示し、横軸は時間を示している。また、壁電圧調整期間として消去期間のみで構成される場合を示している。さらに、書込み動作を行うタイミングを実線で示し、維持期間は右上から左下への斜線ハッチングで、消去期間は左上から右下への斜線ハッチングで示している。本実施の形態３におけるプラズマディスプレイ装置は、実施の形態１に示したものと同様であるため、説明は省略する。
【０１９１】
図１２には、点灯率が最も高いサブフィールドがサブフィールドＳＦ８であるサブフィールド構成が示されている。１フィールドの中で最も点灯率が高いサブフィールドは維持放電させる放電セル数が最も多い。したがって、全ての表示電極対グループの間で維持放電および消去放電を同時に行うことで、表示電極対グループ間の境界である表示領域付近での輝度差の発生しにくい表示が可能となる。
【０１９２】
１フィールドの中で最も点灯率が高いサブフィールドを選択するのは、図５に示した駆動モード設定部４６である。画像信号処理回路４１は、各サブフィールドにおいて書込む放電セルを決定する。駆動モード設定部４６は、画像信号処理回路４１より出力される点灯率情報に基づいてサブフィールド毎に維持放電させる放電セルの数を求めて、最も放電セル数の多いサブフィールドを点灯率の最も高いサブフィールドとして特定する。タイミング発生回路４５は、駆動モード設定部４６により特定した結果に基づいて各駆動回路４１〜４４にタイミング信号を出力する。このように、点灯率の最も高いサブフィールドに対して全ての表示電極対グループの間で維持期間および消去期間を同期させて設定する第２の駆動モードが常に設定されるので、表示電極対グループ間の境界である表示領域付近での輝度差の発生しにくいプラズマディスプレイパネル１０の駆動方法を提供することができる。
【０１９３】
なお、実施の形態２で示したように、放電クロストークを低減するためにサブフィールドＳＦ１を必ず点灯させる場合には、サブフィールドＳＦ１を除いて点灯率の最も高いサブフィールドを特定すればよい。
【０１９４】
（実施の形態４）
図１３は、本実施の形態４におけるプラズマディスプレイパネル１０の駆動方法に適用されるサブフィールド構成を説明するための図である。なお、図１０と同様に、縦軸は走査電極ＳＣ１〜ＳＣ２１６０を示し、横軸は時間を示している。また、壁電圧調整期間として消去期間のみで構成される場合を示している。さらに、書込み動作を行うタイミングを実線で示し、維持期間は右上から左下への斜線ハッチングで、消去期間は左上から右下への斜線ハッチングで示している。本発明の実施の形態４におけるプラズマディスプレイ装置は実施の形態１に示したものと同様であるため、説明は省略する。
【０１９５】
わが国で採用されるＮＴＳＣ（National Television System Committee）方式の場合には１フィールドの時間は約１６．７ｍｓであるが、欧州諸国で主流であるＰＡＬ（Phase Alternating Line）方式の場合には１フィールドの時間は約２０ｍｓである。このようにＰＡＬ方式ではＮＴＳＣ方式に比べて１フィールドの周期が長いため、当該１フィールドに含まれる複数のサブフィールドの輝度の重みづけが１回の昇順あるいは降順である場合、フリッカとして見えることがあり、プラズマディスプレイパネルの表示品質の低下を招くことになる。
【０１９６】
そこで、ＰＡＬ方式では、１フィールドに含まれる複数のサブフィールドに関して、昇順あるいは降順の輝度重みづけが２回行われるようにする。例えば、図１３に示したサブフィールド構成の場合では、１回目の昇順としてサブフィールドＳＦ１〜ＳＦ５が配列され、２回目の昇順としてサブフィールドＳＦ６〜ＳＦ１０が配列されている。この結果として、プラズマディスプレイパネル１０のフリッカを防ぐとともにその表示品質を高めることができる。
【０１９７】
また、図１３に示したサブフィールド構成において、サブフィールドＳＦ５が最も輝度重みの大きいサブフィールドとし、かつサブフィールドＳＦ１０が２番目に輝度重みの大きいサブフィールドとする。この場合、サブフィールドＳＦ５、ＳＦ１０では、全ての表示電極対グループの間で維持期間および消去期間を同期させて設定する第２の駆動モードが常に設定される方が好ましい。
【０１９８】
また、初期化期間Ｔ０の終了直後のサブフィールドであるサブフィールドＳＦ１、および最も輝度重みの大きいサブフィールドＳＦ５の直後のサブフィールドであるサブフィールドＳＦ６については、放電セル間で放電クロストークが発生しやすいため、必ず点灯させることが好ましい。また、この場合、サブフィールドＳＦ１、ＳＦ６は維持放電させる放電セルの数が多くなるため、表示電極対グループ間で維持期間および消去期間を同期させて設定する第２の駆動モードが常に設定される方が好ましい。
【０１９９】
上記の一連の設定は、駆動モード設定部４６を含めたタイミング発生回路４５によって行われる。このように、１フィールドの時間が比較的長いＰＡＬ方式においても輝度差の発生しにくい表示が可能となる。
【０２００】
なお、本実施の形態１〜４において示した図１０〜図１３の具体的なサブフィールド構成は一例を示したに過ぎない。各表示品質を高める駆動方法を組み合わせて構成してもよいし、あるいは、駆動時間を短縮する駆動方法を組み合わせて構成してもよい。例えば、ＮＴＳＣ方式であっても、輝度重みが最も大きいサブフィールドと輝度重みが２番目に大きいサブフィールドにおいて、複数の表示電極対グループの間で同時に維持放電させるようにしてもよい。
【０２０１】
また、本実施の形態１から４において用いた具体的な各数値は、単に一例を挙げたに過ぎず、プラズマディスプレイパネル１０の特性やプラズマディスプレイ装置の仕様等に応じた適宜な値に設定される。
【０２０２】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造および／または機能の詳細を実質的に変更できる。
【産業上の利用可能性】
【０２０３】
本発明に係るプラズマディスプレイパネルの駆動方法及びプラズマディスプレイ装置によれば、超高精細のプラズマディスプレイパネルであっても、画質を確保するための十分なサブフィールド数を確保することができ、かつ表示電極対グループ間の境界となる表示領域付近での輝度差の発生を抑えることができるので、高精細のプラズマディスプレイパネルを駆動する上で有用である。
【符号の説明】
【０２０４】
１０    プラズマディスプレイパネル
２２    走査電極
２３    維持電極
２４    表示電極対
３２    データ電極
４０    プラズマディスプレイ装置
４１    画像信号処理回路
４２    データ電極駆動回路
４３    走査電極駆動回路
４４    維持電極駆動回路
４５    タイミング発生回路
４６    駆動モード設定部
５０，８０    維持パルス発生回路
５１，８１    電力回収部
５５，８５    電圧クランプ部
６０    傾斜波形発生回路
７０ａ、７０ｂ    走査パルス発生回路
７５ａ，７５ｂ    スイッチ回路
９０ａ、９０ｂ    一定電圧発生回路
１００ａ，１００ｂ  スイッチ回路
【手続補正２】
【補正対象書類名】特許請求の範囲
【補正対象項目名】全文
【補正方法】変更
【補正の内容】
【特許請求の範囲】
【請求項１】
走査電極と維持電極とから構成された複数の表示電極対と複数のデータ電極とを備え、前記表示電極対と前記データ電極とが交差する位置のそれぞれに放電セルを構成したプラズマディスプレイパネルの駆動方法であって、
映像を構成する各フィールドは複数のサブフィールドを有し、
各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、
前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、
前記維持期間が前記壁電圧調整期間よりも短い場合には、前記プラズマディスプレイパネルの全ての前記表示電極対に対して前記維持期間と前記壁電圧調整期間とを行う第２の駆動モードを選択する、
プラズマディスプレイパネルの駆動方法。
【請求項２】
前記第１の駆動モードまたは前記第２の駆動モードを選択することよりも優先して、前記サブフィールド毎の前記維持期間の長さの情報に基づいて前記複数のサブフィールドの中の少なくともいずれかに対して前記第２の駆動モードを設定する、請求項１に記載のプラズマディスプレイパネルの駆動方法。
【請求項３】
前記複数のサブフィールドの中で前記維持期間が最も長いサブフィールドに対して前記第２の駆動モードを設定する、請求項２に記載のプラズマディスプレイパネルの駆動方法。
【請求項４】
前記複数のサブフィールドの中で前記維持期間が２番目に長いサブフィールドに対して前記第２の駆動モードを設定する、請求項３に記載のプラズマディスプレイパネルの駆動方法。
【請求項５】
前記第１の駆動モードまたは前記第２の駆動モードを選択することよりも優先して、前記サブフィールド毎の維持放電させる放電セル数の情報に基づいて前記複数のサブフィールドの中の少なくともいずれかに対して前記第２の駆動モードを設定する、請求項１に記載のプラズマディスプレイパネルの駆動方法。
【請求項６】
前記複数のサブフィールドの中で維持放電させる放電セルの数が最も多いサブフィールドに対して前記第２の駆動モードを設定する、  請求項５に記載のプラズマディスプレイパネルの駆動方法。
【請求項７】
前記複数のサブフィールドの中で前記維持期間において維持放電させる前記放電セルの数が２番目に多いサブフィールドに対して前記第２の駆動モードを設定する、請求項６に記載のプラズマディスプレイパネルの駆動方法。
【請求項８】
前記第１の駆動モードまたは前記第２の駆動モードを選択することよりも優先して、すべての前記放電セルを初期化放電させる初期化期間の直後のサブフィールド対して前記第２の駆動モードを設定する、請求項１に記載のプラズマディスプレイパネルの駆動方法。
【請求項９】
走査電極と維持電極とから構成された複数の表示電極対と複数のデータ電極とを備え、前記表示電極対と前記データ電極とが交差する位置のそれぞれに放電セルを構成したプラズマディスプレイパネルと、
前記プラズマディスプレイパネルを駆動する駆動回路とを備えたプラズマディスプレイ装置であって、
前記駆動回路は、
映像を構成する各フィールドは複数のサブフィールドを有し、
各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、
前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、
前記維持期間が前記壁電圧調整期間よりも短い場合には、前記プラズマディスプレイパネルの全ての前記表示電極対に対して前記維持期間と前記壁電圧調整期間とを行う第２の駆動モードを選択する、
プラズマディスプレイ装置。
【請求項１０】
前記第１の駆動モードまたは前記第２の駆動モードを選択することよりも優先して、前記サブフィールド毎の前記維持期間の長さの情報に基づいて前記複数のサブフィールドの中の少なくともいずれかに対して前記第２の駆動モードを設定する、請求項９に記載のプラズマディスプレイ装置。
【請求項１１】
前記複数のサブフィールドの中で前記維持期間が最も長いサブフィールドに対して前記第２の駆動モードを設定する、請求項１０に記載のプラズマディスプレイ装置。
【請求項１２】
前記複数のサブフィールドの中で前記維持期間が２番目に長いサブフィールドに対して前記第２の駆動モードを設定する、請求項１１に記載のプラズマディスプレイ装置。
【請求項１３】
前記第１の駆動モードまたは前記第２の駆動モードを選択することよりも優先して、前記サブフィールド毎の維持放電させる放電セル数の情報に基づいて前記複数のサブフィールドの中の少なくともいずれかに対して前記第２の駆動モードを設定する、請求項９に記載のプラズマディスプレイ装置。
【請求項１４】
前記複数のサブフィールドの中で維持放電させる放電セルの数が最も多いサブフィールドに対して前記第２の駆動モードを設定する、請求項１３に記載のプラズマディスプレイ装置。
【請求項１５】
前記複数のサブフィールドの中で前記維持期間において維持放電させる前記放電セルの数が２番目に多いサブフィールドに対して前記第２の駆動モードを設定する、請求項１４に記載のプラズマディスプレイ装置。
【請求項１６】
前記第１の駆動モードまたは前記第２の駆動モードを選択することよりも優先して、すべての前記放電セルを初期化放電させる初期化期間の直後のサブフィールド対して前記第２の駆動モードを設定する、請求項９に記載のプラズマディスプレイ装置。
【請求項１７】
走査電極と維持電極とから構成された複数の表示電極対と複数のデータ電極とを備え、前記表示電極対と前記データ電極とが交差する位置のそれぞれに放電セルを構成したプラズマディスプレイパネルと、
前記複数の走査電極を駆動する走査電極駆動回路と、
前記複数の維持電極を駆動する維持電極駆動回路と、
前記複数のデータ電極を駆動するデータ電極駆動回路と、
画像信号および同期信号に基づいて前記画像処理信号回路と前記走査電極駆動回路と前記維持電極駆動回路と前記データ電極駆動回路とにタイミング信号を出力するタイミング発生回路と、を有し、
映像を構成する各フィールドは複数のサブフィールドを有し、
各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、
前記タイミング発生回路は、
前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、
前記維持期間が前記壁電圧調整期間よりも短い場合には、前記プラズマディスプレイパネルの全ての前記表示電極対に対して前記維持期間と前記壁電圧調整期間とを行う第２の駆動モードを選択する、
プラズマディスプレイ装置。 
【手続補正３】
【補正対象書類名】図面
【補正対象項目名】全図
【補正方法】変更
【補正の内容】
【図１】
2011001618.tif 000016
【図２】
2011001618.tif 000017
【図３】
2011001618.tif 000018
【図４】
2011001618.tif 000019
【図５】
2011001618.tif 000020
【図６】
2011001618.tif 000021
【図７】
2011001618.tif 000022
【図８】
2011001618.tif 000023
【図９】
2011001618.tif 000024
【図１０】
2011001618.tif 000025
【図１１】
2011001618.tif 000026
【図１２】
2011001618.tif 000027
【図１３】
2011001618.tif 000028
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
走査電極と維持電極とから構成された複数の表示電極対と複数のデータ電極とを備え、前記表示電極対と前記データ電極とが交差する位置のそれぞれに放電セルを構成したプラズマディスプレイパネルの駆動方法であって、
映像を構成する各フィールドは複数のサブフィールドを有し、
各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、
前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、前記維持期間が前記壁電圧調整期間よりも短い場合には、前記プラズマディスプレイパネルの全ての前記表示電極対に対して前記維持期間と前記壁電圧調整期間とを行う第２の駆動モードを選択し、
前記第１の駆動モードまたは前記第２の駆動モードを選択することよりも優先して、前記サブフィールド毎の前記維持期間の長さの情報に基づいて前記複数のサブフィールドの中の少なくともいずれかに対して前記第２の駆動モードを設定する、プラズマディスプレイパネルの駆動方法。
【請求項２】
前記複数のサブフィールドの中で前記維持期間が最も長いサブフィールドに対して前記第２の駆動モードを設定する、請求項１に記載のプラズマディスプレイパネルの駆動方法。
【請求項３】
前記複数のサブフィールドの中で前記維持期間が２番目に長いサブフィールドに対して前記第２の駆動モードを設定する、請求項２に記載のプラズマディスプレイパネルの駆動方法。
【請求項４】
前記第１の駆動モードまたは前記第２の駆動モードを選択することよりも優先して、前記サブフィールド毎の維持放電させる放電セル数の情報に基づいて前記複数のサブフィールドの中の少なくともいずれかに対して前記第２の駆動モードを設定する、請求項１に記載のプラズマディスプレイパネルの駆動方法。
【請求項５】
前記複数のサブフィールドの中で維持放電させる放電セルの数が最も多いサブフィールドに対して前記第２の駆動モードを設定する、請求項４に記載のプラズマディスプレイパネルの駆動方法。
【請求項６】
前記複数のサブフィールドの中で前記維持期間において維持放電させる前記放電セルの数が２番目に多いサブフィールドに対して前記第２の駆動モードを設定する、請求項５に記載のプラズマディスプレイパネルの駆動方法。
【請求項７】
走査電極と維持電極とから構成された複数の表示電極対と複数のデータ電極とを備え、前記表示電極対と前記データ電極とが交差する位置のそれぞれに放電セルを構成したプラズマディスプレイパネルと、
前記プラズマディスプレイパネルを駆動する駆動回路とを備えたプラズマディスプレイ装置であって、
前記駆動回路は、
映像を構成する各フィールドは複数のサブフィールドを有し、
各前記サブフィールドは、放電セルに書込み放電させる書込み期間と、書込み放電した放電セルを維持放電させる維持期間と、維持放電された放電セルの壁電圧をつぎの書込み放電に備えて調整する壁電圧調整期間とを有し、
前記サブフィールド毎に、前記維持期間と前記壁電圧調整期間とを比較し、前記維持期間が前記壁電圧調整期間よりも長い場合には、前記複数の表示電極対を複数の表示電極対グループに分割し、前記維持期間および前記壁電圧調整期間を前記表示電極対グループ毎に設定し、かつある前記表示電極対グループが前記壁電圧調整期間となる期間では残りの前記表示電極対グループにおける連続した書込み動作を制限する第１の駆動モードを選択し、前記維持期間が前記壁電圧調整期間よりも短い場合には、前記プラズマディスプレイパネルの全ての前記表示電極対に対して前記維持期間と前記壁電圧調整期間とを行う第２の駆動モードを選択し、
前記第１の駆動モードまたは前記第２の駆動モードを選択することよりも優先して、前記サブフィールド毎の前記維持期間の長さの情報に基づいて前記複数のサブフィールドの中の少なくともいずれかに対して前記第２の駆動モードを設定する、プラズマディスプレイ装置。
【請求項８】
前記複数のサブフィールドの中で前記維持期間が最も長いサブフィールドに対して前記第２の駆動モードを設定する、請求項７に記載のプラズマディスプレイ装置。
【請求項９】
前記複数のサブフィールドの中で前記維持期間が２番目に長いサブフィールドに対して前記第２の駆動モードを設定する、請求項８に記載のプラズマディスプレイ装置。
【請求項１０】
前記第１の駆動モードまたは前記第２の駆動モードを選択することよりも優先して、前記サブフィールド毎の維持放電させる放電セル数の情報に基づいて前記複数のサブフィールドの中の少なくともいずれかに対して前記第２の駆動モードを設定する、請求項７に記載のプラズマディスプレイ装置。
【請求項１１】
前記複数のサブフィールドの中で維持放電させる放電セルの数が最も多いサブフィールドに対して前記第２の駆動モードを設定する、請求項１０に記載のプラズマディスプレイ装置。
【請求項１２】
前記複数のサブフィールドの中で前記維持期間において維持放電させる前記放電セルの数が２番目に多いサブフィールドに対して前記第２の駆動モードを設定する、請求項１１に記載のプラズマディスプレイ装置。
【国際調査報告】
2011001618.tif 000029
2011001618.tif 000030
2011001618.tif 000031
2011001618.tif 000032